(57)【要約】  【課題】遊技用装置に残額がある状態で翌日の開店を迎えることを防ぐことで遊技機の稼働率の低下を防止し、営業時間内での店員によるカードの回収作業や補充作業を極力不要とすることで円滑な営業を行うことができる遊技用システムの提供。  【解決手段】締め処理信号を受信したカードＲ／Ｗ制御部でカード残額が残存していると判定されたときに、ユニット制御部が残額が残存している旨を報知する（Ｓ５２２）。返却操作を検出するとカードＲ／Ｗ制御部がカードを排出して（Ｓ５３４）、報知が終了し（Ｓ５３８）、締め処理が行われる（ＳＥ０１）。ユニット制御部は、スイッチテーブルを参照して、ストック枚数が第２上限値以上であるか否かを判定し、第２上限値以上であると判定されたときには、多機能ランプによる報知を行い、自動的にメンテナンスモードに移行する。  【選択図】      図１６
2006305011.tif 000002
【特許請求の範囲】
【請求項１】
遊技機に対応して設けられ、
貨幣を受け付ける貨幣受付手段と、
遊技媒体の貸与に使用可能な有価価値の大きさを特定するための情報が記録された記録媒体を受け付ける記録媒体受付手段と、
前記貨幣受付手段により受け付けた貨幣の金額である受付貨幣額に相当する有価価値の大きさの範囲内における所定の大きさの有価価値を使用して遊技媒体を貸与するための第１の貸与処理を行うと共に、前記記録媒体受付手段により受け付けた記録媒体の記録情報から特定される有価価値の大きさの範囲内における所定の大きさの有価価値を使用して遊技媒体を貸与するための第２の貸与処理を行う貸与制御部と、
前記記録媒体を複数収納する記録媒体収納部と、
前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段と、
前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段と、を有する遊技用装置と、
該遊技用装置に対して当該遊技場の営業終了に伴う締め処理を実行する旨を示す締め処理信号を送信する締め処理信号送信手段を有する管理装置と、
を備える遊技用システムであって、
前記管理装置又は前記遊技用装置は、
前記記録媒体収納部に収納される記録媒体数に対する第１上限値及び第１下限値を設定する第１設定手段と、
前記記録媒体収納部に収納される記録媒体数に対する前記第１上限値よりも低い第２上限値を設定する第２上限値設定手段と、をさらに有し、
前記遊技用装置は、
前記記録媒体収納部に収納される記録媒体数を計数する計数手段と、
前記締め処理信号送信手段から締め処理信号を受信するまでの営業時間中において、前記計数された記録媒体数が前記第１設定手段により設定された第１上限値以上であるか否かを判定する第１上限値判定手段と、
該第１上限値判定手段により第１上限値以上であると判定されたことを条件として、当該第１上限値以上である旨を報知する第１上限値報知手段と、
前記営業時間中において、前記計数された記録媒体数が前記第１設定手段により設定された第１下限値以下であるか否かを判定する第１下限値判定手段と、
該第１下限値判定手段により第１下限値以下であると判定されたことを条件として、当該第１下限値以下である旨を報知する第１下限値報知手段と、
前記締め処理信号送信手段から締め処理信号を受信したことに基づいて、前記計数された記録媒体数が前記第２上限値設定手段により設定された第２上限値以上であるか否かを判定する第２上限値判定を行う締め処理時判定手段と、
該締め処理時判定手段による第２上限値判定によって第２上限値以上であると判定されたことを条件として報知を行う締め処理時報知手段と、
前記締め処理信号送信手段から締め処理信号を受信したことに基づいて、前記記録媒体発行処理に未だ供されていない残有価価値が当該遊技用装置に存在するか否かを判定する残有価価値判定を行う残有価価値判定手段と、
該残有価価値判定手段による残有価価値判定によって残有価価値が存在すると判定されたことを条件として報知を行う残有価価値報知手段と、をさらに有することを特徴とする遊技用システム。
【請求項２】
遊技機に対応して設けられ、
貨幣を受け付ける貨幣受付手段と、
遊技媒体の貸与に使用可能な有価価値の大きさを特定するための情報が記録された記録媒体を受け付ける記録媒体受付手段と、
前記貨幣受付手段により受け付けた貨幣の金額である受付貨幣額に相当する有価価値の大きさの範囲内における所定の大きさの有価価値を使用して遊技媒体を貸与するための第１の貸与処理を行うと共に、前記記録媒体受付手段により受け付けた記録媒体の記録情報から特定される有価価値の大きさの範囲内における所定の大きさの有価価値を使用して遊技媒体を貸与するための第２の貸与処理を行う貸与制御部と、
前記記録媒体を複数収納する記録媒体収納部と、
前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段と、
前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段と、を有する遊技用装置と、
各遊技用装置毎に、少なくとも前記記録媒体発行処理に未だ供されていない前記残有価価値の大きさを管理する残有価価値管理手段と、
当該遊技場の営業終了に伴う締め処理を実行する際に、前記残有価価値管理手段で管理している残有価価値の大きさが零であるか否かを遊技用装置毎に判定する残有価価値判定を行う残有価価値判定手段と、
該残有価価値判定手段による残有価価値判定によって前記残有価価値管理手段で管理している残有価価値の大きさが零でないと判定された遊技用装置に対して、前記記録媒体発行処理に供されていない残有価価値が存在する旨を示す報知指示信号を送信する報知指示信号送信手段と、
前記遊技用装置に対して前記締め処理を実行する旨を示す締め処理信号を送信する締め処理信号送信手段と、を有する管理装置と、
を備える遊技用システムであって、
前記管理装置又は前記遊技用装置は、
前記記録媒体収納部に収納される記録媒体数に対する第１上限値及び第１下限値を設定する第１設定手段と、
前記記録媒体収納部に収納される記録媒体数に対する前記第１上限値よりも低い第２上限値を設定する第２上限値設定手段と、をさらに有し、
前記遊技用装置は、
前記記録媒体収納部に収納される記録媒体数を計数する計数手段と、
前記締め処理信号送信手段から締め処理信号を受信するまでの営業時間中において、前記計数された記録媒体数が前記第１設定手段により設定された第１上限値以上であるか否かを判定する第１上限値判定手段と、
該第１上限値判定手段により第１上限値以上であると判定されたことを条件として、当該第１上限値以上である旨を報知する第１上限値報知手段と、
前記営業時間中において、前記計数された記録媒体数が前記第１設定手段により設定された第１下限値以下であるか否かを判定する第１下限値判定手段と、
該第１下限値判定手段により第１下限値以下であると判定されたことを条件として、当該第１下限値以下である旨を報知する第１下限値報知手段と、
前記締め処理信号送信手段から締め処理信号を受信したことに基づいて、前記計数された記録媒体数が前記第２上限値設定手段により設定された第２上限値以上であるか否かを判定する第２上限値判定を行う締め処理時判定手段と、
該締め処理時判定手段による第２上限値判定によって第２上限値以上であると判定されたことを条件として報知を行う締め処理時報知手段と、
前記報知指示信号送信手段から報知指示信号を受信したことを条件として報知を行う残有価価値報知手段と、をさらに有することを特徴とする遊技用システム。
【請求項３】
請求項１又は２に記載した遊技用システムであって、
前記遊技用装置は、
前記記録媒体収納部からの前記記録媒体の回収及び前記記録媒体収納部への前記記録媒体の補充を行うための保守状態に移行するための保守状態移行要求を受け付ける保守状態移行要求受付手段と、
前記営業時間中においては、前記保守状態移行要求受付手段による保守状態移行要求の受付に基づいて前記保守状態に移行する処理を行う一方、前記締め処理時判定手段による第２上限値判定によって第２上限値以上であると判定されたときには、前記保守状態移行要求受付手段による保守状態移行要求の受付によらず前記保守状態に移行する処理を行う保守状態移行処理手段と、をさらに有することを特徴とする遊技用システム。
【請求項４】
請求項１〜３のいずれか１つに記載した遊技用システムであって、
前記管理装置又は前記遊技用装置は、
前記記録媒体収納部に収納される記録媒体数に対する前記第１下限値よりも高い第２下限値を設定する第２下限値設定手段をさらに有し、
前記締め処理時判定手段は、前記締め処理信号送信手段から締め処理信号を受信したことに基づいて、前記記録媒体数が前記第２下限値設定手段により設定された第２下限値以下であるか否かを判定する第２下限値判定を行い、
前記締め処理時報知手段は、該締め処理時判定手段による第２下限値判定によって第２下限値以下であると判定されたことを条件として報知を行うことを特徴とする遊技用システム。
【請求項５】
請求項１〜４のいずれか１つに記載した遊技用システムであって、
前記遊技用装置は、前記締め処理時判定手段による第２上限値判定によって第２上限値以上であると判定されたことを条件として、前記記録媒体収納部に収納されている記録媒体を、前記記録媒体を前記記録媒体受付手段に挿入するための記録媒体挿入口から当該遊技用装置外部に排出するための処理を行う記録媒体排出処理手段をさらに有することを特徴とする遊技用システム。
【請求項６】
請求項１〜５のいずれか１つに記載した遊技用システムであって、
前記管理装置又は前記遊技用装置は、
前記第２上限値の設定を有効にするか否かを設定する第２上限値有効設定手段をさらに有し、
前記締め処理時判定手段は、前記締め処理信号送信手段から締め処理信号を受信したときに、前記第２上限値有効設定手段により前記第２上限値の設定を有効にする旨が設定されているときには、前記第２上限値判定を行う一方、前記第２上限値の設定を有効としない旨が設定されているときには、前記計数された記録媒体数が前記記録媒体収納部に収納される記録媒体数の収納限界値に達しているか否かを判定する収納限界値判定を行い、
前記締め処理時報知手段は、該締め処理時判定手段による第２上限値判定によって第２上限値以上であると判定されたこと又は収納限界値判定によって収納限界値に達していると判定されたことを条件として報知を行うことを特徴とする遊技用システム。
【請求項７】
遊技機に対応して設けられ、
貨幣を受け付ける貨幣受付手段と、
遊技媒体の貸与に使用可能な有価価値の大きさを特定するための情報が記録された記録媒体を受け付ける記録媒体受付手段と、
前記貨幣受付手段により受け付けた貨幣の金額である受付貨幣額に相当する有価価値の大きさの範囲内における所定の大きさの有価価値を使用して遊技媒体を貸与するための第１の貸与処理を行うと共に、前記記録媒体受付手段により受け付けた記録媒体の記録情報から特定される有価価値の大きさの範囲内における所定の大きさの有価価値を使用して遊技媒体を貸与するための第２の貸与処理を行う貸与制御部と、
前記記録媒体を複数収納する記録媒体収納部と、
前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段と、
前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段と、を有する遊技用装置と、
該遊技用装置に対して当該遊技場の営業終了に伴う締め処理を実行する旨を示す締め処理信号を送信する締め処理信号送信手段を有する管理装置と、
を備える遊技用システムであって、
前記管理装置又は前記遊技用装置は、
前記記録媒体収納部に収納される記録媒体数に対する第１上限値及び第１下限値を設定する第１設定手段と、
前記記録媒体収納部に収納される記録媒体数に対する前記第１下限値よりも高い第２下限値を設定する第２下限値設定手段と、をさらに有し、
前記遊技用装置は、
前記記録媒体収納部に収納される記録媒体数を計数する計数手段と、
前記締め処理信号送信手段から締め処理信号を受信するまでの営業時間中において、前記計数された記録媒体数が前記第１設定手段により設定された第１上限値以上であるか否かを判定する第１上限値判定手段と、
該第１上限値判定手段により第１上限値以上であると判定されたことを条件として、当該第１上限値以上である旨を報知する第１上限値報知手段と、
前記営業時間中において、前記計数された記録媒体数が前記第１設定手段により設定された第１下限値以下であるか否かを判定する第１下限値判定手段と、
該第１下限値判定手段により第１下限値以下であると判定されたことを条件として、当該第１下限値以下である旨を報知する第１下限値報知手段と、
前記締め処理信号送信手段から締め処理信号を受信したことに基づいて、前記計数された記録媒体数が前記第２下限値設定手段により設定された第２下限値以下であるか否かを判定する第２下限値判定を行う締め処理時判定手段と、
該締め処理時判定手段による第２下限値判定によって第２下限値以下であると判定されたことを条件として報知を行う締め処理時報知手段と、
前記締め処理信号送信手段から締め処理信号を受信したことに基づいて、前記記録媒体発行処理に未だ供されていない残有価価値が当該遊技用装置に存在するか否かを判定する残有価価値判定を行う残有価価値判定手段と、
該残有価価値判定手段による残有価価値判定によって残有価価値が存在すると判定されたことを条件として報知を行う残有価価値報知手段と、をさらに有することを特徴とする遊技用システム。
【請求項８】
遊技機に対応して設けられ、
貨幣を受け付ける貨幣受付手段と、
遊技媒体の貸与に使用可能な有価価値の大きさを特定するための情報が記録された記録媒体を受け付ける記録媒体受付手段と、
前記貨幣受付手段により受け付けた貨幣の金額である受付貨幣額に相当する有価価値の大きさの範囲内における所定の大きさの有価価値を使用して遊技媒体を貸与するための第１の貸与処理を行うと共に、前記記録媒体受付手段により受け付けた記録媒体の記録情報から特定される有価価値の大きさの範囲内における所定の大きさの有価価値を使用して遊技媒体を貸与するための第２の貸与処理を行う貸与制御部と、
前記記録媒体を複数収納する記録媒体収納部と、
前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段と、
前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段と、を有する遊技用装置と、
各遊技用装置毎に、少なくとも前記記録媒体発行処理に未だ供されていない前記残有価価値の大きさを管理する残有価価値管理手段と、
当該遊技場の営業終了に伴う締め処理を実行する際に、前記残有価価値管理手段で管理している残有価価値の大きさが零であるか否かを遊技用装置毎に判定する残有価価値判定を行う残有価価値判定手段と、
該残有価価値判定手段による残有価価値判定によって前記残有価価値管理手段で管理している残有価価値の大きさが零でないと判定された遊技用装置に対して、前記記録媒体発行処理に供されていない残有価価値が存在する旨を示す報知指示信号を送信する報知指示信号送信手段と、
前記遊技用装置に対して前記締め処理を実行する旨を示す締め処理信号を送信する締め処理信号送信手段と、を有する管理装置と、
を備える遊技用システムであって、
前記管理装置又は前記遊技用装置は、
前記記録媒体収納部に収納される記録媒体数に対する第１上限値及び第１下限値を設定する第１設定手段と、
前記記録媒体収納部に収納される記録媒体数に対する前記第１下限値よりも高い第２下限値を設定する第２下限値設定手段と、をさらに有し、
前記遊技用装置は、
前記記録媒体収納部に収納される記録媒体数を計数する計数手段と、
前記締め処理信号送信手段から締め処理信号を受信するまでの営業時間中において、前記計数された記録媒体数が前記第１設定手段により設定された第１上限値以上であるか否かを判定する第１上限値判定手段と、
該第１上限値判定手段により第１上限値以上であると判定されたことを条件として、当該第１上限値以上である旨を報知する第１上限値報知手段と、
前記営業時間中において、前記計数された記録媒体数が前記第１設定手段により設定された第１下限値以下であるか否かを判定する第１下限値判定手段と、
該第１下限値判定手段により第１下限値以下であると判定されたことを条件として、当該第１下限値以下である旨を報知する第１下限値報知手段と、
前記締め処理信号送信手段から締め処理信号を受信したことに基づいて、前記計数された記録媒体数が前記第２下限値設定手段により設定された第２下限値以下であるか否かを判定する第２下限値判定を行う締め処理時判定手段と、
該締め処理時判定手段による第２下限値判定によって第２下限値以下であると判定されたことを条件として報知を行う締め処理時報知手段と、
前記報知指示信号送信手段から報知指示信号を受信したことを条件として報知を行う残有価価値報知手段と、をさらに有することを特徴とする遊技用システム。
【請求項９】
請求項７又は８に記載した遊技用システムであって、
前記遊技用装置は、
前記記録媒体収納部からの前記記録媒体の回収及び前記記録媒体収納部への前記記録媒体の補充を行うための保守状態に移行するための保守状態移行要求を受け付ける保守状態移行要求受付手段と、
前記営業時間中においては、前記保守状態移行要求受付手段による保守状態移行要求の受付に基づいて前記保守状態に移行する処理を行う一方、前記締め処理時判定手段による第２下限値判定によって第２下限値以下であると判定されたときには、前記保守状態移行要求受付手段による保守状態移行要求の受付によらず前記保守状態に移行する処理を行う保守状態移行処理手段と、をさらに有することを特徴とする遊技用システム。
【請求項１０】
請求項７〜９のいずれか１つに記載した遊技用システムであって、
前記記録媒体収納処理手段は、前記締め処理時判定手段による第２下限値判定によって第２下限値以下であると判定されたことを条件として、前記記録情報から特定される有価価値の大きさが零である記録媒体が、前記記録媒体を前記記録媒体受付手段に挿入するための記録媒体挿入口から挿入されたときに、該挿入された記録媒体を前記記録媒体収納部に収納するための処理を行うことを特徴とする遊技用システム。
【請求項１１】
請求項７〜１０のいずれか１つに記載した遊技用システムであって、
前記管理装置又は前記遊技用装置は、
前記第２下限値の設定を有効にするか否かを設定する第２下限値有効設定手段をさらに有し、
前記締め処理時判定手段は、前記締め処理信号送信手段から締め処理信号を受信したときに、前記第２下限値有効設定手段により前記第２下限値の設定を有効にする旨が設定されているときには、前記第２下限値判定を行う一方、前記第２下限値の設定を有効としない旨が設定されているときには、前記計数された記録媒体数が零であるか否かを判定する零判定を行い、
前記締め処理時報知手段は、該締め処理時判定手段による第２下限値判定によって第２下限値以下であると判定されたこと又は零判定によって零であると判定されたことを条件として報知を行うことを特徴とする遊技用システム。
【請求項１２】
請求項１〜１１のいずれか１つに記載した遊技用システムであって、
前記遊技用装置は、前記残有価価値報知手段により報知が行われている状態で、記録媒体の発行操作を受け付けたことに基づいて、前記記録媒体発行処理手段により記録媒体発行処理を行った後、前記残有価価値報知手段による報知を終了することを特徴とする遊技用システム。
【請求項１３】
請求項１〜１２のいずれか１つに記載した遊技用システムであって、
前記遊技用装置は、前記残有価価値報知手段により報知が行われている状態で、記録媒体の発行操作を受け付けたことに基づいて、前記記録媒体発行処理手段により記録媒体発行処理を行った後、該記録媒体発行処理を行った旨を示す発行情報を前記管理装置に対して送信し、前記残有価価値報知手段による報知を終了し、
前記管理装置は、
前記遊技用装置から受信した発行情報を記憶する発行情報記憶手段と、
該発行情報記憶手段で記憶している発行情報を視認可能な態様で出力する出力手段と、をさらに有することを特徴とする遊技用システム。
【発明の詳細な説明】
【技術分野】
【０００１】
本発明は、遊技機に対応して設けられ、貨幣受付手段により受け付けた貨幣の金額である受付貨幣額に相当する有価価値の大きさの範囲内における所定の大きさの有価価値を使用して遊技媒体を貸与するための第１の貸与処理を行うと共に、記録媒体受付手段により受け付けた記録媒体の記録情報から特定される有価価値の大きさの範囲内における所定の大きさの有価価値を使用して遊技媒体を貸与するための第２の貸与処理を行う遊技用装置と、該遊技用装置に対して当該遊技場の営業終了に伴う締め処理を実行する旨を示す締め処理信号を送信する締め処理信号送信手段を有する管理装置と、を備える遊技用システムに関する。
【背景技術】
【０００２】
従来より、例えば特許文献１に示すように、遊技機台間に設けられ、カードを収納するカード収納部を備え、収納されているカードに残額を記録して発行すると共に、外部から受け付けたカードの残額が零になって引き続き使用しない場合には、前記カード収納部に収納するカード発行装置が知られている。
【０００３】
また、例えば特許文献２に示すように、遊技場の営業が終了した後に、システムコントローラから動作停止要求を受けたことに基づいて、カードの挿入を禁止して動作停止するカードユニットが知られている。
【０００４】
【特許文献１】特開２００１−３４８１５号公報（図１，段落００２８，段落００３９）
【特許文献２】特開２００３−１９０６１０号公報（図２２，段落０１６６）
【発明の開示】
【発明が解決しようとする課題】
【０００５】
しかしながら、上記特許文献１のような遊技用装置（カード発行装置）では、遊技終了時に遊技者が、残額の記録されたカードを受け取ることを忘れた場合等に、該残額が遊技用装置に残存した状態のまま遊技場が閉店となり、翌日の開店後に遊技者が遊技を行う遊技機を選択する際に、遊技用装置に前日分の残額が残存している状態であることにより該遊技用装置に対応する遊技機が既に占有されている（他の遊技者によって遊技が行われようとしている）と誤って判断することで、該遊技機での遊技が行われずに遊技機の稼働率が低下するという問題があった。
【０００６】
本発明は、このような背景のもとになされたものであり、その第１の目的は、遊技用装置に残額が残存した状態で翌日の開店を迎えることを防ぐことにより、遊技機の稼働率の低下を防止する遊技用システムを提供することにある。
【０００７】
ここで、上記特許文献１のような遊技用装置（カード発行装置）に対して上記特許文献２のような動作停止要求を送信する遊技用システムを構成した場合において、遊技用装置の動作停止時に前記カード収納部に収納されているカード枚数が、収納可能な収納限界値（ＦＵＬＬ）又は零（ＥＭＰＴＹ）に近いと、翌日の営業開始後に比較的短い時間内で前記カード収納部がＦＵＬＬ又はＥＭＰＴＹの状態となってしまうおそれがある。これによって、遊技場の営業時間内での店員によるカードの回収作業や補充作業が必要となってしまい、円滑な営業の妨げとなる問題がある。
【０００８】
本発明は、このような背景のもとになされたものであり、その第２の目的は、遊技場の営業時間内での店員によるカードの回収作業や補充作業を極力不要とすることにより、円滑な営業を行うことができるような遊技用システムを提供することにある。
【課題を解決するための手段】
【０００９】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【００１０】
まず請求項１に係る発明は、遊技機（パチンコ機１０）に対応して設けられ、貨幣（紙幣２，硬貨３）を受け付ける貨幣受付手段（紙幣識別機２３，硬貨識別機２４）と、遊技媒体（パチンコ玉）の貸与に使用可能な有価価値の大きさ（カード残額，管理残額）を特定するための情報（カード残額，カードＩＤ）が記録された記録媒体（一般カード５）を受け付ける記録媒体受付手段（カードＲ／Ｗ２７）と、前記貨幣受付手段により受け付けた貨幣の金額である受付貨幣額（入金額）に相当する有価価値の大きさの範囲内における所定の大きさの有価価値を使用して遊技媒体を貸与するための第１の貸与処理（カード玉貸処理）を行うと共に、前記記録媒体受付手段により受け付けた記録媒体の記録情報から特定される有価価値の大きさの範囲内における所定の大きさの有価価値を使用して遊技媒体を貸与するための第２の貸与処理（カード玉貸処理）を行う貸与制御部（ユニット制御部２２）と、前記記録媒体を複数収納する記録媒体収納部（カードＲ／Ｗ２７，カードストッカ２８）と、前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段（カードＲ／Ｗ制御部２９）と、前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段（カードＲ／Ｗ制御部２９）と、を有する遊技用装置（カードユニット２０）と、該遊技用装置に対して当該遊技場の営業終了に伴う締め処理を実行する旨を示す締め処理信号を送信する締め処理信号送信手段（ユニット用通信部６１ａ）を有する管理装置（システムコントローラ６０）と、を備える遊技用システム（１）であって、前記管理装置又は前記遊技用装置は、前記記録媒体収納部に収納される記録媒体数（ストック枚数）に対する第１上限値及び第１下限値を設定する第１設定手段（ユニット制御部２２）と、前記記録媒体収納部に収納される記録媒体数に対する前記第１上限値よりも低い第２上限値を設定する第２上限値設定手段（カードＲ／Ｗ制御部２９）と、をさらに有し、前記遊技用装置は、前記記録媒体収納部に収納される記録媒体数を計数する計数手段（カードＲ／Ｗ制御部２９）と、前記締め処理信号送信手段から締め処理信号を受信するまでの営業時間中において、前記計数された記録媒体数が前記第１設定手段により設定された第１上限値以上であるか否かを判定する第１上限値判定手段（ユニット制御部２２）と、該第１上限値判定手段により第１上限値以上であると判定されたことを条件として、当該第１上限値以上である旨を報知する第１上限値報知手段（多機能ランプ２６）と、前記営業時間中において、前記計数された記録媒体数が前記第１設定手段により設定された第１下限値以下であるか否かを判定する第１下限値判定手段（ユニット制御部２２）と、該第１下限値判定手段により第１下限値以下であると判定されたことを条件として、当該第１下限値以下である旨を報知する第１下限値報知手段（多機能ランプ２６）と、前記締め処理信号送信手段から締め処理信号を受信したことに基づいて、前記計数された記録媒体数が前記第２上限値設定手段により設定された第２上限値以上であるか否かを判定する第２上限値判定を行う締め処理時判定手段（ユニット制御部２２）と、該締め処理時判定手段による第２上限値判定によって第２上限値以上であると判定されたことを条件として報知を行う締め処理時報知手段（多機能ランプ２６）と、前記締め処理信号送信手段から締め処理信号を受信したことに基づいて、前記記録媒体発行処理に未だ供されていない残有価価値が当該遊技用装置に存在するか否かを判定する残有価価値判定を行う残有価価値判定手段（カードＲ／Ｗ制御部２９）と、該残有価価値判定手段による残有価価値判定によって残有価価値が存在すると判定されたことを条件として報知を行う残有価価値報知手段（多機能ランプ２６）と、をさらに有することを特徴とする遊技用システムである。
【００１１】
また請求項２に係る発明は、遊技機（パチンコ機１０）に対応して設けられ、貨幣（紙幣２，硬貨３）を受け付ける貨幣受付手段（紙幣識別機２３，硬貨識別機２４）と、遊技媒体（パチンコ玉）の貸与に使用可能な有価価値の大きさ（カード残額，管理残額）を特定するための情報（カード残額，カードＩＤ）が記録された記録媒体（一般カード５）を受け付ける記録媒体受付手段（カードＲ／Ｗ２７）と、前記貨幣受付手段により受け付けた貨幣の金額である受付貨幣額（入金額）に相当する有価価値の大きさの範囲内における所定の大きさの有価価値を使用して遊技媒体を貸与するための第１の貸与処理（カード玉貸処理）を行うと共に、前記記録媒体受付手段により受け付けた記録媒体の記録情報から特定される有価価値の大きさの範囲内における所定の大きさの有価価値を使用して遊技媒体を貸与するための第２の貸与処理（カード玉貸処理）を行う貸与制御部（ユニット制御部２２’）と、前記記録媒体を複数収納する記録媒体収納部（カードＲ／Ｗ２７，カードストッカ２８）と、前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段（カードＲ／Ｗ制御部２９’）と、前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段（カードＲ／Ｗ制御部２９’）と、を有する遊技用装置（カードユニット２０’）と、各遊技用装置毎に、少なくとも前記記録媒体発行処理に未だ供されていない前記残有価価値の大きさを管理する残有価価値管理手段（残額ＤＢ，カードユニットＤＢ）と、当該遊技場の営業終了に伴う締め処理を実行する際に、前記残有価価値管理手段で管理している残有価価値の大きさが零であるか否かを遊技用装置毎に判定する残有価価値判定を行う残有価価値判定手段（制御部６２’）と、該残有価価値判定手段による残有価価値判定によって前記残有価価値管理手段で管理している残有価価値の大きさが零でないと判定された遊技用装置に対して、前記記録媒体発行処理に供されていない残有価価値が存在する旨を示す報知指示信号を送信する報知指示信号送信手段（ユニット用通信部６１ａ’）と、前記遊技用装置に対して前記締め処理を実行する旨を示す締め処理信号を送信する締め処理信号送信手段（ユニット用通信部６１ａ’）と、を有する管理装置（システムコントローラ６０’）と、を備える遊技用システム（１’）であって、前記管理装置又は前記遊技用装置は、前記記録媒体収納部に収納される記録媒体数（ストック枚数）に対する第１上限値及び第１下限値を設定する第１設定手段（ユニット制御部２２’）と、前記記録媒体収納部に収納される記録媒体数に対する前記第１上限値よりも低い第２上限値を設定する第２上限値設定手段（カードＲ／Ｗ制御部２９’）と、をさらに有し、前記遊技用装置は、前記記録媒体収納部に収納される記録媒体数を計数する計数手段（カードＲ／Ｗ制御部２９’）と、前記締め処理信号送信手段から締め処理信号を受信するまでの営業時間中において、前記計数された記録媒体数が前記第１設定手段により設定された第１上限値以上であるか否かを判定する第１上限値判定手段（ユニット制御部２２’）と、該第１上限値判定手段により第１上限値以上であると判定されたことを条件として、当該第１上限値以上である旨を報知する第１上限値報知手段（多機能ランプ２６’）と、前記営業時間中において、前記計数された記録媒体数が前記第１設定手段により設定された第１下限値以下であるか否かを判定する第１下限値判定手段（ユニット制御部２２’）と、該第１下限値判定手段により第１下限値以下であると判定されたことを条件として、当該第１下限値以下である旨を報知する第１下限値報知手段（多機能ランプ２６’）と、前記締め処理信号送信手段から締め処理信号を受信したことに基づいて、前記計数された記録媒体数が前記第２上限値設定手段により設定された第２上限値以上であるか否かを判定する第２上限値判定を行う締め処理時判定手段（ユニット制御部２２’）と、該締め処理時判定手段による第２上限値判定によって第２上限値以上であると判定されたことを条件として報知を行う締め処理時報知手段（多機能ランプ２６’）と、前記報知指示信号送信手段から報知指示信号を受信したことを条件として報知を行う残有価価値報知手段（多機能ランプ２６’）と、をさらに有することを特徴とする遊技用システムである。
【００１２】
また請求項３に係る発明は、請求項１又は２に記載した遊技用システム（１，１’）であって、前記遊技用装置（カードユニット２０，２０’）は、前記記録媒体収納部（カードＲ／Ｗ２７，カードストッカ２８）からの前記記録媒体（一般カード５）の回収及び前記記録媒体収納部への前記記録媒体の補充を行うための保守状態（メンテナンスモード）に移行するための保守状態移行要求（メンテナンスモード移行要求）を受け付ける保守状態移行要求受付手段（赤外線受信部２５ｂ）と、前記営業時間中においては、前記保守状態移行要求受付手段による保守状態移行要求の受付に基づいて前記保守状態に移行する処理を行う一方、前記締め処理時判定手段（ユニット制御部２２，２２’）による第２上限値判定によって第２上限値以上であると判定されたときには、前記保守状態移行要求受付手段による保守状態移行要求の受付によらず前記保守状態に移行する処理を行う保守状態移行処理手段（ユニット制御部２２，２２’）と、をさらに有することを特徴とする遊技用システムである。
【００１３】
また請求項４に係る発明は、請求項１〜３のいずれか１つに記載した遊技用システム（１，１’）であって、前記管理装置（システムコントローラ６０，６０’）又は前記遊技用装置（カードユニット２０，２０’）は、前記記録媒体収納部（カードＲ／Ｗ２７，カードストッカ２８）に収納される記録媒体数（ストック枚数）に対する前記第１下限値よりも高い第２下限値を設定する第２下限値設定手段（カードＲ／Ｗ制御部２９，２９’）をさらに有し、前記締め処理時判定手段（ユニット制御部２２，２２’）は、前記締め処理信号送信手段（ユニット用通信部６１ａ，６１ａ’）から締め処理信号を受信したことに基づいて、前記記録媒体数が前記第２下限値設定手段により設定された第２下限値以下であるか否かを判定する第２下限値判定を行い、前記締め処理時報知手段（多機能ランプ２６，２６’）は、該締め処理時判定手段による第２下限値判定によって第２下限値以下であると判定されたことを条件として報知を行うことを特徴とする遊技用システムである。
【００１４】
また請求項５に係る発明は、請求項１〜４のいずれか１つに記載した遊技用システム（１，１’）であって、前記遊技用装置（カードユニット２０，２０’）は、前記締め処理時判定手段（ユニット制御部２２，２２’）による第２上限値判定によって第２上限値以上であると判定されたことを条件として、前記記録媒体収納部（カードＲ／Ｗ２７，カードストッカ２８）に収納されている記録媒体（一般カード５）を、前記記録媒体を前記記録媒体受付手段（カードＲ／Ｗ２７）に挿入するための記録媒体挿入口（カード挿入口２７ａ）から当該遊技用装置外部に排出するための処理を行う記録媒体排出処理手段（カードＲ／Ｗ制御部２９，２９’）をさらに有することを特徴とする遊技用システムである。
【００１５】
また請求項６に係る発明は、請求項１〜５のいずれか１つに記載した遊技用システム（１，１’）であって、前記管理装置（システムコントローラ６０，６０’）又は前記遊技用装置（カードユニット２０，２０’）は、前記第２上限値の設定を有効にするか否かを設定する第２上限値有効設定手段（カードＲ／Ｗ制御部２９，２９’）をさらに有し、前記締め処理時判定手段（ユニット制御部２２，２２’）は、前記締め処理信号送信手段（ユニット用通信部６１ａ，６１ａ’）から締め処理信号を受信したときに、前記第２上限値有効設定手段により前記第２上限値の設定を有効にする旨が設定されているときには、前記第２上限値判定を行う一方、前記第２上限値の設定を有効としない旨が設定されているときには、前記計数された記録媒体数（ストック枚数）が前記記録媒体収納部（カードＲ／Ｗ２７，カードストッカ２８）に収納される記録媒体数の収納限界値（１０）に達しているか否かを判定する収納限界値判定を行い、前記締め処理時報知手段（多機能ランプ２６，２６’）は、該締め処理時判定手段による第２上限値判定によって第２上限値以上であると判定されたこと又は収納限界値判定によって収納限界値に達していると判定されたことを条件として報知を行うことを特徴とする遊技用システムである。
【００１６】
また請求項７に係る発明は、遊技機（パチンコ機１０）に対応して設けられ、貨幣（紙幣２，硬貨３）を受け付ける貨幣受付手段（紙幣識別機２３，硬貨識別機２４）と、遊技媒体（パチンコ玉）の貸与に使用可能な有価価値の大きさ（カード残額，管理残額）を特定するための情報（カード残額，カードＩＤ）が記録された記録媒体（一般カード５）を受け付ける記録媒体受付手段（カードＲ／Ｗ２７）と、前記貨幣受付手段により受け付けた貨幣の金額である受付貨幣額（入金額）に相当する有価価値の大きさの範囲内における所定の大きさの有価価値を使用して遊技媒体を貸与するための第１の貸与処理（カード玉貸処理）を行うと共に、前記記録媒体受付手段により受け付けた記録媒体の記録情報から特定される有価価値の大きさの範囲内における所定の大きさの有価価値を使用して遊技媒体を貸与するための第２の貸与処理（カード玉貸処理）を行う貸与制御部（ユニット制御部２２）と、前記記録媒体を複数収納する記録媒体収納部（カードＲ／Ｗ２７，カードストッカ２８）と、前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段（カードＲ／Ｗ制御部２９）と、前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段（カードＲ／Ｗ制御部２９）と、を有する遊技用装置（カードユニット２０）と、該遊技用装置に対して当該遊技場の営業終了に伴う締め処理を実行する旨を示す締め処理信号を送信する締め処理信号送信手段（ユニット用通信部６１ａ）を有する管理装置（システムコントローラ６０）と、を備える遊技用システム（１）であって、前記管理装置又は前記遊技用装置は、前記記録媒体収納部に収納される記録媒体数（ストック枚数）に対する第１上限値及び第１下限値を設定する第１設定手段（ユニット制御部２２）と、前記記録媒体収納部に収納される記録媒体数に対する前記第１下限値よりも高い第２下限値を設定する第２下限値設定手段（カードＲ／Ｗ制御部２９）と、をさらに有し、前記遊技用装置は、前記記録媒体収納部に収納される記録媒体数を計数する計数手段（カードＲ／Ｗ制御部２９）と、前記締め処理信号送信手段から締め処理信号を受信するまでの営業時間中において、前記計数された記録媒体数が前記第１設定手段により設定された第１上限値以上であるか否かを判定する第１上限値判定手段（ユニット制御部２２）と、該第１上限値判定手段により第１上限値以上であると判定されたことを条件として、当該第１上限値以上である旨を報知する第１上限値報知手段（多機能ランプ２６）と、前記営業時間中において、前記計数された記録媒体数が前記第１設定手段により設定された第１下限値以下であるか否かを判定する第１下限値判定手段（ユニット制御部２２）と、該第１下限値判定手段により第１下限値以下であると判定されたことを条件として、当該第１下限値以下である旨を報知する第１下限値報知手段（多機能ランプ２６）と、前記締め処理信号送信手段から締め処理信号を受信したことに基づいて、前記計数された記録媒体数が前記第２下限値設定手段により設定された第２下限値以下であるか否かを判定する第２下限値判定を行う締め処理時判定手段（ユニット制御部２２）と、該締め処理時判定手段による第２下限値判定によって第２下限値以下であると判定されたことを条件として報知を行う締め処理時報知手段（多機能ランプ２６）と、前記締め処理信号送信手段から締め処理信号を受信したことに基づいて、前記記録媒体発行処理に未だ供されていない残有価価値が当該遊技用装置に存在するか否かを判定する残有価価値判定を行う残有価価値判定手段（カードＲ／Ｗ制御部２９）と、該残有価価値判定手段による残有価価値判定によって残有価価値が存在すると判定されたことを条件として報知を行う残有価価値報知手段（多機能ランプ２６）と、をさらに有することを特徴とする遊技用システムである。
【００１７】
また請求項８に係る発明は、遊技機（パチンコ機１０）に対応して設けられ、貨幣（紙幣２，硬貨３）を受け付ける貨幣受付手段（紙幣識別機２３，硬貨識別機２４）と、遊技媒体（パチンコ玉）の貸与に使用可能な有価価値の大きさ（カード残額，管理残額）を特定するための情報（カード残額，カードＩＤ）が記録された記録媒体（一般カード５）を受け付ける記録媒体受付手段（カードＲ／Ｗ２７）と、前記貨幣受付手段により受け付けた貨幣の金額である受付貨幣額（入金額）に相当する有価価値の大きさの範囲内における所定の大きさの有価価値を使用して遊技媒体を貸与するための第１の貸与処理（カード玉貸処理）を行うと共に、前記記録媒体受付手段により受け付けた記録媒体の記録情報から特定される有価価値の大きさの範囲内における所定の大きさの有価価値を使用して遊技媒体を貸与するための第２の貸与処理（カード玉貸処理）を行う貸与制御部（ユニット制御部２２’）と、前記記録媒体を複数収納する記録媒体収納部（カードＲ／Ｗ２７，カードストッカ２８）と、前記受付貨幣額に相当する有価価値の大きさから前記第１の貸与処理により使用された有価価値の大きさを減算した後の残有価価値の大きさを前記記録媒体収納部に収納された記録媒体の記録情報から特定可能にして、該記録媒体を外部に発行する記録媒体発行処理を行う記録媒体発行処理手段（カードＲ／Ｗ制御部２９’）と、前記記録媒体受付手段により受け付けた記録媒体の記録情報から特定される有価価値の大きさが前記第２の貸与処理により零となったことを条件として、該記録媒体を前記記録媒体収納部に収納する処理を行う記録媒体収納処理手段（カードＲ／Ｗ制御部２９’）と、を有する遊技用装置（カードユニット２０’）と、各遊技用装置毎に、少なくとも前記記録媒体発行処理に未だ供されていない前記残有価価値の大きさを管理する残有価価値管理手段（残額ＤＢ，カードユニットＤＢ）と、当該遊技場の営業終了に伴う締め処理を実行する際に、前記残有価価値管理手段で管理している残有価価値の大きさが零であるか否かを遊技用装置毎に判定する残有価価値判定を行う残有価価値判定手段（制御部６２’）と、該残有価価値判定手段による残有価価値判定によって前記残有価価値管理手段で管理している残有価価値の大きさが零でないと判定された遊技用装置に対して、前記記録媒体発行処理に供されていない残有価価値が存在する旨を示す報知指示信号を送信する報知指示信号送信手段（ユニット用通信部６１ａ’）と、前記遊技用装置に対して前記締め処理を実行する旨を示す締め処理信号を送信する締め処理信号送信手段（ユニット用通信部６１ａ’）と、を有する管理装置（システムコントローラ６０’）と、を備える遊技用システム（１’）であって、前記管理装置又は前記遊技用装置は、前記記録媒体収納部に収納される記録媒体数（ストック枚数）に対する第１上限値及び第１下限値を設定する第１設定手段（ユニット制御部２２’）と、前記記録媒体収納部に収納される記録媒体数に対する前記第１下限値よりも高い第２下限値を設定する第２下限値設定手段（カードＲ／Ｗ制御部２９’）と、をさらに有し、前記遊技用装置は、前記記録媒体収納部に収納される記録媒体数を計数する計数手段（カードＲ／Ｗ制御部２９’）と、前記締め処理信号送信手段から締め処理信号を受信するまでの営業時間中において、前記計数された記録媒体数が前記第１設定手段により設定された第１上限値以上であるか否かを判定する第１上限値判定手段（ユニット制御部２２’）と、該第１上限値判定手段により第１上限値以上であると判定されたことを条件として、当該第１上限値以上である旨を報知する第１上限値報知手段（多機能ランプ２６’）と、前記営業時間中において、前記計数された記録媒体数が前記第１設定手段により設定された第１下限値以下であるか否かを判定する第１下限値判定手段（ユニット制御部２２’）と、該第１下限値判定手段により第１下限値以下であると判定されたことを条件として、当該第１下限値以下である旨を報知する第１下限値報知手段（多機能ランプ２６’）と、前記締め処理信号送信手段から締め処理信号を受信したことに基づいて、前記計数された記録媒体数が前記第２下限値設定手段により設定された第２下限値以下であるか否かを判定する第２下限値判定を行う締め処理時判定手段（ユニット制御部２２’）と、該締め処理時判定手段による第２下限値判定によって第２下限値以下であると判定されたことを条件として報知を行う締め処理時報知手段（多機能ランプ２６’）と、前記報知指示信号送信手段から報知指示信号を受信したことを条件として報知を行う残有価価値報知手段（多機能ランプ２６’）と、をさらに有することを特徴とする遊技用システムである。
【００１８】
また請求項９に係る発明は、請求項７又は８に記載した遊技用システム（１，１’）であって、前記遊技用装置（カードユニット２０，２０’）は、前記記録媒体収納部（カードＲ／Ｗ２７，カードストッカ２８）からの前記記録媒体（一般カード５）の回収及び前記記録媒体収納部への前記記録媒体の補充を行うための保守状態（メンテナンスモード）に移行するための保守状態移行要求（メンテナンスモード移行要求）を受け付ける保守状態移行要求受付手段（赤外線受信部２５ｂ）と、前記営業時間中においては、前記保守状態移行要求受付手段による保守状態移行要求の受付に基づいて前記保守状態に移行する処理を行う一方、前記締め処理時判定手段（ユニット制御部２２，２２’）による第２下限値判定によって第２下限値以下であると判定されたときには、前記保守状態移行要求受付手段による保守状態移行要求の受付によらず前記保守状態に移行する処理を行う保守状態移行処理手段（ユニット制御部２２，２２’）と、をさらに有することを特徴とする遊技用システムである。
【００１９】
また請求項１０に係る発明は、請求項７〜９のいずれか１つに記載した遊技用システム（１，１’）であって、前記記録媒体収納処理手段（カードＲ／Ｗ制御部２９，２９’）は、前記締め処理時判定手段（ユニット制御部２２，２２’）による第２下限値判定によって第２下限値以下であると判定されたことを条件として、前記記録情報から特定される有価価値の大きさが零である記録媒体（一般カード５）が、前記記録媒体を前記記録媒体受付手段（カードＲ／Ｗ２７）に挿入するための記録媒体挿入口（カード挿入口２７ａ）から挿入されたときに、該挿入された記録媒体を前記記録媒体収納部（カードＲ／Ｗ２７，カードストッカ２８）に収納するための処理を行うことを特徴とする遊技用システムである。
【００２０】
また請求項１１に係る発明は、請求項７〜１０のいずれか１つに記載した遊技用システム（１，１’）であって、前記管理装置（システムコントローラ６０，６０’）又は前記遊技用装置（カードユニット２０，２０’）は、前記第２下限値の設定を有効にするか否かを設定する第２下限値有効設定手段（カードＲ／Ｗ制御部２９，２９’）をさらに有し、前記締め処理時判定手段（ユニット制御部２２，２２’）は、前記締め処理信号送信手段（ユニット用通信部６１ａ，６１ａ’）から締め処理信号を受信したときに、前記第２下限値有効設定手段により前記第２下限値の設定を有効にする旨が設定されているときには、前記第２下限値判定を行う一方、前記第２下限値の設定を有効としない旨が設定されているときには、前記計数された記録媒体数（ストック枚数）が零であるか否かを判定する零判定を行い、前記締め処理時報知手段（多機能ランプ２６，２６’）は、該締め処理時判定手段による第２下限値判定によって第２下限値以下であると判定されたこと又は零判定によって零であると判定されたことを条件として報知を行うことを特徴とする遊技用システムである。
【００２１】
また請求項１２に係る発明は、請求項１〜１１のいずれか１つに記載した遊技用システム（１，１’）であって、前記遊技用装置（カードユニット２０，２０’）は、前記残有価価値報知手段（多機能ランプ２６，２６’）により報知が行われている状態で、記録媒体（一般カード５）の発行操作を受け付けたことに基づいて、前記記録媒体発行処理手段（カードＲ／Ｗ制御部２９，２９’）により記録媒体発行処理を行った後、前記残有価価値報知手段による報知を終了することを特徴とする遊技用システムである。
【００２２】
さらに請求項１３に係る発明は、請求項１〜１２のいずれか１つに記載した遊技用システム（１，１’）であって、前記遊技用装置（カードユニット２０，２０’）は、前記残有価価値報知手段（多機能ランプ２６，２６’）により報知が行われている状態で、記録媒体（一般カード５）の発行操作を受け付けたことに基づいて、前記記録媒体発行処理手段（カードＲ／Ｗ制御部２９，２９’）により記録媒体発行処理を行った後、該記録媒体発行処理を行った旨を示す発行情報を前記管理装置（システムコントローラ６０，６０’）に対して送信し、前記残有価価値報知手段（多機能ランプ２６，２６’）による報知を終了し、前記管理装置は、前記遊技用装置から受信した発行情報を記憶する発行情報記憶手段（ハードディスク６３，６３’）と、該発行情報記憶手段で記憶している発行情報を視認可能な態様で出力する出力手段（ディスプレイ６４）と、をさらに有することを特徴とする遊技用システムである。
【発明の効果】
【００２３】
まず請求項１に係る遊技用システムによれば、遊技用装置が締め処理信号を受信したことに基づいて、記録媒体発行処理に未だ供されていない残有価価値が当該遊技用装置に存在するか否かを判定し、残有価価値が存在すると判定されたことを条件として残有価価値報知手段による報知を行うので、遊技場の店員が残有価価値が存在する遊技用装置を確認して、適切な処理（例えば残有価価値が記録された記録媒体を排出する処理）を行うことにより、該遊技用装置に残有価価値が存在しない状態で翌日の開店を迎えることができる。これによって、遊技者が遊技を行う遊技機を選択する際に、遊技用装置に前日分の残有価価値が存在している状態であることにより該遊技用装置に対応する遊技機が既に占有されている（他の遊技者によって遊技が行われようとしている）と誤って判断することがなく、遊技機の稼働率の低下を防止することができる。また、遊技用装置が締め処理信号を受信したことに基づいて、記録媒体数が第２上限値以上であるか否かを判定し、第２上限値以上であると判定されたことを条件として締め処理時報知手段による報知を行うので、遊技場の店員は、記録媒体収納部に収納されている記録媒体数が第２上限値以上の遊技用装置を把握して、記録媒体の回収作業を行うことができる。これにより、適切な記録媒体数で翌日の営業開始を迎えることができ、遊技場の営業時間内での店員によるカードの回収作業が極力不要となるので、円滑な営業を行うことができる。
【００２４】
また請求項２に係る遊技用システムによれば、締め処理を実行する際に、管理装置が管理している残有価価値の大きさが零であるか否かを遊技用装置毎に判定して、残有価価値の大きさが零でないと判定された遊技用装置に対して報知指示信号を送信し、報知指示信号を受信した遊技用装置が残有価価値報知手段による報知を行うので、遊技場の店員が残有価価値が存在する遊技用装置を確認して、適切な処理（例えば残有価価値が記録された記録媒体を排出する処理）を行うことにより、該遊技用装置に残有価価値が存在しない状態で翌日の開店を迎えることができる。これによって、遊技者が遊技を行う遊技機を選択する際に、遊技用装置に前日分の残有価価値が存在している状態であることにより該遊技用装置に対応する遊技機が既に占有されている（他の遊技者によって遊技が行われようとしている）と誤って判断することがなく、遊技機の稼働率の低下を防止することができる。また、遊技用装置が締め処理信号を受信したことに基づいて、記録媒体数が第２上限値以上であるか否かを判定し、第２上限値以上であると判定されたことを条件として締め処理時報知手段による報知を行うので、遊技場の店員は、記録媒体収納部に収納されている記録媒体数が第２上限値以上の遊技用装置を把握して、記録媒体の回収作業を行うことができる。これにより、適切な記録媒体数で翌日の営業開始を迎えることができ、遊技場の営業時間内での店員によるカードの回収作業が極力不要となるので、円滑な営業を行うことができる。
【００２５】
また請求項３に係る遊技用システムによれば、遊技用装置において、記録媒体数が第２上限値以上であると判定されたときに、保守状態移行要求の受付によらず自動的に保守状態に移行するので、遊技用装置を保守状態に移行するための店員の操作が不要であり、店員の負担が軽減される。
【００２６】
また請求項４に係る遊技用システムによれば、遊技用装置が締め処理信号を受信したことに基づいて、記録媒体数が第２下限値以下であるか否かを判定し、第２下限値以下であると判定されたことを条件として締め処理時報知手段による報知を行うので、遊技場の店員は、記録媒体収納部に収納されている記録媒体数が第２下限値以下の遊技用装置を把握して、記録媒体の補充作業を行うことができる。これにより、適切な記録媒体数で翌日の営業開始を迎えることができ、遊技場の営業時間内での店員によるカードの補充作業が極力不要となるので、円滑な営業を行うことができる。
【００２７】
また請求項５に係る遊技用システムによれば、遊技用装置において、記録媒体数が第２上限値以上であると判定されたことを条件として、記録媒体収納部に収納されている記録媒体を、記録媒体挿入口から当該遊技用装置外部に排出するための処理を行うので、記録媒体を回収するために遊技機台間から遊技用装置を引き出して、遊技用装置の記録媒体収納部から記録媒体を取り出す作業等が不要であり、店員の回収作業の負担を軽減することができる。
【００２８】
また請求項６に係る遊技用システムによれば、記録媒体の回収作業を閉店時に行う遊技場において、第２上限値の設定を有効にする旨を設定することで、締め処理の際に、店員が、記録媒体数が第２上限値以上の遊技用装置を把握して、記録媒体の回収作業を行うことができる。これにより、適切な記録媒体数で翌日の営業開始を迎えることができ、遊技場の営業時間内での店員による記録媒体の回収作業が極力不要となるので、円滑な営業を行うことができる。一方、記録媒体の回収作業を閉店時に行わず翌営業日に行うことを希望する遊技場においては、第２上限値の設定を有効としない旨を設定することで、締め処理の際に、店員が、翌営業日の営業開始時点で動作に支障のある（記録媒体の挿入ができない）遊技用装置を把握して、記録媒体の回収作業を行うことができる。つまり、当日中に対応を行わなければならない必要最小限の遊技用装置に絞って回収作業を行うことが可能となり、遊技機の稼働率低下による売上の減少を回避することができる。
【００２９】
また請求項７に係る遊技用システムによれば、遊技用装置が締め処理信号を受信したことに基づいて、記録媒体発行処理に未だ供されていない残有価価値が当該遊技用装置に存在するか否かを判定し、残有価価値が存在すると判定されたことを条件として残有価価値報知手段による報知を行うので、遊技場の店員が残有価価値が存在する遊技用装置を確認して、適切な処理（例えば残有価価値が記録された記録媒体を排出する処理）を行うことにより、該遊技用装置に残有価価値が存在しない状態で翌日の開店を迎えることができる。これによって、遊技者が遊技を行う遊技機を選択する際に、遊技用装置に前日分の残有価価値が存在している状態であることにより該遊技用装置に対応する遊技機が既に占有されている（他の遊技者によって遊技が行われようとしている）と誤って判断することがなく、遊技機の稼働率の低下を防止することができる。また、遊技用装置が締め処理信号を受信したことに基づいて、記録媒体数が第２下限値以下であるか否かを判定し、第２下限値以下であると判定されたことを条件として締め処理時報知手段による報知を行うので、遊技場の店員は、記録媒体収納部に収納されている記録媒体数が第２下限値以下の遊技用装置を把握して、記録媒体の補充作業を行うことができる。これにより、適切な記録媒体数で翌日の営業開始を迎えることができ、遊技場の営業時間内での店員によるカードの補充作業が極力不要となるので、円滑な営業を行うことができる。
【００３０】
また請求項８に係る遊技用システムによれば、締め処理を実行する際に、管理装置が管理している残有価価値の大きさが零であるか否かを遊技用装置毎に判定して、残有価価値の大きさが零でないと判定された遊技用装置に対して報知指示信号を送信し、報知指示信号を受信した遊技用装置が残有価価値報知手段による報知を行うので、遊技場の店員が残有価価値が存在する遊技用装置を確認して、適切な処理（例えば残有価価値が記録された記録媒体を排出する処理）を行うことにより、該遊技用装置に残有価価値が存在しない状態で翌日の開店を迎えることができる。これによって、遊技者が遊技を行う遊技機を選択する際に、遊技用装置に前日分の残有価価値が存在している状態であることにより該遊技用装置に対応する遊技機が既に占有されている（他の遊技者によって遊技が行われようとしている）と誤って判断することがなく、遊技機の稼働率の低下を防止することができる。また、遊技用装置が締め処理信号を受信したことに基づいて、記録媒体数が第２下限値以下であるか否かを判定し、第２下限値以下であると判定されたことを条件として締め処理時報知手段による報知を行うので、遊技場の店員は、記録媒体収納部に収納されている記録媒体数が第２下限値以下の遊技用装置を把握して、記録媒体の補充作業を行うことができる。これにより、適切な記録媒体数で翌日の営業開始を迎えることができ、遊技場の営業時間内での店員によるカードの補充作業が極力不要となるので、円滑な営業を行うことができる。
【００３１】
また請求項９に係る遊技用システムによれば、遊技用装置において、記録媒体数が第２下限値以下であると判定されたときに、保守状態移行要求の受付によらず自動的に保守状態に移行するので、遊技用装置を保守状態に移行するための店員の操作が不要であり、店員の負担が軽減される。
【００３２】
また請求項１０に係る遊技用システムによれば、遊技用装置において、記録媒体数が第２下限値以下であると判定されたことを条件として、記録媒体が記録媒体挿入口から挿入されたときに、該挿入された記録媒体を記録媒体収納部に収納するための処理を行うので、記録媒体を補充するために遊技機台間から遊技用装置を引き出して、遊技用装置の記録媒体収納部に記録媒体を補充する作業等が不要であり、店員の補充作業の負担を軽減することができる。
【００３３】
また請求項１１に係る遊技用システムによれば、記録媒体の補充作業を閉店時に行う遊技場において、第２下限値の設定を有効にする旨を設定することで、締め処理の際に、店員が、記録媒体数が第２下限値以下の遊技用装置を把握して、記録媒体の補充作業を行うことができる。これにより、適切な記録媒体数で翌日の営業開始を迎えることができ、遊技場の営業時間内での店員による記録媒体の補充作業が極力不要となるので、円滑な営業を行うことができる。一方、記録媒体の補充作業を閉店時に行わず翌営業日に行うことを希望する遊技場においては、第２下限値の設定を有効としない旨を設定することで、締め処理の際に、店員が、翌営業日の営業開始時点で動作に支障のある（遊技者に不都合が生じる）遊技用装置を把握して、記録媒体の補充作業を行うことができる。つまり、当日中に対応を行わなければならない必要最小限の遊技用装置に絞って補充作業を行うことが可能となり、遊技機の稼働率低下による売上の減少を回避することができる。
【００３４】
また請求項１２に係る遊技用システムによれば、残有価価値報知手段による報知が行われている状態で、記録媒体発行処理が行われた後に該報知を終了するので、残有価価値の大きさを確実に零にした状態で翌日の開店を迎えることができる。
【００３５】
さらに請求項１３に係る遊技用システムによれば、返却情報を視認可能な態様で出力するので、記録媒体発行処理が行われた旨を遊技場側で確認することによって、残有価価値の大きさを遊技場の店員が着服するといった不正の発見や防止に役立てることができる。
【発明を実施するための最良の形態】
【００３６】
以下、本発明の実施の形態を、図面を参照して説明する。まず、本発明に係る遊技用システムの概要について説明する。本発明に係る遊技用システムは、図１に示すように、遊技機であるパチンコ機１０に対応して設けられた遊技用装置であるカードユニット２０，２０’と、該カードユニット２０，２０’と通信可能な管理装置であるシステムコントローラ６０，６０’とを備える遊技用システム１，１’であり、この遊技用システム１，１’では記録媒体として一般カード５が使用される。この遊技用システム１，１’に含まれる各構成要素は遊技場内に設けられている。
【００３７】
カードユニット２０，２０’の記録媒体収納部（カードＲ／Ｗ２７，カードストッカ２８）には、一般カード５が収納されており、貨幣が受け付けられると入金額がカードＲ／Ｗ２７の一般カード５のカード残額に加算されてカード玉貸可能状態となり（又はカード玉貸可能状態を継続し）、該状態で玉貸ボタン１５が操作されることでパチンコ玉を貸与するカード玉貸処理が行われる。そしてカード残額が全額使用されたときには、一般カード５をカードＲ／Ｗ２７部に留保する一方、カード残額が完全には使用されず残存したときには、カード返却ボタン１６の操作によって該未使用のカード残額が記録されている一般カード５を遊技者に返却することが可能である。
【００３８】
また、カードユニット２０，２０’では、カード残額が零でない一般カード５（つまり上記遊技者に返却された一般カード５であり、以下「残額有りの一般カード５」という。）を外部から受け付けて、カード玉貸可能状態となり、該カード残額を使用してパチンコ玉を貸与可能である。つまり、一般カード５による台移動が可能である。このカードユニット２０，２０’は当該遊技場の店員が操作するリモートコントローラ３０から送信される赤外線信号を受信して、該受信した信号に応じた状態（後述するメンテナンスモード，回収モード，補充モード）となり、一般カード５の回収や補充が可能となる。
【００３９】
システムコントローラ６０，６０’では、残額ＤＢによって各一般カード５のカードＩＤに対応する管理残額を管理しており、カードユニット２０，２０’から送信されてくる入金要求に基づいて管理残額の加算更新を行い、同送信されてくる貸与許諾要求に基づいて残額照合を行い、同送信されてくる減算要求に基づいて管理残額の減算更新を行う。また、システムコントローラ６０，６０’は、一般カード５のカード残額を精算する精算装置８０と通信可能であり、後述する一般カード５の発行及び管理を行うカード会社に設けられている管理サーバ９０とも通信可能である。
【００４０】
このシステムコントローラ６０，６０’においては、図６（ａ）に示すように、第１上限値，第１下限値，第２上限値，及び第２下限値の入力，並びに第２上限値の設定を有効にするか否かの選択，及び第２下限値の設定を有効にするか否かの選択を受け付ける。そして、入力された第１上限値，第１下限値，第２上限値，及び第２下限値，並びに、第２上限値の設定を有効にするか否かを示す第２上限値設定情報（例えば図６（ａ）で「第２上限値の設定を有効にする」がチェックされたときに１，チェックされていないときに０とする），及び第２下限値の設定を有効にするか否かを示す第２下限値設定情報（例えば図６（ａ）で「第２下限値の設定を有効にする」がチェックされたときに１，チェックされていないときに０とする）を、当該遊技場の各カードユニット２０，２０’に送信する。これらの情報を受信した各カードユニット２０，２０’では、受信した第１上限値及び第１下限値が、ユニット制御部２２，２２’のＥＥＰＲＯＭに記憶されると共に、第２上限値及び第２下限値，並びに第２上限値設定情報及び第２下限値設定情報が、カードＲ／Ｗ制御部２９，２９’が備えるＥＥＰＲＯＭのスイッチテーブルに記憶される。
【００４１】
また、システムコントローラ６０，６０’は、図６（ｂ）に示すように、当該遊技場の営業終了に伴う締め処理（本例では当該カードユニット２０，２０’からシステムコントローラ６０，６０’に対しての当日の合計入金額，合計使用額の送信処理）を実行する旨を示す締め処理信号を各カードユニット２０，２０’に送信するにあたり、遊技島の選択を受け付けて、該選択された遊技島に属するカードユニット２０，２０’に対してのみ締め処理信号を送信する。
【００４２】
この遊技用システム１，１’では、当該遊技場のカードユニット２０，２０’が起動信号（例えばシステムコントローラ６０，６０’から送信される営業開始を通知する信号であって、合計入金額や合計使用額の集計を開始する指示を兼ねる）を受信してから締め処理信号を受信するまでの期間である営業時間中において、カードユニット２０，２０’内（ここではカードＲ／Ｗ２７及びカードストッカ２８からなる記録媒体収納部）にストックされている一般カード５のストック枚数が、予め設定された第１の上限値（ここでは１０）以上であるときには、該第１の上限値以上である旨を報知し、ストック枚数が予め設定された第１の下限値（ここでは０）以下であるときには、該第１の下限値以下である旨を報知することにより、営業時間中に一般カード５の回収・補充を店員に促す。
【００４３】
そして締め処理を実行するにあたり、カードユニット２０，２０’に残額が残存しているときには、該残額が残存している旨が当該カードユニット２０，２０’の多機能ランプ２６，２６’によって報知される。従って、遊技場の店員が、該報知が行われているカードユニット２０，２０’から残額有りのカードを排出することで、残額が残存している状態のまま翌日の営業開始を迎えることを防ぐことができ、遊技機の稼働率の低下を防止することができる。
【００４４】
ここでカードユニット２０，２０’の動作停止時（つまり遊技場の閉店時）に記録媒体収納部（カードＲ／Ｗ２７，カードストッカ２８）に収納されているストック枚数が、収納可能な収納限界値（ＦＵＬＬ）又は零（ＥＭＰＴＹ）に近いと、翌日の営業開始後に比較的短い時間内で前記カード収納部がＦＵＬＬ又はＥＭＰＴＹの状態となってしまうおそれがある。これによって、遊技場の営業時間内での店員によるカードの回収作業や補充作業が必要となってしまい、円滑な営業の妨げとなる問題がある。そのため閉店時にカードの回収作業や補充作業を行っておき、翌営業日を迎える方が都合の良い遊技場がある。
【００４５】
一方、カードユニット２０，２０’の動作停止時（つまり遊技場の閉店時）において、店員数が少ない等の理由から、カードの回収作業や補充作業を閉店時に行わず翌営業日に行う方が都合がよい遊技場もある。このような遊技場であっても、翌日の営業開始時点で前記記録媒体収納部の記録媒体数（ストック枚数）が収納限界値（ＦＵＬＬ）又は零（ＥＭＰＴＹ）に達しているカードユニット２０，２０’が存在すると、該カードユニット２０，２０’については、外部からのカード受付又は入金ができず、営業開始時点で既に動作に支障がある状態であるため、対応する遊技機の稼働率が低下して売上の減少を招くという問題がある。そこで第２上限値の設定を有効にする旨の設定及び／又は第２下限値の設定を有効にする旨の設定に基づいて、以下のような処理を行うことでこの問題を解決するようにしている。
【００４６】
まずカードユニット２０，２０’が締め処理信号を受信したときに、第２上限値（ここでは７）の設定を有効にする旨が設定されている場合は、ストック枚数が該第２上限値以上であるか否かを判定する一方、第２上限値の設定を有効としない旨が設定されている場合には、ストック枚数が収納限界値（ここでは１０）に達しているか否かを判定する。そして、第２上限値以上であると判定されたこと，又は収納限界値に達していると判定されたことを条件として多機能ランプ２６，２６’による報知（ここでは緑点滅）を行う。つまり、第２上限値の設定を有効にしておくことで、ストック枚数が第２上限値以上のカードユニット２０，２０’を把握して、回収作業を行うことができる。それに対して、第２上限値の設定を有効としないことで、動作に支障のある（即ちストック枚数が収納限界値に達しているため一般カード５の挿入ができない）カードユニット２０，２０’を把握して、回収作業を行うことができる。
【００４７】
またカードユニット２０，２０’が締め処理信号を受信したときに、第２下限値（ここでは３）の設定を有効にする旨が設定されている場合は、ストック枚数が該第２下限値以下であるか否かを判定する一方、第２下限値の設定を有効としない旨が設定されている場合には、ストック枚数が零であるか否かを判定する。そして、第２下限値以下であると判定されたこと，又は零であると判定されたことを条件として多機能ランプ２６，２６’による報知（ここでは緑点滅）を行う。つまり、第２下限値の設定を有効にしておくことで、ストック枚数が第２下限値以下のカードユニット２０，２０’を把握して、補充作業を行うことができる。それに対して、第２下限値の設定を有効としないことで、動作に支障のある（即ち、一般カード５がカードユニット２０，２０’内に無く、入金額を記録することが不可能なため入金できないという不都合が生じる）カードユニット２０，２０’を把握して、補充作業を行うことができる。
【００４８】
なお、実施例とは異なるが、例えば、ストック枚数が零のときに入金が行われると、入金額をユニット制御部２２のＲＡＭに記憶して、該入金額の範囲内で玉貸処理を行い、さらに、入金額のうち玉貸処理に使用されなかった入金残額を、外部から挿入されたカード又は補充されたカードに記録して遊技者に返却するようにすることも可能である。この場合には、ストック枚数が零のときに入金残額を返却する際、該入金残額を記録するためのカードがカードユニット２０内に存在しないため、店員からの前記カードの取得又は店員によるカード補充をしなければ、遊技者に入金残額を返却できない（つまり台移動や精算ができない）という不都合が生じる。本発明はこのようなシステムに対しても適応することができる。
【００４９】
ここで、本発明には、カードユニット２０が締め処理信号を受信したときに、当該カードユニット２０に残額が残存しているか否かを判定して、残存していると判定されたときに残額が残存している旨を報知する第１実施形態に係る遊技用システム１と、締め処理信号を送信するにあたりシステムコントローラ６０’において各カードユニット２０’に残額が残存しているか否かを判定して、残存していると判定されたカードユニット２０’に対して報知指示信号を送信し、報知指示信号を受けたカードユニット２０’で残額が残存している旨を報知する第２実施形態に係る遊技用システム１’と、が含まれる。以下においては、まず第１実施形態に係る遊技用システム１について説明し、次に第２実施形態に係る遊技用システム１’について第１実施形態と異なる点についてのみ説明する。なお、以下においては、リーダ／ライタを「Ｒ／Ｗ」，データベースを「ＤＢ」，ステップを「Ｓ」と略記する。
【００５０】
［１．第１実施形態に係る遊技用システム１］
第１実施形態に係る遊技用システム１は、図１に示すように、遊技場において、パチンコ機１０に対応して設けられるカードユニット２０と、複数のカードユニット２０に接続されているシステムコントローラ６０を備え、該システムコントローラ６０と通信可能であり、一般カード５のカード残額を精算する精算装置８０を含む。また、システムコントローラ６０は、後述する一般カード５の発行及び管理を行うカード会社に設けられている管理サーバ９０とも通信可能である。
【００５１】
図１及び図２に示す遊技用システム１において、カードユニット２０は、ハブ（ＨＵＢ）４０，中継器５０，及び通信ケーブルを介して、システムコントローラ６０と双方向のデータ通信可能に接続されており、各接続機器にはそれぞれローカルＩＰアドレスが付与されてローカルエリアネットワーク（ＬＡＮ）が形成されている。また、システムコントローラ６０と精算装置８０とは、個別の通信ケーブルを介して、比較的高速のデータ通信を実施可能に接続されている。また、前記システムコントローラ６０は、通信回線を介して、カード会社に設置された管理サーバ９０と双方向のデータ通信を実施できるように接続されていて、カード会社は、該管理サーバ９０にて、各遊技場の一般カード５による売上や、システムコントローラ６０及びカードユニット２０のエラー状況等を把握できるようになっている。本発明に係る遊技用システム１では、図１，図２及び図３に示すように、紙幣２，硬貨３，及び一般カード５が使用される。
【００５２】
以下では、まず図１〜図７を用いて第１実施形態に係る遊技用システム１の構成について説明する。
【００５３】
紙幣２は貨幣の一例であって、ここでは図３に示すように、1000円紙幣，2000円紙幣，5000円紙幣，及び10000円紙幣の４種類の紙幣である。また硬貨３も貨幣の一例であって、ここでは図３に示すように、100円硬貨，及び500円硬貨の２種類の硬貨である。
【００５４】
一般カード５は記録媒体の一例であって、遊技媒体（パチンコ玉）の貸与に使用可能な有価価値の大きさ（カード残額，管理残額）を特定するための情報（カード残額，カードＩＤ）が記録されたカードである。本例における一般カード５には、有価価値の大きさであるカード残額と、各一般カード５を個々に識別可能な記録媒体識別情報であるカードＩＤと、が記録されている。ここでカード残額は、それ自体が有価価値の大きさである。またカードＩＤは、後述するシステムコントローラ６０の残額ＤＢにおいて有価価値の大きさである管理残額と対応付けて管理されているので、遊技用システム１においては、カードＩＤから対応する管理残額を特定可能である。つまり、本例のカード残額，カードＩＤは、いずれも有価価値の大きさを特定するための情報である。
【００５５】
この一般カード５は、長方形状を呈するプラスチック製の薄板における所定の部位に、カード残額及びカードＩＤ等が記録される記録領域（図示外）が形成されてなるものであり、ここでは該記録領域として不揮発性のＥＥＰＲＯＭを備える非接触式の集積回路を搭載したＩＣカードである。この一般カード５は、予めカードＩＤが記録されている状態で遊技場に納入されて、後述するカードストッカ２８に収納され、カードユニット２０及び精算装置８０において使用される。以下では、この一般カード５を、単にカードとも呼ぶ。
【００５６】
パチンコ機１０は遊技機の一例であって、図１〜図３に示すように、カードユニット２０に対応して設けられ、遊技媒体であるパチンコ玉を遊技領域に打ち込むことにより遊技を行うものであり、ここでは対応するカードユニット２０との間でパチンコ玉の貸与に関する信号のやり取りが行われて玉貸処理（後述する使用額分の玉貸処理や入金額分の玉貸処理）が行われる、いわゆるＣＲ式のパチンコ機である。このパチンコ機１０は、遊技場内に配置された遊技島（図示外）において該パチンコ機１０の機種等に従って設置されている。
【００５７】
このパチンコ機１０は、図３（ａ）に示すように、その前面に遊技領域，上皿，下皿，及び発射ハンドル等を備えると共に、残度数表示器１４，玉貸ボタン１５，及びカード返却ボタン１６を備え、図２に示すように、その内部に遊技制御基板１１，払出制御基板１２，及び玉払出装置１３等を備えており、これらの各構成要素は図２に示すように接続されている。前記遊技領域には可変表示装置が設けられると共に、始動入賞口，大入賞口，及びその他の入賞口が設けられている。このパチンコ機１０は、予め割り当てられた台番号により個々に識別可能となっている。
【００５８】
遊技制御基板１１は、パチンコ機１０における遊技状態を制御するものである。払出制御基板１２は、カードユニット２０の玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されるパチンコ玉や、遊技の結果として遊技者に付与されるパチンコ玉（いわゆる賞球）を払い出すものである。
【００５９】
このパチンコ機１０においては、前記遊技領域に打ち込まれたパチンコ玉が始動入賞口に入賞すると、遊技領域に設けられた可変表示装置が変動を開始して所定時間の経過後に該変動が停止し、該可変表示装置の表示結果が予め定められた態様（例えば「０００」〜「９９９」のいずれかのゾロ目）になると、遊技者にとって有利な遊技状態である大当り状態（単に「大当り」とも呼ぶ）が発生するる。
【００６０】
また遊技領域に打ち込まれたパチンコ玉が、該遊技領域に設けられた始動入賞口，大入賞口，及びその他の入賞口に入賞すると、払出制御基板１２の制御により、予め定められた数のパチンコ玉が賞球として玉払出装置１３から払い出される。
【００６１】
残度数表示器１４は、カードＲ／Ｗ２７にて受け付けている一般カード５に記録されているカード残額に相当する残度数を表示するための表示器であり、本例では、図３に示すように３桁の７セグメント表示器によって構成されている。ここで残度数は、カード残額が所定の比率で変換されたもの（例えば１００円＝１度数）である。図２に示すように、残度数表示器１４に玉貸通信部２１ｂから残度数を示す度数表示信号が入力されることにより、残度数が表示される。
【００６２】
玉貸ボタン１５は、カードＲ／Ｗ２７にて受け付けている一般カード５に記録されているカード残額を使用するための玉貸操作を受け付けるボタンである。図２に示すように、玉貸ボタン１５が操作されたことにより、玉貸通信部２１ｂに貸出入力信号が入力され、該入力の検出によってユニット制御部２２が玉貸ボタン１５が操作された旨を認識する。
【００６３】
カード返却ボタン１６は、カードＲ／Ｗ２７にて受け付けている一般カード５を遊技用装置外部に排出するための排出操作を受け付けるものである。図２に示すように、カード返却ボタン１６が操作されたことにより、玉貸通信部２１ｂに返却入力信号が入力され、該入力の検出によってユニット制御部２２がカード返却ボタン１６が操作された旨を認識し、カードＲ／Ｗ制御部２９によりカードＲ／Ｗ２７にて受け付けているカード（残額有りの一般カード５）の排出処理が行われ、一般カード５がカード挿入口２７ａから排出されて抜取待ち状態となる。この抜取待ち状態とは、ここでは一般カード５の一端がカード挿入口２７ａから外部に突出した状態（つまり遊技者がカードを抜き取り可能な状態）を指す。
【００６４】
上記の残度数表示器１４，玉貸ボタン１５，及びカード返却ボタン１６は、図３に示すようにパチンコ機１０の前面（ここでは上皿）に設けられているが、図２に示すように、カードユニット２０と接続されているので、遊技用装置であるカードユニット２０に属するものでもある。
【００６５】
カードユニット２０は遊技用装置の一例であって、図２及び図３（ａ）に示すように、パチンコ機１０に対応して（ここではパチンコ機１０の左側に隣接して）設けられている。このカードユニット２０は、縦長の箱型の形状を呈するものであり、図３（ａ）に示すように、その前面に多機能ランプ２６，紙幣挿入口２３ａ，硬貨挿入口２４ａ，硬貨返却ボタン２４ｅ，表示部２５ａ，硬貨返却口２４ｆ，赤外線受信部２５ｂ，及びカード挿入口２７ａ等を備え、図２及び図３（ｂ）に示すように、その内部に玉貸通信部２１ｂ，ユニット制御部２２，紙幣識別機２３，硬貨識別機２４，カードＲ／Ｗ２７，カードストッカ２８，カードＲ／Ｗ制御部２９，及びシステムコントローラ用通信部２９ａ等を備えており、これらの各構成要素は図２に示すように接続されている。なお、各カードユニット２０は、装置ＩＤによって個々に識別可能とされている。
【００６６】
玉貸通信部２１ｂは、前述の如くパチンコ機１０の払出制御基板１２と接続されている。図２に示すように、この玉貸通信部２１ｂには、払出制御基板１２からＥＸＳ信号，ＰＲＤＹ信号，前記貸出入力信号，及び前記返却入力信号が入力される。また、玉貸通信部２１ｂから払出制御基板１２に対して、ＢＲＤＹ信号，ＢＲＱ信号，及び前記度数表示信号が出力される。なお、ＥＸＳ信号，ＰＲＤＹ信号，ＢＲＤＹ信号，ＢＲＱ信号はパチンコ玉の払出を行う際の制御信号であり、各々ＥＸＳ，ＰＲＤＹ，ＢＲＤＹ，ＢＲＱとも呼ぶ。
【００６７】
ユニット制御部２２は、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して（あるいは各構成要素からの信号を受信して）各種の処理を行うものである。なおＲＯＭには、前記装置ＩＤが記憶されている。このユニット制御部２２には、図２に示すように、前記玉貸通信部２１ｂの他、後述する紙幣識別機２３，硬貨識別機２４，表示部２５ａ，赤外線受信部２５ｂ，多機能ランプ２６，及びカードＲ／Ｗ制御部２９等が接続されている。
【００６８】
このユニット制御部２２は貸与制御部の一例であって、後述する貨幣受付手段（紙幣識別機２３，硬貨識別機２４）により受け付けた貨幣（紙幣２，硬貨３）の金額である受付貨幣額（入金額）に相当する有価価値の大きさの範囲内における所定の大きさの有価価値（玉貸設定金額又はカード残額）を使用して遊技媒体（パチンコ玉）を貸与するための第１の貸与処理（カード玉貸処理）を行うと共に、後述する記録媒体受付手段（カードＲ／Ｗ２７）により受け付けた記録媒体（一般カード５）の記録情報（カード残額，カードＩＤ）から特定される有価価値の大きさ（カード残額，管理残額）の範囲内における所定の大きさの有価価値（玉貸設定金額又はカード残額）を使用して遊技媒体を貸与するための第２の貸与処理（カード玉貸処理）を行うものである。
【００６９】
具体的には、貨幣受付手段（紙幣識別機２３，硬貨識別機２４）により貨幣（紙幣２，硬貨３）を受け付けて、システムコントローラ６０から入金完了通知を受信したことに基づいて、カード玉貸可能状態となり、該状態で玉貸ボタン１５が操作されて貸出入力信号が入力されたときに、後述するカードＲ／Ｗ２７の一般カード５に記録されたカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。つまり、貨幣の受付に基づいて入金額がカード残額に加算されてカード玉貸可能状態となり、該状態で玉貸ボタン１５の操作によりパチンコ玉の払出が行われることが、受付貨幣額（入金額）に相当する有価価値の大きさの範囲内における所定の大きさの有価価値（玉貸設定金額又はカード残額）を使用して遊技媒体を貸与するための第１の貸与処理に相当する。
【００７０】
また、カードＲ／Ｗ２７により一般カード５を受け付けて、システムコントローラ６０から貸与許諾情報を受信したことに基づいて、カード玉貸可能状態となり、該状態で玉貸ボタン１５が操作されて貸出入力信号が入力されたときに、後述するカードＲ／Ｗ２７により受け付けている一般カード５に記録されているカード残額と予め設定された玉貸設定金額（例えば５００円）とを比較して、カード残額≧玉貸設定金額であれば該玉貸設定金額に相当する度数のパチンコ玉の払出を払出制御基板１２に対して指示し、払出制御基板１２が指示された度数分のパチンコ玉の払出を玉払出装置１３により行う。一方、カード残額＜玉貸設定金額であれば該カード残額に相当する度数のパチンコ玉の払出を払出制御基板１２に対して指示し、払出制御基板１２が該指示された度数分のパチンコ玉の払出を玉払出装置１３により行う。つまり、一般カード５の受付に基づいて貸与許諾情報を受信してカード玉貸可能状態となり、該状態で玉貸ボタン１５の操作によりパチンコ玉の払出が行われることが、記録媒体受付手段（カードＲ／Ｗ２７）により受け付けた記録媒体（一般カード５）の記録情報（カード残額，カードＩＤ）から特定される有価価値の大きさ（カード残額，管理残額）の範囲内における所定の大きさの有価価値（玉貸設定金額又はカード残額）を使用して遊技媒体を貸与するための第２の貸与処理に相当する。
【００７１】
以下、カードＲ／Ｗ２７の一般カード５を使用する玉貸処理を「カード玉貸処理」と呼ぶ。つまり貨幣の受付に基づくカード玉貸処理が第１の貸与処理に相当し、記録媒体の受付に基づくカード玉貸処理が第２の貸与処理に相当する。なお、カード玉貸処理の終了後には、今回のカード玉貸処理に使用された使用額（玉貸設定金額又はカード残額）が、一般カード５のカードＩＤと共にシステムコントローラ６０に送信される。
【００７２】
このユニット制御部２２では、図示しないが、以下の紙幣識別機２３，硬貨識別機２４において貨幣が受け付けられて識別された後、該貨幣が回収されることに応じて、その度、ＲＡＭ（又はＥＥＰＲＯＭ）に記憶している当日の入金額の累計値である合計入金額を更新するようにしている。そして、カード玉貸処理が実施されると、その度、ＲＡＭ（又はＥＥＰＲＯＭ）に記憶している当日の玉貸額の累計値である合計玉貸額を更新（カード玉貸処理の使用額を加算更新）するようにしている。そして、カードＲ／Ｗ制御部２９がシステムコントローラ６０から締め処理信号を受信すると、該カードＲ／Ｗ制御部２９からユニット制御部２２に締め処理通知が送られて、カードＲ／Ｗ制御部２９及びユニット制御部２２において締め処理が実施される。この締め処理では、ユニット制御部２２が入金を不可とし、カードＲ／Ｗ制御部２９がカードの前方挿入を不可とする。そして、ユニット制御部２２で記憶している合計入金額及び合計玉貸額を、システムコントローラ用通信部２９ａからシステムコントローラ６０に対して送信する。そして、送信完了後に、前記記憶している合計入金額，合計玉貸額を消去（リセット）する。
【００７３】
このユニット制御部２２は上記の他、第１設定手段，第１上限値判定手段，第１下限値判定手段，及び締め処理時判定手段としても機能するが、その機能については後述する。
【００７４】
紙幣識別機２３は貨幣受付手段の一例であって、貨幣を受け付けるものであり、ここでは図３（ｂ）に示すように、入金可能な状態で、紙幣挿入口２３ａから挿入され搬送されてきた紙幣２を受け付けて、該受け付けた紙幣２が前記４種類の紙幣のうちのいずれの紙幣であるかを識別する（いずれの紙幣でもなければ正規の紙幣ではないと識別する）識別機である。この識別により、受付けた紙幣が正規の紙幣２（1000円紙幣、2000円紙幣、5000円紙幣、10000円紙幣）であれば、識別結果（識別された紙幣２に応じた入金額）をユニット制御部２２に出力する。なお識別が完了した正規の紙幣２は、紙幣通路２３ｂを通じてカードユニット２０の背面から外部に排出され、遊技島に設けられた紙幣搬送機構（図示外）により搬送されて、金庫（図示外）に回収される。なお、入金不可の状態である場合や、正規の紙幣ではないと識別した場合には、受け付けた紙幣２を紙幣挿入口２３ａから返却する。
【００７５】
硬貨識別機２４も貨幣受付手段の一例であって、貨幣を受け付けるものであり、ここでは図３（ｂ）に示すように、入金可能な状態で、硬貨挿入口２４ａから投入され、硬貨通路２４ｂを通じて搬送された硬貨３を受け付けて、該受け付けた硬貨３が前記２種類の硬貨のうちのいずれの硬貨であるかを識別する（いずれの硬貨でもなければ正規の硬貨ではないと識別する）識別機である。この識別により、受付けた硬貨が正規の硬貨３（100円硬貨、500円硬貨）であれば、識別結果（識別された硬貨３に応じた入金額）をユニット制御部２２に出力する。なお識別が完了した正規の硬貨３は、硬貨通路２４ｃを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｂや硬貨識別機２４において詰まった硬貨３の返却操作を受け付けるためのボタンであり、遊技者により硬貨返却ボタン２４ｅが操作されると、該詰まった硬貨３が硬貨通路２４ｄを通じて硬貨返却口２４ｆに戻る。なお、入金不可の状態である場合や、正規の硬貨ではないと識別した場合には、受け付けた硬貨３を硬貨通路２４ｄを通じて硬貨返却口２４ｆから返却する。
【００７６】
表示部２５ａは記録媒体数表示手段の一例であって、保守状態（メンテナンスモード）に移行することに基づいて計数手段（カードＲ／Ｗ制御部２９）により計数された記録媒体数（ストック枚数）を表示するものである。具体的には、メンテナンスモードに移行したことにより、カードＲ／Ｗ制御部２９により計数されているストック枚数（カードユニット２０内の一般カード５の枚数であり、カードＲ／Ｗ２７の一般カード５及びカードストッカ２８に収納されている一般カード５の合計枚数とされる）を表示する。このストック枚数は下位２桁に表示される。なお、本例の表示部２５ａは、カードを回収するための回収モードが起動したことに基づいて、回収モード起動中である旨を示すｏｕｔという文字を、ストック枚数が表示されていない桁（ここでは上位３桁）に表示する。さらに、本例の表示部２５ａは、カードを補充するための補充モードが起動したことに基づいて、補充モード起動中である旨を示すｉｎという文字を、ストック枚数が表示されていない桁（ここでは上位２桁目，３桁目）に表示する。
【００７７】
赤外線受信部２５ｂは保守状態移行要求受付手段の一例であって、後述する記録媒体収納部（カードＲ／Ｗ２７，カードストッカ２８）からの記録媒体（一般カード５）の回収及び記録媒体収納部への記録媒体の補充を行うための保守状態（メンテナンスモード）に移行するための保守状態移行要求（メンテナンスモード移行要求）を受け付けるものである。具体的には、遊技場の店員が操作するリモートコントローラ３０から、赤外線信号として送信されるメンテナンスモード移行要求を受信する。また、同じくリモートコントローラ３０から送信される回収モード起動要求，補充モード起動要求，及びメンテナンスモード解除要求を受信するものでもある。この赤外線受信部２５ｂがメンテナンスモード移行要求を受信したことに基づいてユニット制御部２２及びカードＲ／Ｗ制御部２９がメンテナンスモードに移行する処理を行う。このメンテナンスモードにおいては、回収モード起動要求に応じて回収モードが起動し、カードの回収が可能である。また、メンテナンスモードにおいては、補充モード起動要求に応じて補充モードが起動し、カードの補充が可能である。さらに、メンテナンスモードにおいては、メンテナンスモード解除要求に応じてメンテナンスモードが解除される。メンテナンスモード解除のときに、回収モード又は補充モードが起動中であれば、該起動中のモードが終了する。
【００７８】
多機能ランプ２６は、カードユニット２０の状態を報知するものであり、３原色であるＲＧＢ光の各色の発光が可能なＬＥＤモジュールを内在しており、これらＲＧＢ光の発光を制御することで、発光色を可変できるようになっている。この多機能ランプ２６は後述する残有価価値報知手段，締め処理時報知手段として機能する。
【００７９】
カードＲ／Ｗ２７は記録媒体受付手段の一例であって、記録媒体（一般カード５）を受け付けるものである。具体的には、カード挿入口２７ａから前方挿入された一般カード５を受け付けたときに、該受け付けた一般カード５の記録情報（ここではカードＩＤ，カード残額）を読み取る。また、貨幣が受け付けられ、識別されたことに基づいて、当該カードＲ／Ｗ２７部の一般カード５に対して、現在のカード残額＋入金額を、新たなカード残額として記録する処理を行う。さらに、ユニット制御部２２でカード玉貸処理が実施され、ユニット制御部２２から使用額（本例では１度数の玉貸毎にカード残額を減算するようにしているため、ユニット制御部２２からカードＲ／Ｗ２９に通知される使用額は常に１度数相当額（１００円）である。）の通知を受けたことに基づいて、当該カードＲ／Ｗ２７部の一般カード５に対して、現在のカード残額−使用額を、新たなカード残額として記録する処理を行う。このカードＲ／Ｗ２７は、前記ＩＣカードである一般カード５に対応したＩＣカードＲ／Ｗを備えている。
【００８０】
このカードＲ／Ｗ２７付近には、カードの取込処理及び排出処理を行うための第１モータ（図示外）が設けられている。該第１モータが正方向に回転すると、カードを搬送するためのベルト（図示外）が正方向に回動して前方挿入カードの取込を行う取込処理が実施される。この取込処理により取り込まれたカードは、カードＲ／Ｗ２７にて受け付けられる。また、前記第１モータが逆方向に回転すると、前記ベルトが逆方向に回動してカードＲ／Ｗ２７部のカードの排出を行う排出処理が実施される。この排出処理によりカードが排出されて、抜取待ち状態となる。
【００８１】
カードストッカ２８は、記録媒体（一般カード５）を所定数（ここでは９枚）迄収納するものである。このカードストッカ２８はカードＲ／Ｗ２７の背面側に設けられ、カード残額が零の一般カード５を所定数（ここでは９枚）迄ストックするものであり、カードＲ／Ｗ２７と連接され、カードＲ／Ｗ２７から搬送されてきた一般カード５を収納するものである。つまり、カードユニット２０には、カードＲ／Ｗ２７に１枚，カードストッカ２８に９枚の、合計１０枚の一般カード５が収納される。
【００８２】
このカードストッカ２８付近には、カードの収納処理及び供給処理を行うための第２モータ（図示外）が設けられている。該第２モータが正方向に回転すると、カードを搬送するためのスライダ（図示外）により（又は該スライダと前記ベルトの連動により）、カードＲ／Ｗ２７部のカードをカードストッカ２８に収納する収納処理が実施される。また、前記第２モータが逆方向に回転すると、前記スタイダにより（又は該スライダと前記ベルトの連動により）カードストッカ２８に収納されているカード（ストックカード）の１枚をカードＲ／Ｗ２７部まで供給する供給処理が実施される。この供給処理により、カードがカードＲ／Ｗ２７に待機した状態となる。
【００８３】
ここで前記カードＲ／Ｗ２７及びカードストッカ２８は記録媒体収納部の一例であって、記録媒体（一般カード５）を複数収納するものである。ここでは、カードＲ／Ｗ２７部に１枚，及びカードストッカ２８に９枚迄収納することができるため、カードＲ／Ｗ２７及びカードストッカ２８からなる記録媒体収納部に、一般カード５を合計１０枚迄収納することが可能である。即ち、この記録媒体収納部の収納限界値は１０となる。
【００８４】
カードＲ／Ｗ制御部２９は、ＣＰＵ，ＲＡＭ，ＥＥＰＲＯＭ等を備え、カードＲ／Ｗ２７が受け付けた一般カード５とのデータ送受を行う通信部や、カードＲ／Ｗ２７の制御を行うコントローラ等も備えている。このカードＲ／Ｗ制御部２９は、図２に示すように、ユニット制御部２２に接続されており、該ユニット制御部２２との各種データの送受が実施可能とされている。このカードＲ／Ｗ制御部２９には、上記第１モータ及び第２モータも接続される。また、カード挿入口２７ａ付近に設けられ、カードの前方挿入及びカードの抜き取りを検出するためのセンサ（図示外）とも接続されている。このカードＲ／Ｗ制御部２９は、カードＲ／Ｗ２７の一般カード５にカード残額が残存している状態では、カードの前方挿入を禁止し、カードＲ／Ｗ２７の一般カード５のカード残額が零の状態ではカードの前方挿入を可とする。
【００８５】
ここで、カードＲ／Ｗ制御部２９は記録媒体発行手段の一例であって、前記受付貨幣額（入金額）に相当する有価価値の大きさから前記第１の貸与処理（カード玉貸処理）により使用された有価価値の大きさを減算した後の残有価価値の大きさ（カード残額，管理残額）を前記記録媒体収納部（カードＲ／Ｗ２７，カードストッカ２８）に収納された記録媒体（一般カード５）の記録情報（カード残額，カードＩＤ）から特定可能にして、該記録媒体を外部に発行する記録媒体発行処理を行うものである。具体的には、カードＲ／Ｗ２７部の残額無しの一般カード５への入金（カード残額＋入金額を、新たなカード残額として記録する処理）が行われた後、カード返却ボタン１６の操作が検出され、かつカード玉貸可能状態であることに基づいて、残額有りの一般カード５をカードＲ／Ｗ２７から排出する処理（つまり遊技者に対して残額有りの一般カード５を発行する処理）を行う。つまり、本例ではカード玉貸処理が行われる毎に、カードＲ／Ｗ２７のカードのカード残額及びシステムコントローラ６０で管理される管理残額が減算更新されるので、該減算更新後のカード残額と、該減算更新後の管理残額を特定するためのカードＩＤが記録されている一般カード５を排出する処理が、記録媒体発行処理に相当する。なお、カードＲ／Ｗ制御部２９は、カードＲ／Ｗ２７部のカードが排出され、抜き取られたときに、カードストッカ２８のカードの１枚をカードＲ／Ｗ２７に供給する供給処理を行う。
【００８６】
またカードＲ／Ｗ制御部２９は記録媒体収納処理手段の一例であって、記録媒体受付手段（カードＲ／Ｗ２７）により受け付けた記録媒体（一般カード５）の記録情報（カード残額，管理残額）から特定される有価価値の大きさ（カード残額，管理残額）が第２の貸与処理（カード玉貸処理）により零となったことを条件として、該記録媒体（一般カード５）を記録媒体収納部（カードＲ／Ｗ２７，カードストッカ２８）に収納する処理を行うものである。具体的には、カード玉貸処理の結果、カード残額が零となった場合には、カードＲ／Ｗ２７に一般カード５を留保しておく。つまり、カードの排出処理を行わずにカードＲ／Ｗ２７部に留保する処理が、記録媒体収納部に収納する処理に相当する。なお、カードＲ／Ｗ制御部２９は、カードが前方挿入されるときには、留保しているカードＲ／Ｗ２７部のカード（残額無しの一般カード５）をカードストッカ２８に収納する収納処理を行う。
【００８７】
またカードＲ／Ｗ制御部２９は計数手段の一例であって、記録媒体収納部（カードＲ／Ｗ２７，カードストッカ２８）に収納される記録媒体数（ストック枚数）を計数するものである。具体的には、カードの取込処理及び排出処理に基づいて、カード枚数を計数するようにしており、前方挿入カードの取込処理を行ったときに、変数として保持している（例えばカードＲ／Ｗ制御部２９が備えるＲＡＭやＥＥＰＲＯＭ等に記憶している）ストック枚数に１を加算する処理を行う。一方、カードＲ／Ｗ２７のカードの排出処理を行ったときには、前記ストック枚数から１を減算する処理を行う。このカードＲ／Ｗ制御部２９にて計数しているストック枚数は、当該カードユニット２０の動作停止にあたり、該カードＲ／Ｗ制御部２９が備えているＥＥＰＲＯＭ等の不揮発性メモリに記憶されるか、又はユニット制御部２２に送られて、該ユニット制御部２２のＥＥＰＲＯＭ等に記憶されることで、次回の動作開始時まで保持されるようになっている。この計数手段（カードＲ／Ｗ制御部２９）により計数されたストック枚数が収納限界値（１０）であるときには、カードＲ／Ｗ２９によってカードの前方挿入が禁止され、その後カードが排出されるとカードの前方挿入禁止状態が解除される。また、計数されたストック枚数が零のときには、該ストック枚数の通知を受けたユニット制御部２２によって入金が不可となり、その後カードが挿入されると入金不可の状態が解除されて入金可となる。
【００８８】
またカードＲ／Ｗ制御部２９は残有価価値判定手段の一例であって、後述する締め処理信号送信手段（ユニット用通信部６１ａ）から締め処理信号を受信したことに基づいて、前記記録媒体発行処理に未だ供されていない残有価価値が当該遊技用装置（カードユニット２０）に存在するか否かを判定する残有価価値判定を行うものである。具体的には、図１６のＳ５２０に示すように、締め処理信号を受信したときに、カードＲ／Ｗ２７部にある一般カード５のカード残額が残存しているか否かを判定するものである。つまり、ここではカードＲ／Ｗ２７部にある一般カード５のカード残額が残有価価値の大きさであり、残額有りの一般カード５を受け付けている状態であれば残有価価値が存在すると判定する一方、残額無しの一般カード５を留保している状態であれば残有価価値が存在しないと判定する。
【００８９】
ここで前記多機能ランプ２６は残有価価値報知手段の一例であって、上記残有価価値判定手段による残有価価値判定によって残有価価値が存在すると判定されたことを条件として報知を行うものであり、ここでは、図１６のＳ５２２に示すように、Ｓ５２０の残有価価値判定でカード残額有りと判定されたときにカードＲ／Ｗ制御部２９から残存通知を受けて、赤で点滅することにより報知を行う。
【００９０】
この残有価価値報知手段（多機能ランプ２６）による報知が行われている状態で、記録媒体（一般カード５）の発行操作を受け付けたことに基づいて、前記記録媒体発行処理手段（カードＲ／Ｗ制御部２９）により記録媒体発行処理（排出処理）を行った後、該記録媒体発行処理を行った旨を示す発行情報（締め処理時排出通知）を管理装置（システムコントローラ６０）に対して送信し、残有価価値報知手段（多機能ランプ２６）による報知を終了する。具体的には図１６のＳ５３０に示すように、多機能ランプ２６によって残額が残存している旨の報知が行われている状態で、カード返却ボタン１６が操作されると、該操作を検出したユニット制御部２２が、カード玉貸可能状態を解除して（Ｓ５３１）、返却操作が行われた旨の返却操作通知をカードＲ／Ｗ制御部２９に送り（Ｓ５３３）、該返却操作通知を受けたカードＲ／Ｗ制御部２９ではカードＲ／Ｗ２７のカードが排出され（Ｓ５３４）、締め処理信号受信後に排出処理を行った旨を示す締め処理時排出通知をシステムコントローラ６０に送信する（Ｓ５３５）。その後、排出が完了した旨を示す排出完了通知をユニット制御部２２に送り（Ｓ５３７）、該排出完了通知を受けたユニット制御部２２では残額が残存している旨の報知（赤点滅）を終了する（Ｓ５３８）。
【００９１】
カードＲ／Ｗ制御部２９は上記の他、記録媒体排出処理手段，第２上限値設定手段，第２上限値有効設定手段，第２下限値設定手段，及び第２下限値有効設定手段としても機能するが、その機能については後述する。また、前記記録媒体収納処理手段としての他の機能についても後述する。
【００９２】
カードＲ／Ｗ制御部２９は、システムコントローラ用通信部２９ａを備えている。このシステムコントローラ用通信部２９ａは、ハブ４０，中継器５０，及び通信ケーブルを介して、システムコントローラ６０のユニット用通信部６１ａに接続され、カードＲ／Ｗ制御部２９とシステムコントローラ６０とのデータ通信を実施可能とされている。このシステムコントローラ用通信部２９ａから情報を送信するにあたっては、カードＲ／Ｗ制御部２９が前記ユニット制御部２２から装置ＩＤを取得して、該取得した装置ＩＤも前記情報と共に送信する。
【００９３】
このシステムコントローラ用通信部２９ａからは、入金要求，貸与許諾要求，減算要求がシステムコントローラ６０に対して送信され、各情報に応じてシステムコントローラ６０から送信されてくる入金完了通知，貸与許諾情報，減算完了通知を受信する。また、システムコントローラ６０から送信される締め処理信号を受信する。また、記録媒体発行処理（排出処理）を行った旨を示す発行情報（締め処理時排出通知）をシステムコントローラ６０に対して送信する。そして、締め処理において、当該カードユニット２０の合計入金額及び合計玉貸額をシステムコントローラ６０に対して送信する。
【００９４】
次に前述したユニット制御部２２，多機能ランプ２６，及びカードＲ／Ｗ制御部２９の他の機能について説明する。
【００９５】
ユニット制御部２２は第１設定手段の一例であって、記録媒体収納部（カードＲ／Ｗ２７，カードストッカ２８）に収納される記録媒体数（ストック枚数）に対する第１上限値及び第１下限値を設定するものである。具体的には、図６（ａ）に示すようにシステムコントローラ６０に入力され、該システムコントローラ６０から送信されてきた第１上限値及び第１下限値をＥＥＰＲＯＭに記憶することにより設定して、必要に応じて（例えばカードＲ／Ｗ制御部２９からストック枚数の通知を受けたときに）参照可能とする。
【００９６】
またユニット制御部２２は第１上限値判定手段の一例であって、営業時間中において、記録媒体数（ストック枚数）が第１設定手段（ユニット制御部２２）により設定された第１上限値以上であるか否かを判定するものである。具体的には、営業時間中に、メンテナンスモードに移行していない状態で、ストック枚数が更新されると、カードＲ／Ｗ制御部２９からストック枚数の通知を受けて、該ストック枚数が第１上限値以上であるか否かを判定する。
【００９７】
ここで、多機能ランプ２６は第１上限値報知手段の一例であって、上記第１上限値判定手段（ユニット制御部２２）により第１上限値以上であると判定されたことを条件として、当該第１上限値以上である旨を報知するものであり、ここでは黄色で点灯することにより、ストック枚数が第１上限値以上である旨を報知する。
【００９８】
またユニット制御部２２は第１下限値判定手段の一例であって、営業時間中において、記録媒体数（ストック枚数）が第１設定手段（ユニット制御部２２）により設定された第１下限値以下であるか否かを判定するものである。具体的には、営業時間中に、メンテナンスモードに移行していない状態で、ストック枚数が更新されると、カードＲ／Ｗ制御部２９からストック枚数の通知を受けて、該ストック枚数が第１下限値以下であるか否かを判定する。
【００９９】
ここで、多機能ランプ２６は第１下限値報知手段の一例であって、上記第１下限値判定手段（ユニット制御部２２）により第１下限値以下であると判定されたことを条件として、当該第１下限値以下である旨を報知するものであり、ここでは紫で点灯することにより、ストック枚数が第１下限値以下である旨を報知する。
【０１００】
なお、多機能ランプ２６は、第１下限値＜ストック枚数＜第１上限値であるときには、緑で点灯することにより、当該状態である旨を報知する。
【０１０１】
カードＲ／Ｗ制御部２９は第２上限値設定手段の一例であって、記録媒体収納部（カードＲ／Ｗ２７，カードストッカ２８）に収納される記録媒体数（ストック枚数）に対する前記第１上限値よりも低い第２上限値を設定するものであり、ここでは、第２上限値送信手段（ユニット用通信部６１ａ）から送信されてきた第２上限値を記憶する。具体的には、図６（ａ）に示すようにシステムコントローラ６０に入力され、該システムコントローラ６０のユニット用通信部６１ａから送信されてきた第２上限値をＥＥＰＲＯＭのスイッチテーブルに記憶することにより設定する。
【０１０２】
またカードＲ／Ｗ制御部２９は第２上限値有効設定手段の一例であって、前記第２上限値の設定を有効にするか否かを設定するものであり、具体的には、システムコントローラ６０から前記第２上限値と共に送信されてきた前記第２上限値設定情報を、ＥＥＰＲＯＭのスイッチテーブルに記憶することにより設定する。
【０１０３】
またカードＲ／Ｗ制御部２９は第２下限値設定手段の一例であって、記録媒体収納部（カードＲ／Ｗ２７，カードストッカ２８）に収納される記録媒体数（ストック枚数）に対する前記第１下限値よりも高い第２下限値を設定するものであり、ここでは、第２下限値送信手段（ユニット用通信部６１ａ）から送信されてきた第２下限値を記憶する。具体的には、図６（ａ）に示すようにシステムコントローラ６０に入力され、該システムコントローラ６０のユニット用通信部６１ａから送信されてきた第２下限値をＥＥＰＲＯＭのスイッチテーブルに記憶することにより設定する。
【０１０４】
またカードＲ／Ｗ制御部２９は第２下限値有効設定手段の一例であって、前記第２下限値の設定を有効にするか否かを設定するものであり、具体的には、システムコントローラ６０から前記第２下限値と共に送信されてきた前記第２下限値設定情報を、ＥＥＰＲＯＭのスイッチテーブルに記憶することにより設定する。
【０１０５】
ここでユニット制御部２２は締め処理時判定手段の一例であって、後述する締め処理信号送信手段（ユニット用通信部６１ａ）から締め処理信号を受信したときに、前記第２上限値有効設定手段（カードＲ／Ｗ制御部２９）により前記第２上限値の設定を有効にする旨が設定されているときには、前記計数された記録媒体数（ストック枚数）が該第２上限値以上であるか否かを判定する第２上限値判定を行う一方、前記第２上限値の設定を有効としない旨が設定されているときには、前記計数された記録媒体数が前記記録媒体収納部（カードＲ／Ｗ２７，カードストッカ２８）に収納される記録媒体数の収納限界値（ここでは１０）に達しているか否かを判定する収納限界値判定を行うものである。
【０１０６】
具体的には、締め処理終了後に、カードＲ／Ｗ制御部２９から前記スイッチテーブルとストック枚数通知を受信して、該スイッチテーブルの第２上限値設定情報が第２上限値の設定を有効にする旨を示すか又は有効としない旨を示すかを判定する。そして、有効にする旨を示すとき（即ち「第２上限値の設定を有効にする」チェックボックスがチェックされた旨を示す情報のとき）には、前記通知されたストック枚数が該スイッチテーブルの第２上限値以上であるか否かを判定する（第２上限値判定）。一方、有効としない旨を示すとき（即ち「第２上限値の設定を有効にする」チェックボックスがチェックされていない旨を示す情報のとき）には、前記通知されたストック枚数が収納限界値（ここでは１０）に達しているか否かを判定する（収納限界値判定）。
【０１０７】
ここで多機能ランプ２６は締め処理時報知手段の一例であって、前記締め処理時判定手段による第２上限値判定によって、第２上限値以上であると判定されたこと（Ｙ），又は収納限界値判定によって、収納限界値に達していると判定されたこと（Ｙ）を条件として報知を行うものであり、ここでは各々、緑で点滅することにより報知を行う。
【０１０８】
前記締め処理時判定手段として機能する制御部２２は、後述する締め処理信号送信手段（ユニット用通信部６１ａ）から締め処理信号を受信したときに、前記第２下限値有効設定手段（カードＲ／Ｗ制御部２９）により前記第２下限値の設定を有効にする旨が設定されているときには、前記計数された記録媒体数（ストック枚数）が該第２下限値以下であるか否かを判定する第２下限値判定を行う一方、前記第２下限値の設定を有効としない旨が設定されているときには、前記計数された記録媒体数が零であるか否かを判定する零判定を行うものである。
【０１０９】
具体的には、締め処理終了後にカードＲ／Ｗ制御部２９から前記スイッチテーブルとストック枚数通知を受信した後、上記第２上限値判定で、ストック枚数が第２上限値以上でないと判定されたとき（Ｎ）、又は上記収納限界値判定で、ストック枚数が収納限界値に達していないと判定されたとき（Ｎ）に、該スイッチテーブルの第２下限値設定情報が第２下限値の設定を有効にする旨を示すか又は有効としない旨を示すかを判定する。そして、有効にする旨を示すとき（即ち「第２下限値の設定を有効にする」チェックボックスがチェックされた旨を示す情報のとき）には、前記通知されたストック枚数が該スイッチテーブルの第２下限値以下であるか否かを判定する（第２下限値判定）。一方、有効としない旨を示すとき（即ち「第２下限値の設定を有効にする」チェックボックスがチェックされていない旨を示す情報のとき）には、前記通知されたストック枚数が零であるか否かを判定する（零判定）。
【０１１０】
ここで締め処理時報知手段として機能する多機能ランプ２６は、前記締め処理時判定手段による第２下限値判定によって、第２下限値以下であると判定されたこと（Ｙ），又は零判定によって、零であると判定されたこと（Ｙ）を条件として報知を行うものであり、ここでは各々、緑で点滅することにより報知を行う。
【０１１１】
次に、ユニット制御部２２のその他の機能について説明する。
【０１１２】
ユニット制御部２２は保守状態移行処理手段の一例であって、営業時間中においては、保守状態移行要求受付手段（赤外線受信部２５）による保守状態移行要求（メンテナンスモード移行要求）の受付に基づいて保守状態（メンテナンスモード）に移行する処理を行う一方、前記締め処理時判定手段（ユニット制御部２２）による第２上限値判定によって、第２上限値以上であると判定されたとき，又は収納限界値判定によって、収納限界値（１０）に達していると判定されたときには、保守状態移行要求受付手段による保守状態移行要求の受付によらず保守状態に移行する処理を行うものである。具体的には、締め処理信号を受信する前の営業時間中は、図１３に示すように、メンテナンスモード移行要求の受信に基づいて（ここではＳＢ０１〜ＳＢ０２の処理の後）、メンテナンスモードに移行する指示であるメンテナンス通知をカードＲ／Ｗ制御部２９に送信する（ＳＢ０３）。メンテナンス通知を受けたカードＲ／Ｗ制御部２９では、回収モード，補充モードを起動可能なメンテナンスモードに移行して（ＳＢ０４）、ストック枚数をユニット制御部２２に通知する（ＳＢ０５）。ストック枚数通知を受けたユニット制御部２２では、メンテナンスモードに移行して、ストック枚数を表示部２５ａに表示する（ＳＢ０６）。一方、締め処理信号を受信した後では、図１７に示すように、第２上限値判定（ＳＥ０６）で、ストック枚数が第２上限値以上であると判定されたとき（Ｙ），又は収納限界値判定（ＳＥ１０）で、ストック枚数が収納限界値に達していると判定されたときに（Ｙ）、赤外線受信部２５ｂによるメンテナンスモード移行要求の受信によらず、自動的にメンテナンスモードに移行する（ＳＥ０８，ＳＥ１２）。
【０１１３】
ここで保守状態移行処理手段として機能するユニット制御部２２は、営業時間中においては、保守状態移行要求受付手段（赤外線受信部２５）による保守状態移行要求（メンテナンスモード移行要求）の受付に基づいて保守状態（メンテナンスモード）に移行する処理を行う一方、前記締め処理時判定手段（ユニット制御部２２）による第２下限値判定によって、第２下限値以下であると判定されたとき，又は零判定によって、零であると判定されたときには、保守状態移行要求受付手段による保守状態移行要求の受付によらず保守状態に移行する処理を行うものである。具体的には、締め処理信号を受信する前の営業時間中は、メンテナンスモード移行要求の受信に基づいて（前述したＳＢ０１〜ＳＢ０６の処理によって）、メンテナンスモードに移行する。一方、締め処理信号を受信した後では、図１７に示すように、第２下限値判定（ＳＥ２１）で、ストック枚数が第２下限値以下であると判定されたとき（Ｙ），又は零判定（ＳＥ３０）で、ストック枚数が零であると判定されたときに（Ｙ）、赤外線受信部２５ｂによるメンテナンスモード移行要求の受信によらず、自動的にメンテナンスモードに移行する（ＳＥ２３，ＳＥ３２）。
【０１１４】
次に、カードＲ／Ｗ制御部２９のその他の機能について説明する。
【０１１５】
カードＲ／Ｗ制御部２９は記録媒体排出処理手段の一例であって、前記締め処理時判定手段（ユニット制御部２２）による第２上限値判定によって、第２上限値以上であると判定されたこと，又は収納限界値判定によって、収納限界値に達していると判定されたことを条件として、前記記録媒体収納部（カードＲ／Ｗ２７，カードストッカ２８）に収納されている記録媒体（一般カード５）を、前記記録媒体を挿入するための記録媒体挿入口（カード挿入口２７ａ）から当該遊技用装置外部に排出するための処理を行うものである。具体的には、第２上限値判定（図１７のＳＥ０６）において、第２上限値以上と判定されたとき（Ｙ），又は収納限界値判定（ＳＥ１０）において、収納限界値に達していると判定されたとき（Ｙ）に、自動的にメンテナンスモードに移行するが（ＳＥ０８，ＳＥ１２）、この状態でユニット制御部２２が回収モード起動要求を受信することで（図１４のＳＣ０１）、ユニット制御部２２からカードＲ／Ｗ制御部２９に回収モードを起動する指示である回収通知が送られる（ＳＣ０４）。ＳＣ０４の回収通知を受けたカードＲ／Ｗ制御部２９は、回収モードを起動して（ＳＣ０５）、カードＲ／Ｗ２７部のカードを排出処理によって排出する（ＳＣ０６）。そして、このカードの抜き取りを検出すると（ＳＣ０９）、カードストッカ２８のカードの１枚をカードストッカ２８からカードＲ／Ｗ２７に供給して待機させる（ＳＣ１０）。そして、ユニット制御部２２から解除通知を受信していなければ再びＳＡ０６以降の処理を繰り返す。
【０１１６】
また前記記録媒体収納処理手段として機能するカードＲ／Ｗ制御部２９は、前記締め処理時判定手段（ユニット制御部２２）による第２下限値判定によって、第２下限値以下であると判定されたこと，又は零判定によって、零であると判定されたことを条件として、前記記録情報（カードＩＤ，カード残額）から特定される有価価値の大きさ（カード残額）が零である記録媒体（一般カード５）が、前記記録媒体を挿入するための記録媒体挿入口（カード挿入口２７ａ）から挿入されたときに、該挿入された記録媒体を前記記録媒体収納部（カードＲ／Ｗ２７，カードストッカ２８）に収納するための処理を行うものである。具体的には、第２下限値判定（図１７のＳＥ２１）において、第２下限値以下と判定されたとき（Ｙ），又は零判定（ＳＥ３０）において、零であると判定されたとき（Ｙ）に、自動的にメンテナンスモードに移行するが（ＳＥ２３，ＳＥ３２）、この状態でユニット制御部２２が補充モード起動要求を受信することで（図１５のＳＤ０１）、ユニット制御部２２からカードＲ／Ｗ制御部２９に補充モードを起動する指示である補充通知が送られる（ＳＤ０４）。ＳＤ０４の補充通知を受けたカードＲ／Ｗ制御部２９は、補充モードを起動して（ＳＤ０５）、前方挿入カードが検出されたときに取込処理を行うカードの挿入待ち状態となる（ＳＤ０６）。そして、カードの前方挿入を検出すると（ＳＤ０７）、カードＲ／Ｗ２７のカードをカードストッカ２８に収納する収納処理を行う（ＳＤ０８）と共に、前方挿入カードの取込処理を行う（ＳＤ０９）。そして、ユニット制御部２２から解除通知を受信していなければ再びＳＤ０６以降の処理を繰り返す。
【０１１７】
次に、カード玉貸処理における制御状況を図４に基づき説明する。前記パチンコ機１０の払出制御基板１２は、前記カードユニット２０のユニット制御部２２（即ち玉貸通信部２１ｂ）と接続されて通信が可能な状態であるとスタンバイ状態となり、前記ＰＲＤＹをＬｏｗとする（Ｓ１）。
【０１１８】
このようにＰＲＤＹがＬｏｗである状態において、ユニット制御部２２がパチンコ玉の払出を払出制御基板１２に指示するにあたり、ＢＲＤＹをＬｏｗとし（Ｓ２）、この状態において、更にＢＲＱをＬｏｗとする（Ｓ３）。
【０１１９】
次いで、前記払出制御基板１２は、前記ＢＲＤＹのＬｏｗを検出した状態においてＢＲＱのＬｏｗを検出すると、パチンコ玉の払出が可能であるか確認し、可能である場合には、前記ＥＸＳをＬｏｗとする（Ｓ４）。
【０１２０】
該ＥＸＳのＬｏｗを検出したユニット制御部２２は、前記ＢＲＱをＨｉｇｈとし（Ｓ５）、該ＢＲＱのＨｉｇｈを検出した払出制御基板１２は、玉払出装置１３に玉払出信号を出力し、これに基づき１度数に該当するパチンコ玉数（例えば消費税を考慮しないのであれば２５個、消費税を考慮するのであれば消費税率に応じて２４個，２３個…等の、具体的な玉数であり、予めシステムコントローラ６０等により設定され、カードユニット２０に配信されている）の払出が実施されるとともに、該払出の終了に基づき、前記ＥＸＳをＨｉｇｈとする（Ｓ６）。
【０１２１】
該ＥＸＳのＨｉｇｈを検出したユニット制御部２２は、使用額（１度数に相当する金額であり、ここでは１００円）をカードＲ／Ｗ制御部２９に通知すると共に、前記残度数表示器１４に表示されている残度数から１度を減算して表示更新する。なお、カードＲ／Ｗ制御部２９では、現在のカード残額−使用額を、新たなカード残額としてカードＲ／Ｗ２７の一般カード５に記録する。
【０１２２】
これら（Ｓ３）〜（Ｓ６）の信号制御並びに減算更新は、ユニット制御部２２から払出制御基板１２に対して指示される度数分繰返し実施され、これら制御が終了した後、ＢＲＤＹをＨｉｇｈとして（Ｓ７）、貸与処理を終了する。
【０１２３】
このようにカードユニット２０のユニット制御部２２から出力されるＢＲＱのＨｉｇｈの検出回数に基づき、前記払出制御基板１２は指示された度数に該当する数量のパチンコ玉の払出を実施するようになっている。
【０１２４】
なお、本実施例においては、前記Ｓ６が終了した段階で１度数分の金額をカード残額から減算するようにしているが、前記Ｓ３〜Ｓ６の処理をユニット制御部２２の指示度数分（例えば５度分の貸出であれば５回）繰返し実施した後、すなわち、貸出度数分のパチンコ玉が払い出された後、該貸し出された度数（例えば５度分の貸出であれば５度）分の金額を減算するようにしても良い。残度数の表示更新についても同様である。
【０１２５】
パチンコ機１０において、玉払出装置１３から払い出されたパチンコ玉は、上皿に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出されて、上皿又は下皿に供給される。
【０１２６】
リモートコントローラ３０は、遊技場の店員が操作するものであり、図３に示すように、前面にメンテナンスボタン，回収ボタン，補充ボタン，及び解除ボタンが配されている。メンテナンスボタンを押圧操作すると、メンテナンスモードに移行する指示としてのメンテナンスモード移行要求が出力される。また、回収ボタンを押圧操作すると、回収モードを起動する指示としての回収モード起動要求が出力される。また、補充ボタンを押圧操作すると、補充モードを起動する指示としての補充モード起動要求が出力される。さらに、解除ボタンを押圧操作すると、メンテナンスモードを解除する（これに伴い回収モード，補充モードを終了する）指示としてのメンテナンスモード解除要求が出力される。これらメンテナンスモード移行要求，回収モード起動要求，補充モード起動要求，及びメンテナンスモード解除要求は、各々リモートコントローラ３０の上部から、赤外線信号として出力される。店員は、リモートコントローラ３０の上部をカードユニット２０の赤外線受信部２５ｂに向けて、上記ボタンの押圧操作をすることで、カードユニット２０を所望の状態とすることができる。
【０１２７】
次に、システムコントローラ６０について説明する。システムコントローラ６０は管理装置の一例であって、遊技場内の所定箇所（例えば管理事務所等）に設けられるものであり、図２に示すように接続されるユニット用通信部６１ａ，場外通信部６１ｃ，精算装置用通信部６１ｄ，制御部６２，ハードディスク６３，ディスプレイ６４，及び入力装置６５等を備えている。
【０１２８】
制御部６２は、ＣＰＵ，ＲＡＭ，ＲＯＭ等を備えており、ハードディスク６３に記憶されている処理プログラムがＲＡＭを作業領域としてＣＰＵで実行されることにより、システムコントローラ６０に備えられる各構成要素の動作を制御して各種の処理を行うものであり、例えば、カードユニット２０，精算装置８０から送信されてきたカード残額の照合や、各ＤＢの更新処理を行うものである。
【０１２９】
ユニット用通信部６１ａは、前述の如くカードユニット２０のシステムコントローラ用通信部２９ａと通信可能に接続されており、システムコントローラ６０とカードユニット２０との間における通信を司るものである。
【０１３０】
このユニット用通信部６１ａは、入金処理が完了した旨を示す入金完了通知を入金要求の送信元であるカードユニット２０に対して返信するものである。ここでは、システムコントローラ６０が入金要求を受信したときに、制御部６２によって、受信した入金額が、受信したカードＩＤに対応付けて残額ＤＢで管理している管理残額に加算されたことに基づいて、入金完了通知を、該入金要求の送信元であるカードユニット２０に対して返信する。
【０１３１】
またユニット用通信部６１ａは、カード玉貸処理を許諾する旨を示す貸与許諾情報を貸与許諾要求の送信元のカードユニット２０に対して返信するものである。ここでは、システムコントローラ６０が貸与許諾要求を受信したときに、制御部６２により、〔受信したカード残額≦受信したカードＩＤに対応付けて残額ＤＢで管理している管理残額〕と判定されたときに、貸与許諾情報を該貸与許諾要求の送信元であるカードユニット２０に対して返信する。なお、カードユニット２０とシステムコントローラ６０との間の通信状態がオフラインであるときに、カードユニット２０にてカード残額が使用されると、〔受信したカード残額＜受信したカードＩＤに対応付けて残額ＤＢで管理している管理残額〕となる場合があり、必ずしも、〔受信したカード残額＝受信したカードＩＤに対応付けて残額ＤＢで管理している管理残額〕とはならないので、上記の判定条件としている。ここで、制御部６２は、〔受信したカード残額＜受信したカードＩＤに対応付けて残額ＤＢで管理している管理残額〕であるときには、管理残額を、受信したカード残額に更新して、〔カード残額＝管理残額〕とする処理を行う。
【０１３２】
またユニット用通信部６１ａは締め処理信号送信手段の一例であって、遊技用装置（カードユニット２０）に対して当該遊技場の営業終了に伴う締め処理（合計入金額，合計玉貸額の送信）を実行する旨を示す締め処理信号を送信するものである。
【０１３３】
ここで締め処理信号送信手段として機能するユニット用通信部６１ａは、後述する指定手段（ディスプレイ６４，入力装置６５）により指定された範囲（遊技島）に属する遊技用装置（カードユニット２０）に対してのみ、締め処理信号を送信するものであり、具体的には、図６（ｂ）に示す締め処理信号送信島設定画面において、選択された遊技島に属するカードユニット２０に対してのみ、締め処理信号を送信する。
【０１３４】
またユニット用通信部６１ａは第２上限値送信手段の一例であって、後述する第２上限値入力手段（ディスプレイ６４，入力装置６５）により入力された第２上限値を遊技用装置（カードユニット２０）に対して送信するものであり、具体的には、図６（ａ）に示す報知基準値設定画面において入力された第２上限値を各カードユニット２０に対して送信する。
【０１３５】
またユニット用通信部６１ａは第２下限値送信手段の一例であって、後述する第２下限値入力手段（ディスプレイ６４，入力装置６５）により入力された第２下限値を遊技用装置（カードユニット２０）に対して送信するものであり、具体的には、図６（ａ）に示す報知基準値設定画面において入力された第２下限値を各カードユニット２０に対して送信する。
【０１３６】
またユニット用通信部６１ａは、図６（ａ）に示す報知基準値設定画面において入力された第１上限値及び第１下限値を各カードユニット２０に対して送信する。
【０１３７】
さらにユニット用通信部６１ａは、カードユニット２０で締め処理が行われたときに、該カードユニット２０から送信された合計入金額，合計玉貸額を受信する。
【０１３８】
場外通信部６１ｃは、通信回線を通じて遊技場外の通信機器とのデータ通信を可能とするためのデジタルサービスユニット（ＤＳＵ）等を備え、カード会社に設けられた管理サーバ９０と通信可能に接続されており、システムコントローラ６０と管理サーバ９０との間における通信を司るものである。
【０１３９】
精算装置用通信部６１ｄは、精算装置８０の通信部８１と通信可能に接続されており、システムコントローラ６０と精算装置８０との間における通信を司るものである。
【０１４０】
この精算装置用通信部６１ｄは、精算を許諾する旨を示す精算許諾情報を精算許諾要求の送信元である精算装置８０に対して返信するものである。ここでは、システムコントローラ６０が精算許諾要求を受信したときに、制御部６２により、〔受信したカード残額≦受信したカードＩＤに対応付けて残額ＤＢで管理されている管理残額〕と判定されたときに、精算許諾情報を該精算許諾要求の送信元である精算装置８０に対して返信する。なお、カードユニット２０とシステムコントローラ６０との間の通信状態がオフラインであるときに、カードユニット２０にてカード残額が使用されると、〔受信したカード残額＜受信したカードＩＤに対応付けて残額ＤＢで管理されている管理残額〕となる場合があり、必ずしも、受信したカード残額＝受信したカードＩＤに対応付けて残額ＤＢで管理されている管理残額〕とはならないので、上記の判定条件としている。ここで、制御部６２は、〔受信したカード残額＜受信したカードＩＤに対応付けて残額ＤＢで管理している管理残額〕であるときには、管理残額を、受信したカード残額に更新して、〔カード残額＝管理残額〕とする処理を行う。
【０１４１】
記憶装置であるハードディスク６３は、図５（ａ）に示す残額ＤＢを記憶している。この残額ＤＢでは、各一般カード５の「カードＩＤ」に対応付けて、システムコントローラ６０で管理している有価価値の大きさである「管理残額」を管理している。従って、システムコントローラ６０では、カードユニット２０から、カード受付時にカード残額及びカードＩＤを受信することで、受信したカード残額と、管理している管理残額との照合を実施することができる。そして、照合がＮＧの場合にはカードの使用を許可しないことで、遊技場の損失を極力防止することができる。また、システムコントローラ６０では、精算装置８０から、カード受付時にカード残額及びカードＩＤを受信することで、受信したカード残額と、管理している管理残額との照合を実施することができる。そして、照合がＮＧの場合には精算を許可しないことで、遊技場の損失を極力防止することができる。
【０１４２】
この残額ＤＢは以下のようにして更新される。まず、カードユニット２０から送信される入金要求を受信したときに（図８のＳ１０５）、該入金要求に含まれるカード残額を、該入金要求に含まれるカードＩＤと対応付けて管理している管理残額に加算する（Ｓ１１０）。また、カードユニット２０から送信される減算要求を受信したときに（図１０のＳ３１１）、該減算要求に含まれる使用額を、該減算要求に含まれるカードＩＤに対応付けて管理している管理残額から減算する（Ｓ３２０）。
【０１４３】
またハードディスク６３は発行情報記憶手段の一例であって、遊技用装置（カードユニット２０）から受信した発行情報を記憶するものであり、カードユニット２０から締め処理時排出通知を受信したときに、図１６のＳ５３６に示すように、締め処理時排出通知に含まれるカードＩＤとカード残額を、受信した装置ＩＤに対応付けて締め処理時排出履歴（図示外）に記憶する。
【０１４４】
なお、ハードディスク６３は、図示しないが、締め処理が実施されたカードユニット２０から送信されてきた合計入金額，合計玉貸額に基づいて、各カードユニット２０の装置ＩＤ毎に営業日別の合計入金額，合計玉貸額を記憶している。
【０１４５】
ディスプレイ６４は、各種の情報を表示するための表示デバイスであり、例えば液晶ディスプレイである。このディスプレイ６４は出力手段の一例であって、前記発行情報記憶手段（ハードディスク６３）で記憶している発行情報を視認可能な態様で出力するものであり、図１６のＳ５４０に示すように、ハードディスク６３に記憶されている締め処理時排出履歴の記憶内容（装置ＩＤ，カードＩＤ，カード残額）を表示する。
【０１４６】
入力装置６５はシステムコントローラ６０に各種の情報を入力するためのデバイスであり、例えばキーボードやマウスである。
【０１４７】
ここでディスプレイ６４及び入力装置６５は第２上限値入力手段の一例であって、第２上限値を入力するためのものである。この第２上限値入力手段によって入力された第２上限値は、前記第２上限値設定手段（本例では、カードユニット２０のカードＲ／Ｗ制御部２９）によって設定される。
【０１４８】
またディスプレイ６４及び入力装置６５は第２下限値入力手段の一例であって、第２下限値を入力するためのものである。この第２下限値入力手段によって入力された第２下限値は、前記第２下限値設定手段（本例では、カードユニット２０のカードＲ／Ｗ制御部２９）によって設定される。
【０１４９】
具体的には、図６（ａ）に示すように、ディスプレイ６４に表示される報知基準値設定画面（この画面は、例えば報知基準値設定プログラムの起動により表示される。）において、「締め処理信号受信後」と記された枠中の第２上限値に対応する欄に、入力装置６５により第１上限値より低い所望の第２上限値（ここでは７）を入力すると共に、該入力した第２上限値の設定を有効とするか否かを、「第２上限値の設定を有効にする」という表示に対応するチェックボックスをチェックするか否かによって選択する。また、同枠中の第２下限値に対応する欄に、入力装置６５により第１下限値より高い所望の第２下限値（ここでは３）を入力すると共に、該入力した第２下限値の設定を有効とするか否かを、「第２下限値の設定を有効にする」という表示に対応するチェックボックスをチェックするか否かによって選択する。
【０１５０】
各値の入力及び選択を完了して、画面下の「設定」ボタンを選択すると、該入力された第２上限値，第２上限値設定情報，第２下限値，及び第２下限値設定情報が各カードユニット２０に送信されて、カードＲ／Ｗ制御部２９が備えるＥＥＰＲＯＭのスイッチテーブルに記憶される。なお、本例では、第１上限値及び第１下限値についても設定が可能であり、報知基準値設定画面において、「営業時間中」と記された枠中の第１上限値に対応する欄に、入力装置６５により所望の第１上限値（ここでは１０）を入力すると共に、同枠中の第１下限値に対応する欄に、入力装置６５により所望の第１下限値（ここでは０）を入力した状態で、上記「設定」ボタンを選択することで、該入力された第１上限値及び第１下限値が各カードユニット２０に送信されて、ユニット制御部２２のＥＥＰＲＯＭに記憶されて設定される。
【０１５１】
このように、システムコントローラ６０において入力された第２上限値，第２下限値をカードユニット２０に対して送信し、カードユニット２０が送信されてきた第２上限値，第２下限値を設定するので、各々のカードユニット２０で逐次第２上限値，第２下限値を設定する手間が省ける。また、遊技場の希望に沿った第２上限値，第２下限値を設定することができる。同様に、システムコントローラ６０において入力された第１上限値，第１下限値をカードユニット２０に対して送信し、カードユニット２０が送信されてきた第１上限値，第１下限値を設定するので、各々のカードユニット２０で逐次第１上限値，第１下限値を設定する手間が省ける。また、遊技場の希望に沿った第１上限値，第１下限値を設定することができる。
【０１５２】
ここで入力する第１上限値，及び第１下限値は、営業時間中の報知基準値であるため、各々カードストッカ２８が収納可能な収納限界値，及び零枚（あるいは各々それに近い枚数）にしておくと良い。営業時間中は、少なくともカードユニット２０が稼働できる状態であれば良いので、カードストッカ２８がＦＵＬＬの状態，ＥＭＰＴＹの状態（あるいは各々それに近い状態）以外は特に報知する必要はないからである。一方、第２上限値，及び第２下限値は、翌日のカードの回収作業・補充作業が極力低減できる範囲が良く、ＦＵＬＬの状態，及びＥＭＰＴＹの状態の両方からできるだけ遠い枚数とするのが良い。ここでは、第２上限値，第２下限値を各々３，７とすることで翌営業日の営業開始時点でストック枚数が４〜６の間とすることを促している。
【０１５３】
さらにディスプレイ６４及び入力装置６５は指定手段の一例であって、締め処理信号の送信対象となる遊技用装置（カードユニット２０）が属する範囲（遊技島）を指定するためのものである。ここでは図６（ｂ）に示すように、ディスプレイ６４に表示される締め処理信号送信島設定画面（この画面は、例えば締め処理プログラムの起動により表示される。）において、締め処理信号の送信対象とする遊技島（ここでは１〜７番島まで表示され、当該遊技島に属するカードユニット２０の装置ＩＤも表示されている）に対応するチェックボックスをチェックして、画面下の「送信」ボタンを選択することで、該チェックが行われた遊技島に属するカードユニット２０に対してのみ、締め処理信号が送信されることとなる。この例では、１番島，２番島のチェックボックスがチェックされているので、１番島に属するカードユニット２０（ここでは装置ＩＤがCU0001〜CU0015の装置）と、２番島に属するカードユニット２０（ここでは装置ＩＤがCU0016〜CU0045の装置）に対してのみ、締め処理信号が送信される。
【０１５４】
このように、システムコントローラ６０において指定された遊技島に属するカードユニット２０に対してのみ、締め処理信号を送信するので、閉店を待たずに遊技者のいなくなった遊技島のカードユニット２０に対してのみ締め処理信号を送信することができる。これにより、使用されていないカードユニット２０に対して先行して締め処理を実施させることができ、締め処理の効率化を図ることが可能となる。
【０１５５】
次に精算装置８０について説明する。この精算装置８０は、遊技場内の所定箇所（例えば遊技島の端部や景品交換カウンタの近傍等）に設けられ、図７（ａ）に示すように、キオスク端末型の形状を呈するものであり、その前面にカード挿入口８３ａ，紙幣払出口８５ａ，硬貨払出口８６ａ，及びディスプレイ８４等を備え、図２に示すように、その内部に通信部８１，制御部８２，カードＲ／Ｗ８３，紙幣払出機８５，及び硬貨払出機８６等を備えており、これらの各構成要素は図２に示すように接続されている。
【０１５６】
通信部８１は、システムコントローラ６０の精算装置用通信部６１ｄと通信可能に接続されており、精算装置８０とシステムコントローラ６０との間における通信を司るものである。この通信部８１は、カードＲ／Ｗ８３が一般カード５を受け付けたときに、該一般カード５から読み取られたカードＩＤとカード残額とを含む精算許諾要求を、装置ＩＤと共にシステムコントローラ６０に対して送信する。また、カード残額相当の貨幣の払い出しが完了したときに、カードＩＤを含む精算完了通知をシステムコントローラ６０に対して送信する。
【０１５７】
制御部８２は、ＣＰＵ，ＲＡＭ，ＲＯＭ，ＥＥＰＲＯＭ等を備えており、ＲＯＭ又はＥＥＰＲＯＭに記憶されている処理プログラムがＲＡＭを作業領域としてＣＰＵで実行されることにより、精算装置８０に備えられる各構成要素の動作を制御して各種の処理を行うものである。
【０１５８】
カードＲ／Ｗ８３は、カード挿入口８３ａから一般カード５を受け付けて、該一般カード５に記録されたカードＩＤ及びカード残額を読み取ると共に、該受け付けた一般カード５からカード残額を消去するものであり、ここでは前記ＩＣカードである一般カード５に対応したＩＣカードＲ／Ｗを備えている。
【０１５９】
カード回収部８３ｂは、カードＲ／Ｗ８３により受け付けている一般カード５からカード残額が消去されたときに、該受け付けている一般カード５を回収するものであり、具体的には、該受け付けている一般カード５を精算装置８０の背面方向に搬送してカード回収部８３ｂの内部に回収（収納）する。このカード回収部８３ｂは、複数枚の一般カード５を回収可能である。
【０１６０】
ディスプレイ８４は、図７（ｂ）に示すように、各種の情報を表示するための表示デバイスである。このディスプレイ８４では、一般カード５を受付可能なときに、Ｄ１に示すように、カードの挿入を促す旨が表示される。また後述する貨幣を返却するときに、Ｄ２に示すように、残額を返却する旨，及びカードを回収する旨が表示される。なおシステムコントローラ６０から精算不可情報を受信したときには、Ｄ３に示すように、カードに異常がある旨が表示される。
【０１６１】
紙幣払出機８５及び硬貨払出機８６は、システムコントローラ６０から精算許諾情報が返信されてきたときに、カード残額に相当する金額の貨幣を遊技者に返却するものであり、具体的には、紙幣払出機８５の背後に設けられる紙幣収納部８５ｂから所定数の紙幣２を取り出して紙幣払出口８５ａから払い出すと共に、硬貨払出機８６の上部に設けられる硬貨収納部８６ｂから所定数の硬貨３を取り出して硬貨払出口８６ａから払い出す。
【０１６２】
管理サーバ９０は、遊技場外（例えば一般カード５を発行するカード会社）に設けられ、前記システムコントローラ６０の場外通信部６１ｃと、通信回線を介して双方向のデータ通信を実施できるように接続されている。この管理サーバではシステムコントローラ６０との通信によってカードＩＤ毎に入金額，使用額，管理残額を記憶しており、一般カード５による売上を把握可能である。また、システムコントローラ６０並びにカードユニット２０のエラー状況等を把握できるようになっている。
【０１６３】
以上に説明した遊技用システム１の作用について図８〜図１９を用いて説明する。まず、図８を用いて、カードユニット２０が貨幣を受け付けたときの処理について説明する。
【０１６４】
図８に示すように、遊技者が紙幣２又は硬貨３をカードユニット２０に入金することで紙幣識別機２３又は硬貨識別機２４によって紙幣２又は硬貨３が受け付けられると（Ｓ１００）、該貨幣の受付を検出したユニット制御部２２において入金不可の状態であるか否かの判定が実施される（Ｓ１０１）。Ｓ１０１の判定で入金不可の状態であると判定されたときには（Ｙ）、受け付けた紙幣２又は硬貨３が紙幣挿入口２３ａ又は硬貨返却口２４ｆから返却される（Ｓ１０２ａ）。一方、Ｓ１０１の判定で入金不可の状態でないと判定されると（Ｎ）、受け付けた紙幣２又は硬貨３が紙幣識別機２３又は硬貨識別機２４で識別される（Ｓ１０２）。
【０１６５】
次いで、ユニット制御部２２は、Ｓ１０２の識別結果としての入金額をカードＲ／Ｗ制御部２９に通知し（Ｓ１０３）、該通知を受けたカードＲ／Ｗ制御部２９は、〔現在のカード残額＋入金額〕を、新たなカード残額としてカードＲ／Ｗ２７の一般カード５に記録し（Ｓ１０４）、入金額と前記一般カード５のカードＩＤを含む入金要求を、装置ＩＤと共にシステムコントローラ６０に対して送信する（Ｓ１０５）。Ｓ１０５で送信された情報を受信したシステムコントローラ６０においては、受信したカードＩＤと対応付けて残額ＤＢに記憶されている管理残額に、同受信した入金額を加算して更新する（Ｓ１１０）。そして、入金額を加算更新した旨を示す入金完了通知を、受信した装置ＩＤのカードユニット２０に対して送信する（Ｓ１２０）。
【０１６６】
Ｓ１２０の入金完了通知を受信したカードＲ／Ｗ制御部２９では、一般カード５のカード残額（即ち上述した新たなカード残額）をユニット制御部２２に通知する（Ｓ１２１）。カード残額の通知を受けたユニット制御部２２は、該カード残額に相当する残度数を残度数表示器１４に表示すると共に、カード玉貸可能状態となる（Ｓ１２２）。なお、Ｓ１２２の処理を行うにあたり、既にカード玉貸可能状態となっているとき（つまり残額有りの一般カード５に追加入金されたとき）には、該カード玉貸可能状態が継続する。また、Ｓ１２１のカード残額通知を行ったカードＲ／Ｗ制御部２９では、カードの前方挿入（カード挿入口２７ａからのカード挿入）を禁止する。ここで既にカードの前方挿入が禁止されているとき（つまり残額有りの一般カード５に追加入金されたとき）には、該前方挿入の禁止状態が継続する。
【０１６７】
次に、図９を用いて、一般カード５がカードユニット２０に挿入される際（前方挿入時）の処理について説明する。一般カード５がカード挿入口２７ａから挿入される際、該挿入されようとしている一般カード５のカード端（カードユニット２０内に挿入されている部分）の検出がカード挿入口２７ａ付近に設けられたセンサによって行われ（Ｓ２００）、カードＲ／Ｗ制御部２９が、該検出に基づいて、カード前方挿入禁止の状態であるか否かの判定を実施する（Ｓ２０１）。Ｓ２０１の判定で、カード前方挿入禁止の状態であると判定されたときには（Ｙ）、カードの取込処理を行わずに処理を終了する（Ｓ２０２ａ）。一方、Ｓ２０１の判定で、カード前方挿入禁止の状態でないと判定されたときには（Ｎ）、カードＲ／Ｗ２７のカード（即ち残額無しの一般カード５）をカードストッカ２８に収納する収納処理を行う（Ｓ２０２）。
【０１６８】
次いで、前記挿入されようとしているカードの取込処理が実施され、取り込まれた一般カード５がカードＲ／Ｗ２７に受け付けられた状態となる（Ｓ２０３）。この取込処理の際、カードＲ／Ｗ制御部２９においては、取込処理が行われたことに基づいて、計数しているストック枚数に１を加算して、ストック枚数の更新に伴い後述するＳＡ０１以下の処理を行う。また、カードＲ／Ｗ制御部２９では、カードの前方挿入を禁止する。次いで、カードＲ／Ｗ２７により受け付けた一般カード５の記録情報が読み取られ（Ｓ２０４）、カードＲ／Ｗ制御部２９は、読み取られたカードＩＤとカード残額を含む貸与許諾要求を、装置ＩＤと共にシステムコントローラ６０に送信する（Ｓ２０５）。
【０１６９】
Ｓ２０５の貸与許諾要求を受信したシステムコントローラ６０では、受信した貸与許諾要求に含まれるカード残額が、同貸与許諾要求に含まれるカードＩＤに対応付けて残額ＤＢに記憶している管理残額以下であるか否か（受信したカード残額≦受信したカードＩＤに対応する管理残額？）の照合を実施する（Ｓ２１０）。このＳ２１０の照合が照合ＯＫ（即ち、受信したカード残額≦受信したカードＩＤに対応する管理残額）であるときには、該照合ＯＫの旨を示す貸与許諾情報を前記Ｓ２０５で送信されてきた装置ＩＤのカードユニット２０に対して送信する（Ｓ２２０）。なお、カードユニット２０とシステムコントローラ６０との間の通信状態がオフラインであるときに、カードユニット２０にてカード残額が使用されると、受信したカード残額＜受信したカードＩＤに対応する管理残額となるが、この場合には、受信したカードＩＤに対応付けて残額ＤＢに記憶している管理残額を、受信したカード残額に更新しておく。
【０１７０】
Ｓ２２０の貸与許諾情報を受信したカードＲ／Ｗ制御部２９では、カード残額をユニット制御部２２に通知する（Ｓ２２１）。カード残額の通知を受けたユニット制御部２２は、カード残額に相当する残度数を残度数表示器１４に表示すると共に、カード玉貸可能状態となる（Ｓ２２２）。ここで、Ｓ２１０に戻り、該Ｓ２１０で照合ＮＧ（即ち、受信したカード残額＞受信したカードＩＤに対応する管理残額）である場合には、該照合ＮＧの旨を示す貸与不可情報を前記Ｓ２０５で送信されてきた装置ＩＤのカードユニット２０に対して送信する（Ｓ２３０）。貸与不可情報を受信したカードＲ／Ｗ制御部２９では、カードＲ／Ｗ２７により受け付けた一般カード５を排出する（Ｓ２３１）。この排出処理の際、カードＲ／Ｗ制御部２９においては、排出処理が行われたことに基づいて、計数しているストック枚数から１を減算して、ストック枚数の更新に伴い後述するＳＡ０１以下の処理を行う。また、カードＲ／Ｗ制御部２９では、カードの前方挿入禁止を解除する。
【０１７１】
次に、図１０を用いて、カードユニット２０の玉貸ボタンが操作された際の処理について説明する。玉貸ボタン１５の操作が検出されると（Ｓ３００）、カード玉貸可能状態であるか否かの判定が実施され（Ｓ３０１）、カード玉貸可能状態であると判定された場合には（Ｙ）、Ｓ３１０のカード玉貸処理が行われる。一方、Ｓ３０１の判定で、カード玉貸可能状態でないと判定された場合には（Ｎ）、処理が終了する（Ｓ３０２）。
【０１７２】
カード玉貸処理に伴う処理について説明する。図４で説明したようにして、カード玉貸処理が行われると（Ｓ３１０）、今回のカード玉貸処理で使用された使用額（ここではユニット制御部２２から払出制御基板１２に指示した度数分の金額であり、例えば玉貸設定金額分の５００円）と、一般カード５から読み取られたカードＩＤを含む減算要求を、当該装置ＩＤと共にシステムコントローラ６０に対して送信する（Ｓ３１１）。
【０１７３】
Ｓ３１１で送信された減算要求を受信したシステムコントローラ６０においては、受信したカードＩＤに対応付けて残額ＤＢに記憶している管理残額から受信した使用額を減算し（Ｓ３２０）、減算完了に伴う減算完了通知を前記装置ＩＤの送信元であるカードユニット２０に送信する（Ｓ３２１）。該減算完了通知を受信したカードＲ／Ｗ制御部２９は、カード残額（減算更新後のカード残額）をユニット制御部２２に通知する（Ｓ３２２）。ユニット制御部２２は、通知されたカード残額が零であるか否かの判定を実施する（Ｓ３２３）。Ｓ３２３の判定で、カード残額が零であると判定されたときは（Ｙ）、カード玉貸可能状態を解除して（Ｓ３２４）、使用完了通知をカードＲ／Ｗ制御部２９に送信する（Ｓ３２５）。使用完了通知を受けたカードＲ／Ｗ制御部２９は、カードＲ／Ｗ２７で受け付けているカード（つまり、カード残額が零の一般カード５）をカードＲ／Ｗ２７部で留保（Ｓ３２６）する。また、カードＲ／Ｗ制御部２９では、カードの前方挿入禁止を解除する。但し、ストック枚数が収納限界値（１０）に達しているときには前方挿入禁止状態を継続する。一方、Ｓ３２３でカード残額が零でないと判定されたときには（Ｎ）、カード玉貸可能状態を継続する（Ｓ３２４ａ）。
【０１７４】
次に、図１１を用いて、カード返却ボタン１６が操作された際の処理について説明する。ユニット制御部２２において、カード返却ボタン１６の操作が検出されると（Ｓ４００）、カード玉貸可能状態であるか否かの判定が実施される（Ｓ４０１）。Ｓ４０１の判定でカード玉貸可能状態であると判定された場合には（Ｙ）、カード玉貸可能状態を解除して（Ｓ４０２）、カード返却ボタン１６が操作された旨を示す返却操作通知をカードＲ／Ｗ制御部２９に送信し（Ｓ４０３）、カードＲ／Ｗ制御部２９は、返却操作通知を受けたことに基づいてカードＲ／Ｗ２７のカードを排出する（Ｓ４０４）。この排出処理の際、カードＲ／Ｗ制御部２９においては、排出処理が行われたことに基づいて、計数しているストック枚数から１を減算して、ストック枚数の更新に伴い後述するＳＡ０１以下の処理を行う。また、カードＲ／Ｗ制御部２９では、カードの前方挿入禁止を解除する。
【０１７５】
次に、図１２を用いて、営業時間中のストック枚数の更新に伴うストック枚数の判定，報知について説明する。営業時間中に、カードの取込処理，排出処理に伴うストック枚数の更新が行われると、カードＲ／Ｗ制御部２９からユニット制御部２２に対して更新後のストック枚数が通知される（ＳＡ０１）、次いでユニット制御部２２では、通知されたストック枚数が第１上限値（ここでは１０）以上であるか否かの判定が実施される（ＳＡ０２）。ＳＡ０２の判定で、第１上限値以上であると判定されたときには（Ｙ）、多機能ランプ２６により該第１上限値以上である旨が報知される（ＳＡ１１）。この報知（黄点灯）によって、遊技場の店員は、ストック枚数が第１上限値以上であるカードユニット２０を把握して、後述するようにメンテナンスモードに移行させて、回収モードでカードの回収を行い、ストック枚数を適正値にすることができる。なお、カードＲ／Ｗ制御部２９は、ＳＡ０１で通知するストック枚数が収納限界値（１０）に達しているときには、カードの前方挿入を禁止する。
【０１７６】
一方、ＳＡ０２の判定で、第１上限値以上でないと判定されたときには（Ｎ）、次いでストック枚数が第１下限値（ここでは０）以下であるか否かの判定が実施される（ＳＡ０３）。ＳＡ０３の判定で、第１下限値以下であると判定されたときには（Ｙ）、多機能ランプ２６により該第１下限値以下である旨が報知される（ＳＡ１２）。この報知（紫点灯）によって、遊技場の店員は、ストック枚数が第１下限値以下であるカードユニット２０を把握して、後述するようにメンテナンスモードに移行させて、補充モードでカードの補充を行い、ストック枚数を適正値にすることができる。なお、ユニット制御部２２は、ＳＡ０１で通知されたストック枚数が零であるときには、入金を禁止する。
【０１７７】
一方、ＳＡ０３の判定で、第１下限値以下でないと判定されたときには（Ｎ）、多機能ランプ２６により第１の範囲内（第１下限値＜ストック枚数＜第１上限値であり、ここでは１〜９）である旨が報知される（ＳＡ０４）。この報知（緑点灯）が行われることで、遊技場の店員は、当該カードユニット２０で早急にカードの回収・補充を行う必要はないことを把握することができる。
【０１７８】
次に、図１３を用いて、メンテナンスモード移行操作が行われたときの処理について説明する。遊技場の店員が、リモートコントローラ３０の上部をカードユニット２０（例えば、ストック枚数が第１上限値以上である旨が報知されている（黄点灯している）カードユニット２０，ストック枚数が第１下限値以下である旨が報知されている（紫点灯している）カードユニット２０，及び締め処理時報値手段による報知が行われている（緑点滅している）カードユニット２０等）の赤外線受信部２５ｂに向けて、メンテナンスボタンを押圧操作すると、メンテナンスモード移行要求が前記赤外線受信部２５ｂに対して送信される。
【０１７９】
上記リモートコントローラ３０から送信されたメンテナンスモード移行要求を赤外線受信部２５ｂが受信すると、ユニット制御部２２が該受信を検出して（ＳＢ０１）、カード玉貸可能状態であるか否かの判定が実施される（ＳＢ０２）。ＳＢ０２の判定でカード玉貸可能状態であると判定されたときには（Ｙ）、メンテナンスモードに移行せず、処理を終了する（ＳＢ０３ａ）。一方、ＳＢ０２の判定でカード玉貸可能状態でないと判定されたときには（Ｎ）、メンテナンスモードに移行する旨を示すメンテナンス通知をカードＲ／Ｗ制御部２９に送信する（ＳＢ０３）。ＳＢ０３のメンテナンス通知を受けたカードＲ／Ｗ制御部２９では、メンテナンスモードに移行すると共に（ＳＢ０４）、計数しているストック枚数をユニット制御部２２に通知する（ＳＢ０５）。ストック枚数の通知を受けたユニット制御部２２では、メンテナンスモードに移行して、ストック枚数を表示部２５ａに表示する（ＳＢ０６）。なお、このメンテナンスモードへの移行に伴い、ユニット制御部２２が入金を不可とする。
【０１８０】
このように、カードユニット２０において、メンテナンスモードに移行することに基づいて表示部２５ａにストック数を表示するので、店員は収納されているカードの枚数を把握することができ、カードの回収や補充を行う際の正確な調整が可能となる。
【０１８１】
次に、図１４を用いて、回収モード起動操作が行われたときの処理について説明する。遊技場の店員が、リモートコントローラ３０の上部をカードユニット２０の赤外線受信部２５ｂに向けて、回収ボタンを押圧操作すると、回収モード起動要求が前記赤外線受信部２５ｂに対して送信される。
【０１８２】
上記リモートコントローラ３０から送信された回収モード起動要求を赤外線受信部２５ｂが受信すると、ユニット制御部２２が該受信を検出して（ＳＣ０１）、メンテナンスモードであるか否かの判定が実施される（ＳＣ０２）。ＳＣ０２の判定で、メンテナンスモードでないと判定されたときには（Ｎ）、処理を行わない（ＳＣ０３ａ）。つまり回収モードを起動しない。一方、ＳＣ０２の判定で、メンテナンスモードであると判定されると（Ｙ）、回収モードが起動（ＳＣ０３）する。この回収モード起動に伴い、表示部２５ａに、回収モードが起動中である旨を示すｏｕｔが表示される。次いで、ユニット制御部２２からカードＲ／Ｗ制御部２９に対して、回収モードを起動する旨を示す回収通知を送る（ＳＣ０４）。回収通知を受けたカードＲ／Ｗ制御部２９では、回収モードが起動して（ＳＣ０５）、カードＲ／Ｗ２７部のカードが排出されて抜取待ち状態となる（ＳＣ０６）。この排出処理の際、カードＲ／Ｗ制御部２９においては、排出処理が行われたことに基づいて、計数しているストック枚数から１を減算する。ＳＣ０６の処理の後、カードＲ／Ｗ制御部２９からユニット制御部２２に対してストック枚数が通知され（ＳＣ０７）、該通知を受けたユニット制御部２２では、通知されたストック枚数（減算更新後のストック枚数）を表示する（ＳＣ０８）。
【０１８３】
ＳＣ０６でカード抜取待ち状態となったカードＲ／Ｗ制御部２９においては、カードの抜き取りを検出すると（ＳＣ０９）、カードストッカ２８に収納されている一般カード５のうちの１枚をカードＲ／Ｗ２７まで供給して待機させる（ＳＣ１０）。そして、ユニット制御部２２からの解除通知（後述するＳＦ０３）を受信したか否か（即ち、当該カードユニット２０がメンテナンスモード解除要求を受信したか否か）を判定し（ＳＣ１１）、受信していないと判定されたときには（Ｎ）、ＳＣ０６以降の処理が繰り返される。つまり、回収モードが継続する。一方、ＳＣ１１の判定で、受信したと判定されたときには（Ｙ）、処理を終了する（ＳＣ１２）。この回収モードによって、カードを回収し、適切なストック枚数とすることができる。
【０１８４】
次に、図１５を用いて、補充モード起動操作が行われたときの処理について説明する。遊技場の店員が、リモートコントローラ３０の上部をカードユニット２０の赤外線受信部２５ｂに向けて、補充ボタンを押圧操作すると、補充モード起動要求が前記赤外線受信部２５ｂに対して送信される。
【０１８５】
上記リモートコントローラ３０から送信された補充モード起動要求を赤外線受信部２５ｂが受信すると、ユニット制御部２２が該受信を検出して（ＳＤ０１）、メンテナンスモードであるか否かの判定が実施される（ＳＤ０２）。ＳＤ０２の判定で、メンテナンスモードでないと判定されたときには（Ｎ）、処理を行わない（ＳＤ０３ａ）。つまり補充モードを起動しない。一方、ＳＤ０２の判定で、メンテナンスモードであると判定されると（Ｙ）、補充モードが起動（ＳＤ０３）する。この補充モード起動に伴い、表示部２５ａに、補充モードが起動中である旨を示すｉｎが表示される。次いで、ユニット制御部２２からカードＲ／Ｗ制御部２９に対して、補充モードを起動する旨を示す補充通知を送る（ＳＤ０４）。補充通知を受けたカードＲ／Ｗ制御部２９では、補充モードが起動して（ＳＤ０５）、カードの挿入待ち状態となる（ＳＤ０６）。
【０１８６】
ＳＤ０６でカード挿入待ち状態となったカードＲ／Ｗ制御部２９においては、カードの前方挿入を検出すると（ＳＤ０７）、カードＲ／Ｗ２７部のカードをカードストッカ２８に収納する収納処理を行い（ＳＤ０８）、検出した前方挿入カードのカードＲ／Ｗ２７への取込処理を行う（ＳＤ０９）。この取込処理の際、カードＲ／Ｗ制御部２９においては、取込処理が行われたことに基づいて、計数しているストック枚数に１を加算する。ＳＤ０９の処理の後、カードＲ／Ｗ制御部２９からユニット制御部２２に対してストック枚数が通知され（ＳＤ１０）、該通知を受けたユニット制御部２２では、通知されたストック枚数（加算更新後のストック枚数）を表示する（ＳＤ１１）。ＳＤ１０のストック枚数の通知後、カードＲ／Ｗ制御部２９は、ユニット制御部２２からの解除通知（後述するＳＦ０３）を受信したか否か（即ち、当該カードユニット２０がメンテナンスモード解除要求を受信したか否か）を判定し（ＳＤ１２）、受信していないと判定されたときには（Ｎ）、ＳＤ０６以降の処理が繰り返される。つまり、補充モードが継続する。一方、ＳＤ１２の判定で、受信したと判定されたときには（Ｙ）、処理を終了する（ＳＤ１３）。この補充モードによって、カードを補充し、適切なストック枚数とすることができる。
【０１８７】
次に、図１６を用いて、締め処理信号送信時の処理について説明する。図６（ｂ）に示したようにして、システムコントローラ６０において、締め処理信号の送信ボタンが選択されると（Ｓ５００）、指定された遊技島に属するカードユニット２０に対して締め処理信号が送信される（Ｓ５１０）。締め処理信号を受信したカードＲ／Ｗ制御部２９は、カードＲ／Ｗ２７のカードにカード残額が残存しているか否か（即ちカード残額が零であるか否か）を判定し（Ｓ５２０）、残額が残存している（即ちカード残額が零でない）と判定されたときには（Ｙ）、残額が残存している旨の残存通知をユニット制御部２２に送信する（Ｓ５２１）。残存通知を受けたユニット制御部２２は多機能ランプ２６を赤点滅させることで残額が残存している旨を報知する（Ｓ５２２）。一方、Ｓ５２０で残額が残存してない（即ちカード残額が零である）と判定されたときには（Ｎ）、カードＲ／Ｗ制御部２９からユニット制御部２２に締め処理を実施する旨の締め処理通知が送られて、ユニット制御部２２及びカードＲ／Ｗ制御部２９により締め処理が行われる（ＳＥ０１）。
【０１８８】
このように、残額が残存しているカードユニット２０で報知が行われるので、遊技場の店員が、残額が残存しているカードユニット２０を発見して、残額有りのカードを排出して回収することができる。従って、カードユニット２０に残額が残存している状態で翌日の営業開始を迎えることを防止し、パチンコ機１０の稼働率の低下を防止することができる。
【０１８９】
Ｓ５２２の残額が残存している旨の報知が行われている状態で、ユニット制御部２２がカード返却ボタン１６の操作を検出すると（Ｓ５３０）、カード玉貸可能状態を解除して（Ｓ５３１）、返却操作通知をカードＲ／Ｗ制御部２９に送る（Ｓ５３３）。返却操作通知を受けたカードＲ／Ｗ制御部２９では、カードＲ／Ｗ２７のカード（残額有りの一般カード５）を排出し（Ｓ５３４）、締め処理信号を受信した後にカードを排出した旨を示す締め処理時排出通知を装置ＩＤと共にシステムコントローラ６０に送信する（Ｓ５３５）。この締め処理時排出通知には、Ｓ５３４で排出するカードから読み取ったカードＩＤ，カード残額が含まれる。Ｓ５３４の排出処理の際、カードＲ／Ｗ制御部２９においては、排出処理が行われたことに基づいて、計数しているストック枚数から１を減算する。そして排出処理後、排出が完了した旨を示す排出完了通知をユニット制御部２２に送り（Ｓ５３７）、該排出完了通知を受けたユニット制御部２２では残額が残存している旨の報知（赤点滅）を終了する（Ｓ５３８）。カードＲ／Ｗ制御部２９は、排出完了通知を送った後、さらにユニット制御部２２に締め処理通知を送り、ユニット制御部２２及びカードＲ／Ｗ制御部２９により締め処理が行われる（ＳＥ０１）。
【０１９０】
このように、残額有りのカードが排出された後に報知を終了するようにしているので、残額が残存している旨を報知しているカードユニット２０から確実に残額有りのカードを回収して翌日の開店を迎えることができる。
【０１９１】
Ｓ５３５の締め処理時排出通知を受信したシステムコントローラ６０では、制御部６２が、締め処理時排出通知に含まれるカードＩＤとカード残額を、該締め処理時排出通知と共に受信した装置ＩＤと対応付けて締め処理時排出履歴に記憶する（Ｓ５３６）。この締め処理時排出履歴はハードディスク６３（又は制御部６２のＲＡＭであっても良い）に記憶される。そして、ディスプレイ６４には、締め処理時排出履歴の内容が表示される（Ｓ５４０）。
【０１９２】
このように残額有りのカードを排出した旨がシステムコントローラ６０通知され、ディスプレイ６４に該排出が行われたカードユニット２０の装置ＩＤと、排出されたカードのカードＩＤ及びカード残額が表示されるので、遊技場側では、残有りカードが排出されたカードユニット２０の装置ＩＤ，排出されたカードのカードＩＤ及びカード残額を把握して、遊技場の店員による不正（例えば排出されたカードを精算して着服する等）の発見や防止に役立てることができる。
【０１９３】
次に、図１７を用いて、締め処理以降の処理について説明する。ユニット制御部２２及びカードＲ／Ｗ制御部２９によって前述した締め処理（合計入金額，合計使用額の送信）が実施されて（ＳＥ０１）、締め処理が完了すると、カードＲ／Ｗ制御部２９からユニット制御部２２に対して、スイッチテーブル及びストック枚数通知が送信される（ＳＥ０４）。ユニット制御部２２は、スイッチテーブルを参照して、第２上限値設定情報が第２上限値の設定を有効とする旨を示すか否かを判定する（ＳＥ０５）。ＳＥ０５で有効とする旨を示すと判定されたときには（Ｙ）、ストック枚数がスイッチテーブルの第２上限値以上であるか否かを判定する（ＳＥ０６：第２上限値判定）。ＳＥ０６で第２上限値以上であると判定されたときには、多機能ランプによる報知（緑点滅）が行われる（ＳＥ０７）と共に、自動的にメンテナンスモードに移行する（ＳＥ０８）。つまり、前述したＳＢ０３〜ＳＢ０６の処理が自動的に実施される。
【０１９４】
従って、カードの回収作業を閉店時に行う遊技場においては、図６（ａ）の報知基準値設定画面で２上限値の設定を有効にするよう選択する（「第２上限値の設定を有効にする」チェックボックスをチェックする）ことで、締め処理の際に、店員が、ストック枚数が第２上限値以上のカードユニット２０を把握して、カードの回収作業を行うことができる。これにより、適切なストック枚数で翌日の営業開始を迎えることができ、遊技場の営業時間内での店員による記録媒体の回収作業が極力不要となるので、円滑な営業を行うことができる。
【０１９５】
一方、ＳＥ０５の判定で、第２上限値の設定を有効としない旨を示すと判定されたときには（Ｎ）、ストック枚数が収納限界値（１０）に達しているか否かを判定する（ＳＥ１０：収納限界値判定）。ＳＥ１０で収納限界値に達していると判定されたときには（Ｙ）、多機能ランプによる報知（緑点滅）が行われる（ＳＥ１１）と共に、自動的にメンテナンスモードに移行する（ＳＥ１２）。つまり、前述したＳＢ０３〜ＳＢ０６の処理が自動的に実施される。
【０１９６】
従って、カードの回収作業を閉店時に行わず翌営業日に行うことを希望する遊技場においては、図６（ａ）の報知基準値設定画面で２上限値の設定を有効にしないよう選択する（「第２上限値の設定を有効にする」チェックボックスをチェックしない）ことで、締め処理の際に、店員が、翌営業日の営業開始時点で動作に支障のある（ストック枚数が収納限界値に達しているため一般カード５の挿入ができない）カードユニット２０を把握して、カードの回収作業を行うことができる。つまり、本来、翌営業日に回収作業を行うことを希望する遊技場であれば、当日中の対応を行わないことで、翌日の営業開始時点で動作に支障のあるカードユニット２０が存在する場合があり、これによる稼働率の低下及び売上の減少が生じてしまうという問題があるが、このような遊技場で、第２上限値の設定を有効にしないよう選択する（「第２上限値の設定を有効にする」チェックボックスをチェックしない）ことで、単にストック枚数が第２上限値以上の（但し収納限界値には達していない）カードユニット２０については報知が行われず、ストック枚数が収納限界値に達しているため外部からのカード挿入ができない（即ち一般カード５による台移動が不可能な）カードユニット２０についてのみ報知が行われることとなる。即ち、ストック枚数が第２上限値以上であっても翌日の営業開始時点で動作に支障のないカードユニット２０については本来の翌日対応とすることができ、最低限、動作に支障のあるカードユニット２０を把握して当日中の対応を行うことで、翌営業日のパチンコ機１０の稼働率低下による売上の減少を回避することができる。
【０１９７】
また、ＳＥ０８又はＳＥ１２に示すように、カードユニット２０において、ストック枚数が第２上限値以上であると判定されたとき，又は収納限界値に達していると判定されたときには、メンテナンスモード移行要求の受付によらずメンテナンスモードに自動的に移行するので、カードユニット２０をメンテナンスモードに移行するための店員のリモコン操作が不要であり、店員の負担が軽減される。
【０１９８】
なお、ＳＥ０８又はＳＥ１２において自動的にメンテナンスモードに移行すると、回収モード起動要求の受信によって回収モードが起動し（図２３のＳＣ０３，ＳＣ０５）、カードが排出される（ＳＣ０６）。
【０１９９】
このように、カードユニット２０において、ストック枚数が第２上限値以上であると判定されたとき，又は収納限界値に達していると判定されたときに、回収モードの起動に伴いカードＲ／Ｗ２７部のカードを、カード挿入口２７ａから外部に排出する処理を行うので、カードを回収するためにパチンコ機台間からカードユニット２０を引き出して、カードストッカ２８を取り出す作業等が不要であり、店員の回収作業の負担を軽減することができる。
【０２００】
前記ＳＥ０６の判定で、ストック枚数が第２上限値以上でないと判定されたとき（Ｎ），又は前記ＳＥ１０の判定で、ストック枚数が収納限界値に達していないと判定されたときには（Ｎ）、ユニット制御部２２は、スイッチテーブルを参照して、第２下限値設定情報が第２下限値の設定を有効とする旨を示すか否かを判定する（ＳＥ２０）。ＳＥ２０で有効とする旨を示すと判定されたときには（Ｙ）、ストック枚数がスイッチテーブルの第２下限値以下であるか否かを判定する（ＳＥ２１：第２下限値判定）。ＳＥ２１で第２下限値以下であると判定されたときには、多機能ランプによる報知（緑点滅）が行われる（ＳＥ２２）と共に、自動的にメンテナンスモードに移行する（ＳＥ２３）。つまり、前述したＳＢ０３〜ＳＢ０６の処理が自動的に実施される。
【０２０１】
従って、カードの補充作業を閉店時に行う遊技場においては、図６（ａ）の報知基準値設定画面で第２下限値の設定を有効にするよう選択する（「第２下限値の設定を有効にする」チェックボックスをチェックする）ことで、締め処理の際に、店員が、ストック枚数が第２下限値以下のカードユニット２０を把握して、カードの補充作業を行うことができる。これにより、適切なストック枚数で翌日の営業開始を迎えることができ、遊技場の営業時間内での店員による記録媒体の補充作業が極力不要となるので、円滑な営業を行うことができる。
【０２０２】
一方、ＳＥ２０の判定で、第２下限値の設定を有効としない旨を示すと判定されたときには（Ｎ）、ストック枚数が零であるか否かを判定する（ＳＥ３０：零判定）。ＳＥ３０で零であると判定されたときには（Ｙ）、多機能ランプによる報知（緑点滅）が行われる（ＳＥ３１）と共に、自動的にメンテナンスモードに移行する（ＳＥ３２）。つまり、前述したＳＢ０３〜ＳＢ０６の処理が自動的に実施される。
【０２０３】
従って、カードの補充作業を閉店時に行わず翌営業日に行うことを希望する遊技場においては、図６（ａ）の報知基準値設定画面で２下限値の設定を有効にしないよう選択する（「第２下限値の設定を有効にする」チェックボックスをチェックしない）ことで、締め処理の際に、店員が、翌営業日の営業開始時点で動作に支障のある（入金額を記録するための一般カード５がカードユニット２０内に存在しないため入金が不可能な）カードユニット２０を把握して、カードの補充作業を行うことができる。つまり、本来、翌営業日に補充作業を行うことを希望する遊技場であれば、当日中の対応を行わないことで、翌日の営業開始時点で動作に支障のあるカードユニット２０が存在する場合があり、これによる稼働率の低下及び売上の減少が生じてしまうという問題があるが、このような遊技場で、第２下限値の設定を有効にしないよう選択する（「第２下限値の設定を有効にする」チェックボックスをチェックしない）ことで、単にストック枚数が第２下限値以下の（但し零ではない）カードユニット２０については報知が行われず、ストック枚数が零であり入金が不可能なカードユニット２０についてのみ報知が行われることとなる。即ち、ストック枚数が第２下限値以下であっても翌日の営業開始時点で動作に支障のないカードユニット２０については本来の翌日対応とし、最低限、動作に支障のあるカードユニット２０を把握して当日中の対応を行うことで、翌営業日のパチンコ機１０の稼働率低下による売上の減少を回避することができる。
【０２０４】
なお、前述したように、ストック枚数が零のときの入金を可とした場合にも、第２下限値の設定を有効にしないよう選択する（「第２下限値の設定を有効にする」チェックボックスをチェックしない）ことで、単にストック枚数が第２下限値以下の（但し零ではない）カードユニット２０については報知が行われず、ストック枚数が零であり、店員からのカードの取得やカード補充が必要なため直ちに入金残額を返却することが不可能（つまり台移動や精算が不可能）なカードユニット２０についてのみ報知が行われることとなる。即ち、ストック枚数が第２下限値以下であっても翌日の営業開始時点で動作に支障のないカードユニット２０については本来の翌日対応とし、最低限、動作に支障のあるカードユニット２０を把握して当日中の対応を行うことで、翌営業日のパチンコ機１０の稼働率低下による売上の減少を回避することができる。
【０２０５】
また、ＳＥ２３又はＳＥ３２に示すように、カードユニット２０において、ストック枚数が第２下限値以下であると判定されたとき，又は零であると判定されたときには、メンテナンスモード移行要求の受付によらずメンテナンスモードに自動的に移行するので、カードユニット２０をメンテナンスモードに移行するための店員のリモコン操作が不要であり、店員の負担が軽減される。
【０２０６】
なお、ＳＥ２３又はＳＥ３２において自動的にメンテナンスモードに移行すると、補充モード起動要求の受信によって補充モードが起動し（図２４のＳＤ０３，ＳＤ０５）、カード挿入待ち状態となる（ＳＤ０６）。
【０２０７】
このように、カードユニット２０において、ストック枚数が第２下限値以下であると判定されたとき，又は零であると判定されたときに、補充モードの起動に伴いカード挿入待ち状態となるので、カードを補充するために、パチンコ機台間からカードユニット２０を引き出して、カードストッカ２８を取り出す作業等が不要であり、店員の補充作業の負担を軽減することができる。
【０２０８】
前記ＳＥ２１の判定で、ストック枚数が第２下限値以下でないと判定されたとき（Ｎ），又は前記ＳＥ３０の判定で、ストック枚数が零でないと判定されたときには（Ｎ）、動作を停止する（ＳＥ４０）。
【０２０９】
次に、図１８を用いて、メンテナンスモード解除操作が行われたときの処理について説明する。遊技場の店員が、リモートコントローラ３０の上部をカードユニット２０の赤外線受信部２５ｂに向けて、解除ボタンを押圧操作すると、メンテナンスモード解除要求が前記赤外線受信部２５ｂに対して送信される。
【０２１０】
上記リモートコントローラ３０から送信されたメンテナンスモード解除要求を赤外線受信部２５ｂが受信すると、ユニット制御部２２が該受信を検出して（ＳＦ０１）、メンテナンスモードであるか否かの判定が実施される（ＳＦ０２）。ＳＦ０２の判定で、メンテナンスモードでないと判定されたときには（Ｎ）、処理を行わない（ＳＦ０３ａ）。一方、ＳＦ０２の判定で、メンテナンスモードであると判定されると（Ｙ）、メンテナンスモードを解除する指示としての解除通知がユニット制御部２２からカードＲ／Ｗ制御部２９に送信される（ＳＦ０３）。解除通知を受けたカードＲ／Ｗ制御部２９では、メンテナンスモードを解除して（ＳＦ０４）、メンテナンスモードを解除した旨を示す解除完了通知をユニット制御部２２に送信する（ＳＦ０５）。解除完了通知を受けたユニット制御部２２では、メンテナンスモードを解除して、表示部２５ａにおけるストック枚数の表示を停止する（ＳＦ０６）。次いで、締め処理信号を受信済みであるか否かの判定が実施され（ＳＦ０７）、受信済みであると判定されると（Ｙ）、動作を停止する（ＳＦ０８）。一方、ＳＦ０７の判定で受信済みでないと判定されたときには（Ｎ）、処理が終了する（ＳＦ０９）。
【０２１１】
なお、カードＲ／Ｗ制御部２９では、ＳＦ０４のメンテナンスモード解除に伴い、回収モードが起動中であればこれを終了し、補充モードが起動中であればこれを終了する。ここで、回収モードを終了するにあたり、カード抜き取り待ち状態であれば、カードストッカ２８のカードをカードＲ／Ｗ２７に供給した後に回収モードが終了する。また、補充モードを終了するにあたり、カード挿入待ち状態であれば、該カード挿入待ち状態が解除された後、補充モードが終了する。一方、ユニット制御部２２では、ＳＦ０６のメンテナンスモード解除に伴い、回収モードが起動中であればこれを終了し、補充モードが起動中であればこれを終了する。さらに入金不可を解除して入金可とする。但し、メンテナンスモード解除の際、ストック枚数が零の場合には、入金不可を継続し、ストック枚数が収納限界値（１０）の場合には、カードＲ／Ｗ制御部２９によりカードの前方挿入を禁止する。
【０２１２】
次に図１９を用いて、精算処理における精算装置８０とシステムコントローラ６０の作用について説明する。精算装置８０において、一般カード５が挿入されて受け付けられると（ＳＧ０１）、カードからカードＩＤ，カード残額を読み取って（ＳＧ０２）、該読み取ったカードＩＤ，カード残額を含む精算許諾要求をシステムコントローラ６０に送信する（ＳＧ０３）。そして、精算許諾要求を受信したシステムコントローラ６０においては、該受信したカード残額と、該受信したカードＩＤと対応付けて残額ＤＢに記憶されている管理残額との照合（即ち、受信したカード残額≦受信したカードＩＤに対応付けて記憶されている管理残額、であるか否かの照合）を行い（ＳＧ０４）、照合ＯＫ（即ち受信したカード残額≦受信したカードＩＤに対応付けて記憶されている管理残額）であることを条件として、精算装置８０に対して、精算許諾情報を返信する（ＳＧ０５）。
【０２１３】
該精算許諾情報を受信した精算装置８０においては、前記読み取ったカード残額に相当する金額の貨幣を紙幣払出機８５及び／又は硬貨払出機８６から払い出して遊技者に返却する（ＳＧ０６）。次いで、一般カード５からカード残額を消去して、一般カード回収部８３ｂの内部に回収する（ＳＧ０７）。ＳＧ０７の処理が終了すると、精算装置８０からシステムコントローラ６０に対してカードＩＤを含む精算完了通知が送信され（ＳＧ０８）、これを受信したシステムコントローラ６０では、受信したカードＩＤに対応付けて記録されているカード残額を消去する（ＳＧ０９）。
【０２１４】
一方、ＳＧ０４で、照合ＮＧの場合（即ち受信したカード残額＞受信したカードＩＤに対応付けて記憶されているカード残額）には、精算装置８０に対して、精算不可情報を返信する（ＳＧ０５ａ）。精算不可情報を受信した精算装置８０は、前述したように、カードを留保し、異常を報知する（ＳＧ０６ａ）。
【０２１５】
［２．第２実施形態に係る遊技用システム１’］
次に図１〜図３を参照して、第２実施形態に係る遊技用システム１’の構成について説明する。遊技用システム１’は、図１に示すように、前記カードユニット２０に代えてカードユニット２０’を備える点と、前記システムコントローラ６０に代えてシステムコントローラ６０’を備える点が、第１実施形態と異なる。なおカードユニット２０’がパチンコ機１０に対応して設けられる点や、紙幣２，硬貨３，及び一般カード５が使用される点等は、第１実施形態と同様である。また、記録媒体収納部の記録媒体数に関する判定，報知処理は第１実施形態と同様であり、カードユニット２０’がリモートコントローラ３０からメンテナンスモード移行要求，回収モード起動要求，補充モード起動要求を受信したときの処理も第１実施形態と同様である。
【０２１６】
第２実施形態に係るカードユニット２０’は、第１実施形態に係るカードユニット２０と比較して、前記ユニット制御部２２に代えてユニット制御部２２’を備える点と、前記カードＲ／Ｗ制御部２９に代えてカードＲ／Ｗ制御部２９’を備える点と、前記多機能ランプ２６に代えて多機能ランプ２６’を備える点のみが異なり、その他の点は同様である。
【０２１７】
ユニット制御部２２’は、第１実施形態のユニット制御部２２と同様に、ＣＰＵ，ＲＡＭ，ＲＯＭ，ＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０’に備えられる各構成要素の動作を制御して（あるいは各構成要素からの信号を受信して）各種の処理を行うものである。なおＲＯＭには、前記装置ＩＤが記憶されている。このユニット制御部２２’には、図２に示すように、前記玉貸通信部２１ｂの他、後述する紙幣識別機２３，硬貨識別機２４，表示部２５ａ，赤外線受信部２５ｂ，多機能ランプ２６’，及びカードＲ／Ｗ制御部２９’等が接続されている。
【０２１８】
このユニット制御部２２’は、第１実施形態のユニット制御部２２と同様に、貸与制御部，第１設定手段，第１上限値判定手段，第１下限値判定手段，締め処理時判定手段，及び保守状態移行処理手段として機能する。一方、ユニット制御部２２’は第１実施形態のユニット制御部２２と異なり、システムコントローラ６０’から送信された報知指示信号を受信したカードＲ／Ｗ制御部２９’から報知指示通知を受けて、次の残有価価値報知手段（多機能ランプ２６’）の発光制御を行う。
【０２１９】
多機能ランプ２６’は、カードユニット２０’の状態を報知するものであり、３原色であるＲＧＢ光の各色の発光が可能なＬＥＤモジュールを内在しており、これらＲＧＢ光の発光を制御することで、発光色を可変できるようになっている。この多機能ランプ２６’は第１実施形態の多機能ランプ２６と同様に、第１上限値報知手段，第１下限値報知手段，及び締め処理時報知手段として機能する。
【０２２０】
この多機能ランプ２６’は残有価価値報知手段の一例であって、後述する報知指示信号送信手段（ユニット用通信部６１ａ’）から報知指示信号を受信したことを条件として報知を行うものである。具体的には、報知指示通知を受けたユニット制御部２２’によって発光制御が行われて、多機能ランプ２６’が赤で点滅することにより残額が残存している旨を報知する。
【０２２１】
この残有価価値報知手段（多機能ランプ２６’）による報知が行われている状態で、記録媒体（一般カード５）の発行操作を受け付けたことに基づいて、前記記録媒体発行処理手段（カードＲ／Ｗ制御部２９’）により記録媒体発行処理（排出処理）を行った後、該記録媒体発行処理を行った旨を示す発行情報（締め処理時排出通知）を管理装置（システムコントローラ６０’）に対して送信し、残有価価値報知手段（多機能ランプ２６’）による報知を終了する。具体的には図２４のＳ５３０に示すように、多機能ランプ２６によって残額が残存している旨の報知が行われている状態で、カード返却ボタン１６が操作されると、該操作を検出したユニット制御部２２が、カード玉貸可能状態を解除して（Ｓ５３１）、返却操作が行われた旨の返却操作通知をカードＲ／Ｗ制御部２９に送り（Ｓ５３３）、該返却操作通知を受けたカードＲ／Ｗ制御部２９ではカードＲ／Ｗ２７のカードが排出され（Ｓ５３４）、締め処理信号受信後に排出処理を行った旨を示す締め処理時排出通知をシステムコントローラ６０に送信する（Ｓ５３５）。その後、排出が完了した旨を示す排出完了通知をユニット制御部２２に送り（Ｓ５３７）、該排出完了通知を受けたユニット制御部２２では残額が残存している旨の報知（赤点滅）を終了する（Ｓ５３８）。
【０２２２】
カードＲ／Ｗ制御部２９’は、第１実施形態のカードＲ／Ｗ制御部２９と同様に、ＣＰＵ，ＲＡＭ，ＥＥＰＲＯＭ等を備え、カードＲ／Ｗ２７が受け付けた一般カード５とのデータ送受を行う通信部や、カードＲ／Ｗ２７の制御を行うコントローラ等も備えている。このカードＲ／Ｗ制御部２９’は、図２に示すように、ユニット制御部２２’に接続されており、該ユニット制御部２２’との各種データの送受が実施可能とされている。このカードＲ／Ｗ制御部２９’には、第１実施形態と同様に第１モータ及び第２モータも接続される。また、カード挿入口２７ａ付近に設けられ、カードの前方挿入及びカードの抜き取りを検出するためのセンサ（図示外）とも接続されている。このカードＲ／Ｗ制御部２９’は、カードＲ／Ｗ２７の一般カード５にカード残額が残存している状態では、カードの前方挿入を禁止し、カードＲ／Ｗ２７の一般カード５のカード残額が零の状態ではカードの前方挿入を可とする。
【０２２３】
このカードＲ／Ｗ制御部２９’は、第１実施形態のカードＲ／Ｗ制御部２９と同様に、記録媒体発行手段，記録媒体収納処理手段，計数手段，記録媒体排出処理手段，第２上限値設定手段，第２上限値有効設定手段，第２下限値設定手段，及び第２下限値有効設定手段として機能する。一方、カードＲ／Ｗ制御部２９’は第１実施形態のカードＲ／Ｗ制御部２９と異なり、残有価価値判定手段としては機能しない。
【０２２４】
第２実施形態に係るシステムコントローラ６０’は、第１実施形態に係るシステムコントローラ６０と比較して、前記ユニット用通信部６１ａに代えてユニット用通信部６１ａ’を備える点と、前記制御部６２に代えて制御部６２’を備える点と、前記ハードディスク６３に代えてハードディスク６３’を備える点のみが異なり、その他の点は同様である。このシステムコントローラ６０’は、図２に示すように接続されるユニット用通信部６１ａ’，場外通信部６１ｃ，精算装置用通信部６１ｄ，制御部６２’，ハードディスク６３’，ディスプレイ６４，及び入力装置６５等を備えている。
【０２２５】
記憶装置であるハードディスク６３’は、第１実施形態のハードディスク６３と同様に図５（ａ）に示す残額ＤＢを記憶している。また、本第２実施形態では図５（ｂ）に示すカードユニットＤＢも記憶しており、該カードユニットＤＢでは、各カードユニット２０’の装置ＩＤに対応付けて、当該カードユニット２０’のカードＲ／Ｗ２７にある残額有りの一般カード５のカードＩＤを管理している。このカードユニットＤＢは、以下のようにして更新される。
【０２２６】
まず、カードユニット２０’で貨幣が受け付けられ、入金要求が送信されてきたときに、受信した装置ＩＤに対応付けて入金要求に含まれるカードＩＤを記憶する。また、カードユニット２０’に一般カード５が挿入され、貸与許諾要求が送信されてきたときに、残額の照合がＯＫであれば、受信した装置ＩＤに対応付けて貸与許諾要求に含まれるカードＩＤを記憶する。そして、カードユニット２０’でカード玉貸処理が行われて、カード残額が零となり、使用完了通知が送信されてきたときに、受信した装置ＩＤに対応するカードＩＤを消去する。また、カードユニット２０’でカードが排出されて排出通知又は締め処理時排出通知が送られてきたときに、受信した装置ＩＤに対応するカードＩＤを消去する。このような更新処理を行うことによって、カードユニットＤＢには、装置ＩＤに対応付けて、管理残額（即ちカード残額）が残存しているカードのカードＩＤが管理される。
【０２２７】
ここでカードユニットＤＢ及び残額ＤＢは残有価価値管理手段の一例であって、各遊技用装置毎に、少なくとも記録媒体発行処理に未だ供されていない前記残有価価値の大きさを管理するものである。つまり、カードユニットＤＢで各装置ＩＤ毎に、カードＲ／Ｗ２７にある残額有りのカードのカードＩＤを管理しており、残額ＤＢでは各カードＩＤに対応する管理残額を管理しているので、各装置ＩＤに対応するカードＩＤから管理残額を特定可能である。即ち各カードユニット２０に残存している残額を特定可能である。なお、カードユニットＤＢで対応するカードＩＤが管理されていない装置ＩＤに関しては、管理残額が零であることを特定することができる。このカードユニットＤＢ及び残額ＤＢによって各装置ＩＤ毎に残有価価値の大きさが管理される。
【０２２８】
制御部６２’は、第１実施形態の制御部６２と同様に、ＣＰＵ，ＲＡＭ，ＲＯＭ等を備えており、ハードディスク６３’に記憶されている処理プログラムがＲＡＭを作業領域としてＣＰＵで実行されることにより、システムコントローラ６０’に備えられる各構成要素の動作を制御して各種の処理を行うものであり、例えば、カードユニット２０’，精算装置８０から送信されてきたカード残額の照合や、各ＤＢの更新処理を行うものである。
【０２２９】
この制御部６２’は残有価価値判定手段の一例であって、当該遊技場の営業終了に伴う締め処理を実行する際に、前記残有価価値管理手段（カードユニットＤＢ，残額ＤＢ）で管理している残有価価値の大きさ（管理残額）が零であるか否かを遊技用装置毎に判定する残有価価値判定を行うものである。ここでは、カードユニットＤＢの各装置ＩＤについて、対応するカードＩＤが記憶されているか否かを判定する。そして記憶されていれば管理残額が零ではなく、記憶されていなければ管理残額が零であると判定する。
【０２３０】
ユニット用通信部６１ａ’は、第１実施形態のユニット用通信部６１ａと同様に、カードユニット２０’のシステムコントローラ用通信部２９ａと通信可能に接続されており、システムコントローラ６０’とカードユニット２０’との間における通信を司るものである。このユニット制御部６１ａ’は、第１実施形態のユニット制御部６１ａと同様に、締め処理信号送信手段，第２上限値送信手段，及び第２下限値送信手段として機能する。
【０２３１】
このユニット用通信部６１ａ’は報知指示信号送信手段の一例であって、前記残有価価値判定手段（制御部６２’）による残有価価値判定によって前記残有価価値管理手段（カードユニットＤＢ，残額ＤＢ）で管理している残有価価値の大きさが零でないと判定された遊技用装置に対して、前記記録媒体発行処理に供されていない残有価価値が存在する旨を示す報知指示信号を送信するものである。具体的には、カードユニットＤＢを参照して、図６（ｂ）で選択した締め処理信号の送信対象であるカードユニット２０’の装置ＩＤのうち、対応するカードＩＤが記憶されている装置ＩＤのカードユニット２０’に対して、報知指示信号を送信する。この報知指示信号は当該遊技場の営業終了に伴う締め処理（合計入金額，合計玉貸額の送信）を実行する旨を示す信号でもあり、図２４のＳ５２２’〜ＳＥ０１に示すように、報知指示信号を受信したカードユニット２０’において、残有価価値報知手段（多機能ランプ２６’）による報知が行われている状態で（Ｓ５２２’）、カード返却ボタン１６の操作によってカードＲ／Ｗ２７のカードが排出された後（Ｓ５３４）に、締め処理（ＳＥ０１）が実施される。
【０２３２】
以上に説明した遊技用システム１’の作用について図２０〜図２４を用いて説明する。まず、図２０を用いて、カードユニット２０’が貨幣を受け付けたときの処理について説明する。
【０２３３】
遊技者が紙幣２又は硬貨３をカードユニット２０’に入金することで紙幣識別機２３又は硬貨識別機２４によって紙幣２又は硬貨３が受け付けられると（Ｓ１００）、該貨幣の受付を検出したユニット制御部２２’において入金不可の状態であるか否かの判定が実施される（Ｓ１０１）。Ｓ１０１の判定で入金不可の状態であると判定されたときには（Ｙ）、受け付けた紙幣２又は硬貨３が紙幣挿入口２３ａ又は硬貨返却口２４ｆから返却される（Ｓ１０２ａ）。一方、Ｓ１０１の判定で入金不可の状態でないと判定されると（Ｎ）、受け付けた紙幣２又は硬貨３が紙幣識別機２３又は硬貨識別機２４で識別される（Ｓ１０２）。
【０２３４】
次いで、ユニット制御部２２’は、Ｓ１０２の識別結果としての入金額をカードＲ／Ｗ制御部２９に通知し（Ｓ１０３）、該通知を受けたカードＲ／Ｗ制御部２９’は、〔現在のカード残額＋入金額〕を、新たなカード残額としてカードＲ／Ｗ２７の一般カード５に記録し（Ｓ１０４）、入金額と前記一般カード５のカードＩＤを含む入金要求を、装置ＩＤと共にシステムコントローラ６０’に対して送信する（Ｓ１０５）。Ｓ１０５で送信された情報を受信したシステムコントローラ６０’においては、受信したカードＩＤと対応付けて残額ＤＢに記憶されている管理残額に、同受信した入金額を加算して更新する（Ｓ１１０）。次いで、カードユニットＤＢにおいて、受信した装置ＩＤに対応付けて入金要求に含まれるカードＩＤを記憶する（Ｓ１１１’）。そして、入金額を加算更新した旨を示す入金完了通知を、受信した装置ＩＤのカードユニット２０’に対して送信する（Ｓ１２０）。
【０２３５】
Ｓ１２０の入金完了通知を受信したカードＲ／Ｗ制御部２９’では、一般カード５のカード残額（即ち上述した新たなカード残額）をユニット制御部２２’に通知する（Ｓ１２１）。カード残額の通知を受けたユニット制御部２２’は、該カード残額に相当する残度数を残度数表示器１４に表示すると共に、カード玉貸可能状態となる（Ｓ１２２）。なお、Ｓ１２２の処理を行うにあたり、既にカード玉貸可能状態となっているとき（つまり残額有りの一般カード５に追加入金されたとき）には、該カード玉貸可能状態が継続する。また、Ｓ１２１のカード残額通知を行ったカードＲ／Ｗ制御部２９’では、カードの前方挿入（カード挿入口２７ａからのカード挿入）を禁止する。ここで既にカードの前方挿入が禁止されているとき（つまり残額有りの一般カード５に追加入金されたとき）には、該前方挿入の禁止状態が継続する。
【０２３６】
次に、図２１を用いて、一般カード５がカードユニット２０’に挿入される際（前方挿入時）の処理について説明する。一般カード５がカード挿入口２７ａから挿入される際、該挿入されようとしている一般カード５のカード端（カードユニット２０’内に挿入されている部分）の検出がカード挿入口２７ａ付近に設けられたセンサによって行われ（Ｓ２００）、カードＲ／Ｗ制御部２９’が、該検出に基づいて、カード前方挿入禁止の状態であるか否かの判定を実施する（Ｓ２０１）。Ｓ２０１の判定で、カード前方挿入禁止の状態であると判定されたときには（Ｙ）、カードの取込処理を行わずに処理を終了する（Ｓ２０２ａ）。一方、Ｓ２０１の判定で、カード前方挿入禁止の状態でないと判定されたときには（Ｎ）、カードＲ／Ｗ２７のカード（即ち残額無しの一般カード５）をカードストッカ２８に収納する収納処理を行う（Ｓ２０２）。
【０２３７】
次いで、前記挿入されようとしているカードの取込処理が実施され、取り込まれた一般カード５がカードＲ／Ｗ２７に受け付けられた状態となる（Ｓ２０３）。この取込処理の際、カードＲ／Ｗ制御部２９’においては、取込処理が行われたことに基づいて、計数しているストック枚数に１を加算して、ストック枚数の更新に伴い第１実施形態と同様にＳＡ０１以下の処理を行う。また、カードＲ／Ｗ制御部２９’では、カードの前方挿入を禁止する。次いで、カードＲ／Ｗ２７により受け付けた一般カード５の記録情報が読み取られ（Ｓ２０４）、カードＲ／Ｗ制御部２９’は、読み取られたカードＩＤとカード残額を含む貸与許諾要求を、装置ＩＤと共にシステムコントローラ６０’に送信する（Ｓ２０５）。
【０２３８】
Ｓ２０５の貸与許諾要求を受信したシステムコントローラ６０’では、受信した貸与許諾要求に含まれるカード残額が、同貸与許諾要求に含まれるカードＩＤに対応付けて残額ＤＢに記憶している管理残額以下であるか否か（受信したカード残額≦受信したカードＩＤに対応する管理残額？）の照合を実施する（Ｓ２１０）。このＳ２１０の照合が照合ＯＫ（即ち、受信したカード残額≦受信したカードＩＤに対応する管理残額）であるときには、カードユニットＤＢにおいて、受信した装置ＩＤに対応付けて貸与許諾要求に含まれるカードＩＤを記憶する（Ｓ２１１’）。次いで、該照合ＯＫの旨を示す貸与許諾情報を前記Ｓ２０５で送信されてきた装置ＩＤのカードユニット２０’に対して送信する（Ｓ２２０）。なお、カードユニット２０’とシステムコントローラ６０’との間の通信状態がオフラインであるときに、カードユニット２０’にてカード残額が使用されると、受信したカード残額＜受信したカードＩＤに対応する管理残額となるが、この場合には、受信したカードＩＤに対応付けて残額ＤＢに記憶している管理残額を、受信したカード残額に更新しておく。
【０２３９】
Ｓ２２０の貸与許諾情報を受信したカードＲ／Ｗ制御部２９’では、カード残額をユニット制御部２２’に通知する（Ｓ２２１）。カード残額の通知を受けたユニット制御部２２’は、カード残額に相当する残度数を残度数表示器１４に表示すると共に、カード玉貸可能状態となる（Ｓ２２２）。ここで、Ｓ２１０に戻り、該Ｓ２１０で照合ＮＧ（即ち、受信したカード残額＞受信したカードＩＤに対応する管理残額）である場合には、該照合ＮＧの旨を示す貸与不可情報を前記Ｓ２０５で送信されてきた装置ＩＤのカードユニット２０’に対して送信する（Ｓ２３０）。貸与不可情報を受信したカードＲ／Ｗ制御部２９’では、カードＲ／Ｗ２７により受け付けた一般カード５を排出する（Ｓ２３１）。この排出処理の際、カードＲ／Ｗ制御部２９’においては、排出処理が行われたことに基づいて、計数しているストック枚数から１を減算して、ストック枚数の更新に伴い第１実施形態と同様にＳＡ０１以下の処理を行う。また、カードＲ／Ｗ制御部２９’では、カードの前方挿入禁止を解除する。
【０２４０】
次に、図２２を用いて、カードユニット２０’の玉貸ボタンが操作された際の処理について説明する。玉貸ボタン１５の操作が検出されると（Ｓ３００）、カード玉貸可能状態であるか否かの判定が実施され（Ｓ３０１）、カード玉貸可能状態であると判定された場合には（Ｙ）、Ｓ３１０のカード玉貸処理が行われる。一方、Ｓ３０１の判定で、カード玉貸可能状態でないと判定された場合には（Ｎ）、処理が終了する（Ｓ３０２）。
【０２４１】
カード玉貸処理に伴う処理について説明する。図４で説明したようにして、カード玉貸処理が行われると（Ｓ３１０）、今回のカード玉貸処理で使用された使用額（ここではユニット制御部２２から払出制御基板１２に指示した度数分の金額であり、例えば玉貸設定金額分の５００円）と、一般カード５から読み取られたカードＩＤを含む減算要求を、当該装置ＩＤと共にシステムコントローラ６０’に対して送信する（Ｓ３１１）。
【０２４２】
Ｓ３１１で送信された減算要求を受信したシステムコントローラ６０’においては、受信したカードＩＤに対応付けて残額ＤＢに記憶している管理残額から受信した使用額を減算し（Ｓ３２０）、減算完了に伴う減算完了通知を前記装置ＩＤの送信元であるカードユニット２０’に送信する（Ｓ３２１）。該減算完了通知を受信したカードＲ／Ｗ制御部２９’は、カード残額（減算更新後のカード残額）をユニット制御部２２’に通知する（Ｓ３２２）。ユニット制御部２２’は、通知されたカード残額が零であるか否かの判定を実施する（Ｓ３２３）。Ｓ３２３の判定で、カード残額が零であると判定されたときは（Ｙ）、カード玉貸可能状態を解除して（Ｓ３２４）、使用完了通知をカードＲ／Ｗ制御部２９’に送信する（Ｓ３２５）。使用完了通知を受けたカードＲ／Ｗ制御部２９’は、カードＲ／Ｗ２７で受け付けているカード（つまり、カード残額が零の一般カード５）をカードＲ／Ｗ２７部で留保（Ｓ３２６）すると共に、使用完了通知を、装置ＩＤと共にシステムコントローラ６０’に対して送信する（Ｓ３２７’）。また、カードＲ／Ｗ制御部２９’では、カードの前方挿入禁止を解除する。但し、ストック枚数が収納限界値（１０）に達しているときには前方挿入禁止状態を継続する。一方、Ｓ３２３でカード残額が零でないと判定されたときには（Ｎ）、カード玉貸可能状態を継続する（Ｓ３２４ａ）。Ｓ３２７’の使用完了通知を受けたシステムコントローラ６０’では、カードユニットＤＢにおいて、受信した装置ＩＤに対応付けて記憶されているカードＩＤを消去する（Ｓ３３０’）。
【０２４３】
次に、図２３を用いて、カード返却ボタン１６が操作された際の処理について説明する。ユニット制御部２２’において、カード返却ボタン１６の操作が検出されると（Ｓ４００）、カード玉貸可能状態であるか否かの判定が実施される（Ｓ４０１）。Ｓ４０１の判定でカード玉貸可能状態であると判定された場合には（Ｙ）、カード玉貸可能状態を解除して（Ｓ４０２）、カード返却ボタン１６が操作された旨を示す返却操作通知をカードＲ／Ｗ制御部２９’に送信し（Ｓ４０３）、カードＲ／Ｗ制御部２９は、返却操作通知を受けたことに基づいてカードＲ／Ｗ２７のカードを排出する（Ｓ４０４）と共に、カードの排出に伴う排出通知を、装置ＩＤと共にシステムコントローラ６０’に対して送信する（Ｓ４０５’）。この排出処理の際、カードＲ／Ｗ制御部２９’においては、排出処理が行われたことに基づいて、計数しているストック枚数から１を減算して、ストック枚数の更新に伴い第１実施形態と同様にＳＡ０１以下の処理を行う。また、カードＲ／Ｗ制御部２９’では、カードの前方挿入禁止を解除する。Ｓ４０５’の排出通知を受けたシステムコントローラ６０’では、カードユニットＤＢにおいて、受信した装置ＩＤに対応付けて記憶されているカードＩＤを消去する（Ｓ４１０’）。
【０２４４】
第２実施形態におけるストック枚数の更新に伴う判定・報知処理は、第１実施形態の図１２に示した処理と同様である。また、メンテナンスモード移行操作時の処理も、第１実施形態の図１３に示した処理と同様である。また、回収モード起動操作時の処理も、第１実施形態の図１４に示した処理と同様である。さらに、補充モード起動操作時の処理も、第１実施形態の図１５に示した処理と同様である。これらの処理については説明を省略する。
【０２４５】
次に、図２４を用いて、締め処理信号送信時の処理について説明する。図６（ｂ）に示したようにして、システムコントローラ６０において、締め処理信号の送信ボタンが選択されると（Ｓ５００）、制御部６２’がカードユニットＤＢを参照して、指定された遊技島に属する各カードユニット２０’の装置ＩＤについて、対応するカードＩＤが記憶されているか否かの判定が実施される（Ｓ５０１’）。そして、Ｓ５０１’の判定で、対応するカードＩＤが記憶されている（即ち残額が残存している）と判定された装置ＩＤのカードユニット２０’に対しては、残額が残存している旨を示す報知指示信号が送信される（Ｓ５１１’）一方、記憶されていないと判定された装置ＩＤのカードユニット２０’に対しては、締め処理信号が送信される（Ｓ５１２’）。Ｓ５１２’の締め処理信号を受信したカードＲ／Ｗ制御部２９’は、締め処理を実施する旨の締め処理通知をユニット制御部２２’に送り、ユニット制御部２２’及びカードＲ／Ｗ制御部２９’により第１実施形態と同様に締め処理が実施される（ＳＥ０１）。一方、Ｓ５１１’の報知指示信号を受信したカードＲ／Ｗ制御部２９’は、該報知指示通知をユニット制御部２２’に送信する（Ｓ５２０’）。報知指示通知を受けたユニット制御部２２’は多機能ランプ２６’を赤点滅させることで残額が残存している旨を報知する（Ｓ５２２’）。
【０２４６】
このように、システムコントローラ６０’で各カードユニット２０’に残額が残存しているか否かの判定が実施され、残額が残存しているカードユニット２０’で報知が行われるので、遊技場の店員が、残額が残存しているカードユニット２０’を発見して、残額有りのカードを排出して回収することができる。従って、カードユニット２０’に残額が残存している状態で翌日の営業開始を迎えることを防止し、パチンコ機１０の稼働率の低下を防止することができる。
【０２４７】
Ｓ５２２’の残額が残存している旨の報知が行われている状態で、ユニット制御部２２’がカード返却ボタン１６の操作を検出すると（Ｓ５３０）、カード玉貸可能状態を解除して（Ｓ５３１）、返却操作通知をカードＲ／Ｗ制御部２９’に送る（Ｓ５３３）。返却操作通知を受けたカードＲ／Ｗ制御部２９’では、カードＲ／Ｗ２７のカード（残額有りの一般カード５）を排出し（Ｓ５３４）、締め処理信号を受信した後にカードを排出した旨を示す締め処理時排出通知を装置ＩＤと共にシステムコントローラ６０’に送信する（Ｓ５３５）。この締め処理時排出通知には、Ｓ５３４で排出するカードから読み取ったカードＩＤ，カード残額が含まれる。Ｓ５３４の排出処理の際、カードＲ／Ｗ制御部２９’においては、排出処理が行われたことに基づいて、計数しているストック枚数から１を減算する。そして排出処理後、排出が完了した旨を示す排出完了通知をユニット制御部２２’に送り（Ｓ５３７）、該排出完了通知を受けたユニット制御部２２’では残額が残存している旨の報知（赤点滅）を終了する（Ｓ５３８）。カードＲ／Ｗ制御部２９’は、排出完了通知を送った後、さらにユニット制御部２２’に締め処理通知を送り、ユニット制御部２２’及びカードＲ／Ｗ制御部２９’により締め処理が行われる（ＳＥ０１）。
【０２４８】
このように、残額有りのカードが排出された後に報知を終了するようにしているので、残額が残存している旨を報知しているカードユニット２０’から確実に残額有りのカードを回収して翌日の開店を迎えることができる。
【０２４９】
Ｓ５３５の締め処理時排出通知を受信したシステムコントローラ６０’では、制御部６２’が、締め処理時排出通知に含まれるカードＩＤとカード残額を、該締め処理時排出通知と共に受信した装置ＩＤと対応付けて締め処理時排出履歴に記憶する（Ｓ５３６）。この締め処理時排出履歴はハードディスク６３’（又は制御部６２’のＲＡＭであっても良い）に記憶される。次いで、カードユニットＤＢにおいて、受信した装置ＩＤに対応するカードＩＤが消去される（Ｓ５３６ａ’）。そして、ディスプレイ６４には、締め処理時排出履歴の内容が表示される（Ｓ５４０）。
【０２５０】
このように残額有りのカードを排出した旨がシステムコントローラ６０’に通知され、ディスプレイ６４に該排出が行われたカードユニット２０’の装置ＩＤと、排出されたカードのカードＩＤ及びカード残額が表示されるので、遊技場側では、残有りカードが排出されたカードユニット２０’の装置ＩＤ，排出されたカードのカードＩＤ及びカード残額を把握して、遊技場の店員による不正（例えば排出されたカードを精算して着服する等）の発見や防止に役立てることができる。
【０２５１】
第２実施形態における締め処理以降の処理は、第１実施形態の図１７に示した処理と同様であり、説明を省略する。また、第２実施形態におけるメンテナンスモード解除操作時の処理は、第１実施形態の図１８に示した処理と同様であり、説明を省略する。また、第２実施形態における精算処理は、第１実施形態の図１９に示した処理と同様であり、説明を省略する。
［３．変形例］
【０２５２】
最後に、本発明の変形例について説明する。
【０２５３】
上記の実施形態では、遊技媒体の貸与に使用可能な有価価値の大きさが、金額自体（カード残額）である例について説明したが、これに限らず、有価価値の大きさは、金額が所定の比率で換算された残度数や点数等であっても良い。
【０２５４】
上記の実施形態では、記録媒体（一般カード５）が、非接触式のＩＣカードである例について説明したが、これに限らず、該記録媒体は、接触式の集積回路，磁気，二次元コード（例えばバーコード），三次元コード，又は光干渉（例えばホログラム）等により情報を記録するものでも良い。また記録媒体の形状は、カード型には限られず、コイン型であっても良い。
【０２５５】
上記の第１実施形態では、遊技媒体の貸与に使用可能な有価価値の大きさを特定するための情報が、カードＩＤ，カード残額の両方である例について説明したが、これに限らず、有価価値の大きさを特定するための情報が、一般カード５に記録されるカード残額のみであっても良い。つまり、管理装置（システムコントローラ６０）においては、残額を管理せず、遊技用装置（カードユニット２０）における一般カード５の受付時に管理装置における照合等を行わずに、遊技用装置で読み取られたカード残額の範囲内でカード玉貸処理を行うようにしても良い。
【０２５６】
上記の第１実施形態では、記録媒体収納部（カードＲ／Ｗ２７，カードストッカ２８）にカードＩＤが記録された一般カード５が収納されている例について説明したが、これに限らず、記録情報無しのカードが収納されるようにしても良い。この場合には、例えば、カードが外部に発行されるときに、該カードに記録する残額をシステムコントローラ６０に送信すると共に、該システムコントローラ６０からＩＤを取得して、発行するカードに該ＩＤと共に前記残額を記録するようにすると良い。そしてシステムコントローラ６０においては、前記ＩＤに対応付けて残額を管理するようにすると良い。
【０２５７】
上記の第２実施形態では、遊技媒体の貸与に使用可能な有価価値の大きさを特定するための情報が、一般カードＩＤ，カード残額の両方である例について説明したが、これに限らず、有価価値の大きさを特定するための情報が、カードＩＤのみであっても良い。つまり、管理装置（システムコントローラ６０）において、カードＩＤと管理残額を対応付けて管理すると共に、一般カード５には、カード残額を記録せずにカードＩＤのみが記録されるようにしておき、遊技用装置（カードユニット２０）における一般カード５の受付時に、カードＩＤを管理装置に送信して、該カードＩＤに対応付けて管理されている管理残額（つまり特定された有価価値の大きさ）を取得して、該取得した管理残額の範囲内でカード玉貸処理を行うようにしても良い。また、遊技媒体の貸与に使用可能な有価価値の大きさを特定するための情報は、カードＩＤ以外の情報であっても良く、例えば、入金毎に管理装置において生成され、管理装置で管理残額と対応付けて管理されると共に、一般カード５に記録される入金ＩＤ等でも良い。
【０２５８】
上記の第２実施形態では、記録媒体収納部（カードＲ／Ｗ２７，カードストッカ２８）にカードＩＤが記録された一般カード５が収納されている例について説明したが、これに限らず、記録情報無しのカードが収納されるようにしても良い。この場合には、例えば、貨幣を受け付けたときに、該カードに記録する入金額をシステムコントローラ６０’に送信すると共に、該システムコントローラ６０’からＩＤ（例えば上記入金ＩＤ）を取得して、発行するカードに該ＩＤと共に前記入金額を記録するようにすると良い。そしてシステムコントローラ６０’においては、前記ＩＤに対応付けて入金額を管理するようにすると良い。
【０２５９】
上記の実施形態では、図１〜図３に示すように、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシンやパチロット，遊技領域やパチンコ玉が画像にて表示される画像式のパチンコ機，リールが画像にて表示される画像式のスロットマシンやパチロット等であっても良い。
【０２６０】
上記の実施形態では、第１の貸与処理，第２の貸与処理が行われた場合に、遊技用装置（カードユニット２０）と遊技機（パチンコ機１０）との間でパチンコ玉の貸与に関する信号のやり取りが行われて、該遊技機に設けられた玉払出装置１３からパチンコ玉が払い出されて貸与される例について説明したが、これに限らず、遊技用装置に設けられた図示しない玉払出装置からパチンコ玉が払い出されて貸与されるようにしても良い。
【０２６１】
上記の実施形態では、第１の貸与処理，第２の貸与処理が、パチンコ玉を貸与する玉貸処理である例について説明したが、これに限らず、該貸与処理は、前記メダルを貸与するメダル貸出処理や、前記画像式のパチンコ機やスロットマシンやパチロットにおいて有価価値の大きさを遊技媒体としての得点に変換して遊技に使用させる処理等でも良い。
【０２６２】
上記の実施形態では、図２及び図３に示すように、残度数表示器１４，玉貸ボタン１５，及びカード返却ボタン１６が遊技機（パチンコ機１０）に設けられ、遊技用装置（カードユニット２０，２０’）と接続されている例について説明したが、これに限らず、これら残度数表示器１４，玉貸ボタン１５，及びカード返却ボタン１６の一部又は全部を遊技用装置に設けるようにしても良い。
【０２６３】
上記の実施形態では、図２及び図３に示すように、紙幣識別機２３にて受付可能な紙幣２の種類が1000円紙幣，2000円紙幣，5000円紙幣，及び10000円紙幣の４種類である例について説明したが、これに限らず、受付可能な紙幣２の種類は、該４種類のうちの任意の１種類又は２種類以上でも良い。同様に、上記の実施形態では、硬貨識別機２４にて受付可能な硬貨３の種類が100円硬貨，及び500円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０２６４】
上記の実施形態では、図２に示すように、貨幣受付手段（紙幣識別機２３、硬貨識別機２４）により受け付けられた貨幣（紙幣２，硬貨３）が遊技用装置（カードユニット２０）外部に排出されて、紙幣搬送機構，硬貨搬送機構により搬送される例について説明したが、これに限らず、該受け付けられた貨幣は、遊技用装置内部に貯留されるようにしても良い。
【０２６５】
上記の実施形態では、図２に示すように、貨幣受付手段（紙幣識別機２３、硬貨識別機２４）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良い。
【０２６６】
上記の実施形態では、貨幣を受け付けると、入金額が一般カード５のカード残額に加算されてカード残額が更新される（即ちカード残額の多少によらず一律に入金額が加算される）例について説明したが、このとき一般カード５のカード残額が所定額（例えば１０００円）以下であるときにのみ貨幣を受付可能として、入金額がカード残額に加算されるようにしても良い。また、カード残額が零であるときにのみ貨幣を受付可能として、このときの入金額をカード残額として記録するようにしても良い。
【０２６７】
上記の実施形態では、パチンコ機１０とカードユニット２０，２０’間で玉貸処理が行われるときに、図４に示すように、ＰＲＤＹ信号，ＢＲＤＹ信号，ＢＲＱ信号，及びＥＸＳ信号等の送受によって玉貸処理が行われる例について説明したが、該玉貸処理は、例えば以下の変形例１，変形例２，又は変形例３に示す如く行われるようにしても良い。
【０２６８】
まず変形例１として、カードユニット２０，２０’は、１度数に相当するパチンコ玉数（例えば消費税を考慮しないのであれば２５個、消費税を考慮するのであれば消費税率に応じて２４個，２３個…等の、具体的な玉数であり、予めシステムコントローラ６０，６０’等により設定されてカードユニット２０，２０’に配信されている）である払出要求玉数のパチンコ玉の払出を要求する払出要求信号をパチンコ機１０の払出制御基板１２に対して送信する。
【０２６９】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号をカードユニット２０，２０’のユニット制御部２２，２２’に対して送信する。
【０２７０】
該払出結果信号を受信したカードユニット２０，２０’は、前記払出要求信号に示される払出要求玉数と、該払出結果信号に示される払出結果玉数とを照合し、照合ＯＫである場合には、１度数分の前記減算として、ユニット制御部２２，２２’のＲＡＭの表示用記憶領域に記憶されている残額からパチンコ玉の貸与に使用された１度数に相当する金額を減算すると共に、残度数表示器１４に表示された残度数から１度数を減算する。そしてカードユニット２０，２０’は、これら１度数分の玉貸を前記入金額分又は前記使用額分（即ち記憶残額≧玉貸設定金額であれば該玉貸設定金額分，また記憶残額＜玉貸設定金額であれば該記憶残額分）だけ繰り返し、該入金額分又は使用額分の玉貸の終了に基づいて、玉貸終了信号をパチンコ機１０の払出制御基板１２に対して送信し、玉貸処理を終了する。なお「使用額分の玉貸処理の終了」とは、今回の玉貸操作に基づく該使用額分の玉貸の終了を意味する。
【０２７１】
次に変形例２として、パチンコ機１０において、カードユニット２０，２０’からの１回の払出要求に応じて払い出すパチンコ玉の数（以下「単位払出数」という。）を設定変更可能に構成すると共に、カードユニット２０，２０’において、該設定された単位払出数を予め記憶可能に構成した場合には、以下のようにして貸与処理を行う。まずカードユニット２０，２０’は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号をユニット制御部２２に対して送信する。該払出結果信号を受信したカードユニット２０，２０’は、前記予め記憶している単位払出数と、該払出結果信号に示される払出結果玉数とを照合し、照合ＯＫである場合には、前記１度数分の減算処理を行い、その後、前記玉貸設定度数分の貸与処理を行う。
【０２７２】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。またカードユニット２０，２０’において予め記憶しておく単位払出数は、カード会社の管理サーバ９０や遊技場のシステムコントローラ６０，６０’で設定し、カードユニット２０，２０’に配信して記憶するようにすれば良い。そして、例えば前記単位払出数と払出結果玉数との照合ＮＧの場合に、カードユニット２０，２０’を不能動化するように構成すれば、遊技場が実際の申告よりも小さい単位払出数をパチンコ機１０において設定するような不正を防止できる。
【０２７３】
さらに変形例３として、前記単位払出数が一定（例えば２５個）である場合には、以下のようにして貸与処理を行う。まずカードユニット２０，２０’は、玉貸ボタン１５の操作をユニット制御部２２，２２’により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号をユニット制御部２２，２２’に対して送信する。該玉貸準備信号を検出したカードユニット２０，２０’は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の貸与処理の完了を示す玉貸完了信号をユニット制御部２２に対して送信する。該払出結果信号を受信したカードユニット２０，２０’は、前記１度数分の減算処理を行い、その後、前記玉貸設定度数分の貸与処理を行う。
【０２７４】
上記の実施形態では、記録媒体収納部が、カードＲ／Ｗ２７及びカードストッカ２８からなり、カードＲ／Ｗ２７部のカード数＋カードストッカ２８に収納されているカード数が、ストック枚数として計数手段（カードＲ／Ｗ制御部２９，２９’）により計数される例について説明したが、これに限らず、記録媒体収納部をカードストッカ２８のみとして、計数手段が、該カードストッカ２８に収納されているカード数のみをストック枚数として計数するようにしても良い。例えば、収納処理が行われたときには、ストック枚数に１を加算し、供給処理が行われたときには、ストック枚数から１を減算することで、カードストッカ２８に収納されるカードのストック枚数を計数することが可能である。
【０２７５】
上記の実施形態では、計数手段がカードＲ／Ｗ制御部２９，２９’であり、前方挿入カードの取込処理のときにストック枚数を加算更新し、カードの排出処理のときにストック枚数を減算更新することで、ストック枚数を計数する（つまり、取込処理回数−排出処理回数＝ストック枚数として計数する）例について説明したが、これに限らず、センサによって、ストック枚数が所定数に達したか否かを判定することで、ストック枚数を計数するようにしても良い。具体的には、カードストッカ２８内の、前記所定数のカードに対応する位置（例えば所定数が９であれば、〔９×カード厚〕に対応する位置）に送受光式のセンサを設置しておくことで、前記所定数に達したかどうかを判定して、ストック枚数を計数することができる。
【０２７６】
上記の実施形態では、営業時間中にストック枚数が第２上限値以上となっても、第２上限値以上である旨を報知しない例について説明したが、これに限らず、営業時間中であっても、ストック枚数が第２上限値以上であるか否かの判定を実施して、第２上限値以上である場合にはその旨を報知するようにしても良い。また、上記の実施形態では、営業時間中にストック枚数が第２下限値以下となっても、第２下限値以下である旨を報知しない例について説明したが、これに限らず、営業時間中であっても、ストック枚数が第２下限値以下であるか否かの判定を実施して、第２下限値以下である場合にはその旨を報知するようにしても良い。
【０２７７】
上記の実施形態では、各種の報知（ストック枚数が第１上限値以上である旨の報知，第１下限値以下である旨の報知，残有価価値報知手段による報知，及び締め処理時報知手段による報知）が、遊技用装置（カードユニット２０，２０’）に設けられる多機能ランプ２６，２６’の発光態様の変化により行われる例について説明したが、これに限らず、該各種の報知は、例えば遊技用装置の上部に備えられた呼出ランプ装置に設けられるランプの発光態様の変化により行われるようにしても良く、この場合には、カードユニット２０，２０’＋呼出ランプ装置が、本発明における遊技用装置に相当する。また各種の報知は、多機能ランプ２６，２６’の発光態様の変化により行われるのではなく、該各種の報知の各々に対応するランプや、該各種の報知に対応する文字で表示するディスプレイや、該各種の報知に対応する音声を発するスピーカ等により行われるようにしても良い。また、残有価価値報知手段による報知を行うにあたり、カードユニット２０，２０’の表示部２５ａにカード残額を表示するようにしても良い。
【０２７８】
また、遊技用装置（カードユニット２０，２０’）から管理装置（システムコントローラ６０，６０’）に対して、当該遊技用装置の装置ＩＤ及び記録媒体数に関する各種の報知（ストック枚数が第１上限値以上である旨の報知，第１下限値以下である旨の報知，又は締め処理時報知手段による報知）を行う旨（あるいは第１上限値判定手段，第１下限値判定手段，又は締め処理時判定手段の判定結果）を送信し、管理装置において、受信した装置ＩＤ（又は対応する遊技機の台番号等）及び該装置ＩＤと共に受信した情報に基づく報知（例えば、装置ＩＤと、「第１上限値以上」，「第１下限値以下」，「第２上限値以上」，「収納上限値」，「第２下限値以下」，又は「零」である旨を対応させてディスプレイ６４，６４’に表示する等）を行うようにしても良い。
【０２７９】
また、第１実施形態において、遊技用装置（カードユニット２０）から管理装置（システムコントローラ６０）に対して、当該遊技用装置の装置ＩＤ及び残有価価値報知手段による報知を行う旨（あるいは残有価価値判定手段の判定結果）を送信し、管理装置において、受信した装置ＩＤ（又は対応する遊技機の台番号等）及び該装置ＩＤと共に受信した情報に基づく報知（例えば、装置ＩＤと、残有価価値が存在する旨を対応させてディスプレイ６４に表示する等）を行うようにしても良い。
【０２８０】
上記の実施形態では、締め処理時報知手段による報知，即ち、締め処理時判定手段の第２上限値判定により第２上限値以上と判定されたときの報知，収納限界値判定により収納限界値に達していると判定されたときの報知，第２下限値判定により第２下限値以下と判定されたときの報知，及び零判定により零であると判定されたときの報知が、全て同態様（多機能ランプ２６，２６’の緑点滅）である例について説明したが、これに限らず、各判定結果に応じて別態様としても良い。例えば、第２上限値判定により第２上限値以上と判定されたときの報知を多機能ランプ２６，２６’の黄点滅とし、収納限界値判定により収納限界値に達していると判定されたときの報知を多機能ランプ２６，２６’の橙点滅とし、第２下限値判定により第２下限値以下と判定されたときの報知を多機能ランプ２６，２６’の紫点滅とし、零判定により零であると判定されたときの報知を多機能ランプ２６，２６’の青点滅としても良い。これによれば、店員が、各報知態様の違いによって、どの判定結果に基づいて締め処理時報知手段が報知を行っているかを把握して、適切な処置をとることができる。
【０２８１】
上記の実施形態において、締め処理時報知手段による報知が行われていたにも関わらず、回収作業や補充作業をすることなく、遊技用装置が動作停止した場合には、翌営業日の起動時に、再度、前記報知を行うようにしても良い。例えば、動作停止に際して、締め処理時報知手段による報知を行っている状態であれば、報知フラグを記憶しておき、次回の起動時に、報知フラグが記憶されていることを条件として、再度、締め処理時報知手段による報知を行うようにすると良い。これによれば、営業開始時点において、対処が必要な遊技用装置を把握して、回収作業や補充作業等の処置を行うことができる。
【０２８２】
上記の実施形態では、多機能ランプ２６，２６’が、第１上限値報知手段及び第１下限値報知手段の両手段として機能する例について説明したが、これに限らず、第１上限値報知手段，第１下限値報知手段の各々に対応するランプ（例えば第１上限値報知ランプ，第１下限値報知ランプ）を別個に設けるようにしても良い。例えば、ストック枚数が第１上限値以上であると判定されたときに第１上限値報知ランプが点灯し、ストック枚数が第１下限値以下であると判定されたときに第１下限値報知ランプが点灯することでそれぞれの報知を行うようにしても良い。また、これと同様に、第２上限値報知ランプ，第２下限値報知ランプを別個に設けて、第２上限値判定により第２上限値以上であると判定されたときに第２上限値報知ランプが点灯し，第２下限値判定により第２下限値以下であると判定されたときに第２下限値報知ランプが点灯するようにしても良い。
【０２８３】
上記の実施形態では、多機能ランプ２６，２６’によるストック枚数が第１上限値以上である旨の報知と、第１下限値以下である旨の報知が、別態様である（第１上限値以上であるときには黄点灯，第１下限値以下のときには紫点灯）例について説明したが、これに限らず、第１上限値以上である旨の報知と、第１下限値以下である旨の報知を同一態様（例えば青点灯）にしても良い。
【０２８４】
上記の実施形態では、記録媒体数表示手段が、表示部２５ａである例について説明したが、これに限らず、記録媒体数表示手段は、残度数表示器１４や、遊技用装置が備える他の表示部（例えばカードユニットに備えられるディスプレイや、遊技者が遊技の結果として獲得した獲得価値の大きさが貯蓄されてなる貯玉数を表示するための貯玉数表示部、あるいはメンテナンス用のメッセージを表示する専用の表示部等）であっても良い。また、記録媒体数表示手段は、上記呼出ランプ装置の表示部であっても良く、この場合には、カードユニット＋呼出ランプ装置が、本発明における遊技用装置に相当する。
【０２８５】
上記の実施形態では、カード玉貸処理によりカード残額が零となった一般カード５をカードＲ／Ｗ２７に留保する例について説明したが、これに限らず、カード残額が零となった一般カード５をカードストッカ２８に収納するようにしても良い。この場合には、貨幣が識別されたことに基づいて、カードストッカ２８のカードの１枚がカードＲ／Ｗ２７に供給されて、入金額がカード残額として記録された後にカード玉貸可能状態となり、該カード残額の範囲内でのカード玉貸処理を行い、カード返却ボタン１６の操作が検出され、かつカード玉貸可能状態であることに基づいて、残額有りの一般カード５をカードＲ／Ｗ２７から排出する処理（つまり遊技者に対して残額有りの一般カード５を発行する処理）を行う。
【０２８６】
上記の実施形態では、第１設定手段，第２上限値設定手段，第２下限値設定手段，第２上限値有効設定手段，及び第２下限値有効設定手段を、全て遊技用装置（カードユニット２０，２０’）が備えている例について説明したが、これに限らず、これらのうちの一部又は全部を管理装置（システムコントローラ６０，６０’）が備えるようにしても良い。例えば、図６（ａ）に示す画面に入力された第２上限値及び第２下限値，並びに第２上限値設定情報及び第２下限値設定情報を、システムコントローラ６０，６０’のハードディスク６３，６３’に一旦記憶しておき、締め処理信号送信時に、該記憶されている情報を、締め処理信号と共にカードユニット２０，２０’に送信するようにして、カードユニット２０，２０’が、受信した情報を参照し、各判定（第２上限値判定又は収納上限値判定，第２下限値判定又は零判定）を行うようにしても良い。このとき、管理装置であるシステムコントローラ６０，６０’において、前記ハードディスク６３，６３’への記憶処理を行う制御部６２，６２’が、第２上限値設定手段，第２上限値有効設定手段，第２下限値設定手段，及び第２下限値有効設定手段に相当する。
【０２８７】
また、第１上限値及び第１下限値についても、図６（ａ）に示す画面に入力された第１上限値及び第１下限値をシステムコントローラ６０，６０’のハードディスク６３，６３’に一旦記憶しておき、カードユニット２０，２０’からの要求に応じて、該記憶されている第１上限値及び第１下限値を、要求元のカードユニット２０，２０’に送信し、カードユニット２０，２０’が、受信した第１上限値や第１下限値を参照して、第１上限値判定手段による判定や第１下限値判定手段による判定を行うようにしても良い。このとき、管理装置であるシステムコントローラ６０，６０’において、第１上限値及び第１下限値をハードディスク６３，６３’に記憶する処理を行う制御部６２，６２’が、第１設定手段に相当する。
【０２８８】
上記の実施形態では、図６（ａ）に示すように、第２上限値の設定を有効にするか否かの設定，及び第２下限値の設定を有効にするか否かの設定を別々に行う例について説明したが、これに限らず、第２上限値の設定を有効にするか否かの設定，及び第２下限値の設定を有効にするか否かの設定を一括して行うようにしても良い。この場合、ユニット制御部２２，２２’は、図１７のＳＥ０５に相当する処理で、スイッチテーブルを参照して、第２上限値及び第２下限値の両方の設定を有効にする旨が記憶されているか又は両方の設定とも有効としない旨が記憶されているかを判定する。その結果、有効にする旨が記憶されているときには、ＳＥ０６で、ストック枚数が第２上限値以上でないと判定されたときに（Ｎ）、ＳＥ２０の判定が行われずに、第２下限値判定が実施される（ＳＥ２１）。一方、有効としない旨が記憶されているときには、ＳＥ１０で、ストック枚数が収納限界値に達していないと判定されたときに（Ｎ）、ＳＥ２０の判定が行われずに、零判定が実施される（ＳＥ３０）。
【０２８９】
上記の実施形態では、図１７に示すように、締め処理時判定手段が、第２上限値判定又は収納限界値判定を行うと共に、第２下限値判定又は零判定を行う（但し、第２上限値以上でないと判定されたとき，又は収納限界値に達していないと判定されたときに限る）例について説明したが、これに限らず、第２上限値判定又は収納限界値判定を行う一方、第２下限値判定又は零判定を行わないようにしても良く、第２上限値判定又は収納限界値判定を行わない一方、第２下限値判定又は零判定を行うようにしても良い。
【０２９０】
上記の実施形態では、第２上限値及び第２下限値，並びに第２上限値設定情報及び第２下限値設定情報が、締め処理信号の送信に先立って、予め管理装置（システムコントローラ６０，６０’）から送信されて遊技用装置（カードユニット２０，６０’）に記憶されている例について説明したが、これに限らず、第２上限値及び第２下限値，並びに第２上限値設定情報及び第２下限値設定情報が、管理装置から締め処理信号と共に遊技用装置に送信されるようにしても良い。これら、第２上限値及び第２下限値，並びに第２上限値設定情報及び第２下限値設定情報は、少なくとも締め処理信号受信後に参照することができるタイミングで、システムコントローラ６０，６０’から送信されていれば良い。
【０２９１】
上記の実施形態では、各カードユニット２０，２０’において共通の第２上限値，第２下限値が設定される例について説明したが、これに限らず、対応する遊技機の機種等に応じて、遊技用装置毎に異なる第２上限値，第２下限値を設定するようにしても良い。例えば、遊技機が第１種のいわゆるデジパチの場合には、１回の平均使用金額が大きく、残額有りのカードが発行される頻度が少ないことを考慮して、対応する遊技用装置の第２下限値を低め（例えば２）に設定するようにしても良い。また、遊技機が第２種のいわゆる羽根モノの場合には、１回の平均使用金額が小さく、残額有りのカードが発行される頻度が多いことを考慮して、対応する遊技用装置の第２上限値を高め（例えば８）に設定するようにしても良い。
【０２９２】
上記の実施形態では、図６（ａ）に示すように、管理装置（システムコントローラ６０，６０’）側で、第１上限値，第１下限値，第２上限値，第２上限値の設定を有効にするか否かの選択，第２下限値，及び第２下限値の設定を有効にするか否かの選択を受け付けて、遊技用装置（カードユニット２０，２０’）において、各値及び選択に応じた設定を行う例について説明したが、これに限らず、各値の入力及び各選択をカードユニット２０，２０’で直接行うようにして（例えばカードユニットが備えるディスプレイや、スイッチ等の操作により行う）、該カードユニット２０，２０’が、各値及び選択に応じた設定を行うようにしても良い。また、リモートコントローラにて各値の入力及び各選択を受け付けて、該リモートコントローラからカードユニット２０，２０’に対して、該入力・選択内容を送信し、これを受信したカードユニット２０，２０’が各値及び選択に応じた設定を行うようにしても良い。
【０２９３】
上記の実施形態では、図６（ａ）に示すように、管理装置（システムコントローラ６０，６０’）側で、第１上限値，第１下限値，第２上限値，及び第２下限値について、設定変更が可能である例について説明したが、これに限らず、これらのうちの全部又は一部を予め遊技用装置（カードユニット２０，２０’）に記憶して設定しておき、変更できないようにしても良い。
【０２９４】
上記の実施形態では、図６（ｂ）に示すように、遊技島を指定することで、該指定された遊技島に属するカードユニット２０，２０’に対してのみ、締め処理信号が送信される例について説明したが、これに限らず、遊技機の機種を指定することで、該機種の遊技機に対応して設けられている遊技用装置に対してのみ、締め処理信号を送信するようにしても良い。また、遊技機の台番号を指定することで、該台番号に対応する遊技用装置に対してのみ締め処理信号を送信するようにしても良い。
【０２９５】
上記の実施形態では、保守状態移行要求受付手段が赤外線受信部２５ｂであり、リモートコントローラ３０からのメンテナンスモード移行要求を受信する例について説明したが、これに限らず、保守状態移行要求受付手段は、遊技用装置に設けられたスイッチでも良く、該スイッチを切り替えることでメンテナンスモードに移行するものであっても良い。
【０２９６】
上記の実施形態では、第２上限値判定（ＳＥ０６）において、第２上限値以上であると判定されたこと，又は収納限界値判定（ＳＥ１０）において、収納限界値に達していると判定されたときに、自動的にメンテナンスモードに移行して（ＳＥ０８，ＳＥ１２）、回収モード起動要求の受信（図１４のＳＣ０１）に基づいて、回収モードを起動して（ＳＣ０３，ＳＣ０５）、カードを排出（ＳＣ０６）する例について説明したが、これに限らず、自動的にメンテナンスモードに移行した後、回収モード起動要求の受信によらず、自動的に回収モードを起動させて（つまりＳＣ０３〜ＳＣ０８の処理を自動的に行い）、カードを排出するようにしても良い。これによれば、店員が回収モード起動操作を行う手間が省ける。
【０２９７】
上記の実施形態では、第２下限値判定（ＳＥ２１）において、第２下限値以下であると判定されたこと，又は零判定（ＳＥ３０）において、零であると判定されたときに、自動的にメンテナンスモードに移行して（ＳＥ２３，ＳＥ３２）、補充モード起動要求の受信（図１５のＳＤ０１）によって、補充モードを起動して（ＳＤ０３，ＳＤ０５）、カード挿入待ち状態（ＳＤ０６）となる例について説明したが、これに限らず、自動的にメンテナンスモードに移行した後、補充モード起動要求の受信によらず、自動的に補充モードを起動させて（つまりＳＤ０３〜ＳＤ０６の処理を自動的に行い）、カード挿入待ち状態となるようにしても良い。これによれば、店員が補充モード起動操作を行う手間が省ける。
【０２９８】
上記の実施形態では、図１４に示すように、１枚ずつカードの抜き取りを促す例について説明したが、これに限らず、抜き取りがされたか否かに限らず、連続的に、第２上限値以上のカードを対象としてカードの排出処理を行うようにしても良い。このとき、抜き取り待ち状態のとなったカードは排出されるカードにより強制的に押し出されて、完全にカードユニット２０，２０’から排出されることになる。これによれば、逐次、抜き取り作業を行わずに、ストック枚数が第２上限値未満となるまでカードが自動的に排出され、店員の手間が省ける。
【０２９９】
上記の第２実施形態では、カードユニットＤＢで各装置ＩＤに対応付けてカードＩＤを管理すると共に、残額ＤＢでカードＩＤに対応付けて管理残額を管理することで、各カードユニット２０’に対応する管理残額を管理している例について説明したが、これに限らず、カードＩＤを管理せずに、少なくとも各遊技用装置毎に対応する管理残額を管理していれば良く、例えば以下のようにして装置ＩＤと管理残額を管理するようにしても良い。まず、カードユニット２０’で貨幣の受付が行われたときに、カードＩＤを送信せず、入金額と装置ＩＤをシステムコントローラ６０’に送信するようにしておき、システムコントローラ６０’では、受信した装置ＩＤに対応付けて管理している管理残額に受信した入金額を加算する。そして、カードユニット２０’でカード玉貸処理が行われたときに、カードＩＤを送信せず、使用額と装置ＩＤをシステムコントローラ６０’に送信するようにしておき、システムコントローラ６０’では、受信した装置ＩＤに対応付けて管理している管理残額から受信した使用額を減算する。そして、カードユニット２０’でカードが排出されたときに、排出したカードのカードＩＤを含む排出通知と装置ＩＤをシステムコントローラ６０’に送信するようにしておき、システムコントローラ６０’では、受信した排出通知に含まれるカードＩＤと、受信した装置ＩＤに対応付けて管理している管理残額とを対応付けて記憶した後、該受信した装置ＩＤに対応付けて管理している管理残額を消去する（あるいは別の記憶領域に記憶しておく）。これによって、各装置ＩＤに対応付けて記録媒体発行処理に未だ供されていない残有価価値の大きさを管理することができると共に、記録媒体発行処理により発行された各カードのカードＩＤに対応する残額を管理することもできる。
【０３００】
上記の第２実施形態では、報知指示信号送信手段（ユニット用通信部６１ａ’）から送信される報知指示信号（Ｓ５１１’）が、記録媒体発行処理に供されていない残有価価値が存在する旨を示す信号であると共に、締め処理を実行する旨を示す信号である例について説明したが、これに限らず、報知指示信号は、記録媒体発行処理に供されていない残有価価値の大きさが存在する旨のみを示す信号であっても良く、例えばこの場合には、システムコントローラ６０’がカードユニット２０’から発行情報を受信したときに、該発行情報の送信元のカードユニット２０’に対して締め処理信号を送信するようにしても良い。具体的には、報知指示信号を受信したカードユニット２０’において、残有価価値報知手段（多機能ランプ２６’）による報知が行われている状態で（Ｓ５２２’）、カード返却ボタン１６の操作によってカードＲ／Ｗ２７のカードが排出されると（Ｓ５３４）、次いで締め処理時排出通知がシステムコントローラ６０’に送信されるようにしておき、該締め処理時排出通知を受けたシステムコントローラ６０’が締め処理時排出通知と共に受信した装置ＩＤのカードユニット２０’に対して締め処理信号を送信するようにすると良い。
【０３０１】
ここで、以下のような遊技用システムに対して本発明を適用することも可能である。
【０３０２】
遊技用装置（カードユニット２０，２０’）は、貨幣受付手段（紙幣識別機２３，硬貨識別機２４）により受け付けた貨幣の金額である入金額のうちの第１の貸与処理に使用されていない入金残額を記憶する記憶領域（一般カード５とは異なり、例えばユニット制御部２２，２２’のＲＡＭやＥＥＰＲＯＭ，又は封入カード等）を有し、管理装置（システムコントローラ６０，６０’）は、各遊技用装置の装置識別情報（装置ＩＤ）に対応付けて、当該遊技用装置における入金残額を管理している。貨幣が受け付けられると、前記記憶領域に記憶されている入金残額に入金額が加算されると共に、入金額と装置ＩＤが管理装置に送信され、管理装置において、受信した装置ＩＤに対応付けて管理している入金残額に受信した入金額が加算される。このように、入金に応じて、遊技用装置側，管理装置側の双方で管理している入金残額が加算更新される。
【０３０３】
そして、前記記憶領域に記憶されている入金残額の範囲内で、玉貸ボタン１５の操作によって、所定の有価価値の大きさ（例えば、入金額残額≧玉貸設定金額であれば玉貸設定金額，入金残額＜玉貸設定金額であれば入金残額）相当の遊技媒体を貸与する第１の貸与処理が行われ、これに応じて遊技用装置の入金残額から使用額が減算されると共に、使用額と装置ＩＤが管理装置に送信され、管理装置において、受信した装置ＩＤに対応付けて管理している入金残額から受信した使用額が減算される。このように、第１の貸与処理に応じて、遊技用装置側，管理装置側の双方で管理している入金残額が減算更新される。そして、カード返却ボタン１６の操作によって、前記記憶領域の入金残額をカードＲ／Ｗ２７の一般カード５のカード残額として記録して排出する記録媒体発行処理が行われる。ここでカードＲ／Ｗ２７には予め残額無しのカードを待機させておき、該待機しているカードに入金残額を記録して排出するようにしても良く、カード返却ボタン１６の操作によってカードストッカ２８からカードＲ／Ｗ２７にカードを供給して、該供給されたカードに入金残額を記録して排出するようにしても良い。この記録媒体発行処理に伴い、カードに記録した入金残額（＝カード残額）と、該カードのカードＩＤが装置ＩＤと共に管理装置（システムコントローラ６０，６０’）に送信され、管理装置でカードＩＤとカード残額（入金残額）が対応付けて管理される。そして、受信した装置ＩＤに対応付けて管理されている入金残額は消去される。
【０３０４】
前記記録媒体発行処理によって発行されたカードが遊技用装置に挿入され、記録媒体受付手段（カードＲ／Ｗ２７）により受け付けられると、上記実施形態の如く、カードＩＤ及びカード残額を含む貸与許諾要求が管理装置に送信され、残額の照合がＯＫであれば、貸与許諾情報が返信される。貸与許諾情報を受信した遊技用装置では、カード玉貸可能状態となり、受け付けたカードのカード残額の範囲内で、玉貸ボタン１５の操作によって、所定の有価価値の大きさ（例えば、カード残額≧玉貸設定金額であれば玉貸設定金額，カード残額＜玉貸設定金額であればカード残額）相当の遊技媒体を貸与する第２の貸与処理が行われる。これに応じて遊技用装置ではカード残額から使用額が減算されると共に、使用額とカードＩＤが管理装置に送信され、管理装置において、受信したカードＩＤに対応付けて管理しているカード残額から受信した使用額が減算される。このように、第２の貸与処理に応じて、遊技用装置側，管理装置側の双方で管理しているカード残額が減算更新される。
【０３０５】
このような遊技用システムにおいて、上記第１実施形態の如く、遊技用装置側で残額の有無の判定を行う場合には、遊技用装置が管理装置から締め処理信号を受信すると、前記記憶領域に記憶されている入金残額が零であるか否かを判定して、零でないと判定されたときには残有価価値報知手段による報知を行う一方、零であると判定されたときには、締め処理が実施される。
【０３０６】
一方、このような遊技用システムにおいて、上記第２実施形態の如く、管理装置側で残額の有無の判定を行う場合には、締め処理信号を送信するにあたり、各装置ＩＤについて、対応する入金残額が零であるか否かを判定して、零でないと判定されたときには、入金残額が零でない装置ＩＤの遊技用装置に対して、報知指示情報を送信する一方、零であると判定されたときには締め処理信号を送信する。
【図面の簡単な説明】
【０３０７】
【図１】図１は本発明に係る遊技用システムの一例を表す接続図である。
【図２】図２は本発明に係る遊技用システムの一例を表す機能ブロック図である。
【図３】図３（ａ）はカードユニット及びパチンコ機の正面図であり、図３（ｂ）はカードユニットの断面右側面図である。
【図４】図４は玉貸処理に際してカードユニットとパチンコ機の間で送受される信号の一例を表す図である。
【図５】図５（ａ）は第１実施形態及び第２実施形態のシステムコントローラが記憶している残額ＤＢの記憶内容の一例を表す図であり、図５（ｂ）は第２実施形態のシステムコントローラが記憶しているカードユニットＤＢの記憶内容の一例を表す図である。
【図６】図６（ａ）はシステムコントローラのディスプレイに表示される報知基準値設定画面の一例を表す図であり、図６（ｂ）は同表示される締め処理信号送信島設定画面の一例を表す図である。
【図７】図７（ａ）は精算装置の斜視図であり、図７（ｂ）は精算装置に設けられたディスプレイの表示内容の一例を表す図である。
【図８】図８は第１実施形態のカードユニットで貨幣が受け付けられたときの処理の一例を表す図である。
【図９】図９は第１実施形態のカードユニットに一般カードが挿入されるときの処理の一例を表す図である。
【図１０】図１０は第１実施形態のカードユニットで玉貸ボタンが操作されたときの処理の一例を表す図である。
【図１１】図１１は第１実施形態のカードユニットでカード返却ボタンが操作されたときの処理の一例を表す図である。
【図１２】図１２は営業時間中にストック枚数が更新されたときの処理の一例を表す図である。
【図１３】図１３はカードユニットがメンテナンスモード移行要求を受信したときの処理の一例を表す図である。
【図１４】図１４はカードユニットが回収モード起動要求を受信したときの処理の一例を表す図である。
【図１５】図１５はカードユニットが補充モード起動要求を受信したときの処理の一例を表す図である。
【図１６】図１６は第１実施形態のシステムコントローラから締め処理信号が送信されるときの処理の一例を表す図である。
【図１７】図１７は締め処理以降の処理の一例を表す図である。
【図１８】図１８はカードユニットがメンテナンスモード解除要求を受信したときの処理の一例を表す図である。
【図１９】図１９は精算装置とシステムコントローラにおける精算処理の一例を表す図である。
【図２０】図２０は第２実施形態のカードユニットで貨幣が受け付けられたときの処理の一例を表す図である。
【図２１】図２１は第２実施形態のカードユニットに一般カードが挿入されるときの処理の一例を表す図である。
【図２２】図２２は第２実施形態のカードユニットで玉貸ボタンが操作されたときの処理の一例を表す図である。
【図２３】図２３は第２実施形態のカードユニットでカード返却ボタンが操作されたときの処理の一例を表す図である。
【図２４】図２４は第２実施形態のシステムコントローラから締め処理信号が送信されるときの処理の一例を表す図である。
【符号の説明】
【０３０８】
１…遊技用システム
２…紙幣
３…硬貨
５…一般カード
１０…パチンコ機
２０…カードユニット
２２…ユニット制御部
２３…紙幣識別機
２４…硬貨識別機
２５ａ…表示部
２５ｂ…赤外線受信部
２６…多機能ランプ
２７…カードＲ／Ｗ
２７ａ…カード挿入口
２８…カードストッカ
２９…カードＲ／Ｗ制御部
２９ａ…システムコントローラ用通信部
６０…システムコントローラ
６１ａ…ユニット用通信部
６２…制御部
６４…ディスプレイ
６５…入力装置
【図１】
2006305011.tif 000003
【図２】
2006305011.tif 000004
【図３】
2006305011.tif 000005
【図４】
2006305011.tif 000006
【図５】
2006305011.tif 000007
【図６】
2006305011.tif 000008
【図７】
2006305011.tif 000009
【図８】
2006305011.tif 000010
【図９】
2006305011.tif 000011
【図１０】
2006305011.tif 000012
【図１１】
2006305011.tif 000013
【図１２】
2006305011.tif 000014
【図１３】
2006305011.tif 000015
【図１４】
2006305011.tif 000016
【図１５】
2006305011.tif 000017
【図１６】
2006305011.tif 000018
【図１７】
2006305011.tif 000019
【図１８】
2006305011.tif 000020
【図１９】
2006305011.tif 000021
【図２０】
2006305011.tif 000022
【図２１】
2006305011.tif 000023
【図２２】
2006305011.tif 000024
【図２３】
2006305011.tif 000025
【図２４】
2006305011.tif 000026